(57)【要約】  ハイブリッド自動再送要求の管理方法、装置、およびシステムを提供する。方法は、第1のネットワークノードにより、キャリアセットとHARQプロセスとの間の第1の対応関係またはキャリアセットとHARQエンティティとの間の第2の対応関係のうちの少なくとも1つに従って、キャリアセットに対応するHARQプロセスおよび／またはHARQエンティティを決定することであって、キャリアセットが少なくとも1つのアップリンクキャリアセットまたは少なくとも1つのダウンリンクキャリアセットのうちの少なくとも1つを含む、ことと、キャリアセットを使用してHARQプロセスおよび／またはHARQエンティティに従って、データおよび／またはシグナリングを受信および／または送信することとを含む。第2のネットワークノードが複数のキャリアを同時にスケジュールできず、複数のキャリア上で同じデータを効果的に伝送できないために伝送信頼度が比較的低いという問題が解決される。
2018514124.tif 000002
【特許請求の範囲】
【請求項１】
ハイブリッド自動再送要求の管理方法であって、
第1のネットワークノードにより、キャリアセットとハイブリッド自動再送要求（HARQ）プロセスとの間の第1の対応関係、または前記キャリアセットとHARQエンティティとの間の第2の対応関係のうちの少なくとも1つに従って、前記キャリアセットに対応するHARQプロセスおよび／またはHARQエンティティを決定するステップであって、前記キャリアセットが少なくとも1つのアップリンク（UL）キャリアセットまたは少なくとも1つのダウンリンク（DL）キャリアセットのうちの少なくとも1つを含む、ステップと、
前記第1のネットワークノードにより、前記キャリアセットを使用することによって、前記HARQプロセスおよび／または前記HARQエンティティに従って、データおよび／またはシグナリングを受信および／または送信するステップと
を含む方法。
【請求項２】
前記HARQプロセスが、以下の対応関係、すなわち、第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得され、
前記第3の対応関係が、少なくとも1つのキャリア、少なくとも1つのサブフレーム、およびHARQプロセスの間の対応関係であり、
前記第4の対応関係が、少なくとも1つのキャリア、少なくとも1つのサブフレーム、HARQプロセス、およびHARQエンティティの間の対応関係であり、
前記第5の対応関係が、少なくとも1つのキャリア、データ送信方式、およびHARQプロセスの間の対応関係であり、
前記第6の対応関係が、少なくとも1つのキャリア、データ送信方式、HARQプロセス、およびHARQエンティティの間の対応関係であり、
前記第7の対応関係が、少なくとも1つのキャリア、少なくとも1つの物理リソースブロック（PRB）、少なくとも1つのサブフレーム、およびHARQプロセスの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第9の対応関係が、少なくとも1つのセルインデックス、少なくとも1つのPRB識別子、少なくとも1つの伝送時間間隔（TTI）番号、およびHARQプロセスの間の対応関係であり、
前記第10の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第11の対応関係が、少なくとも1つのキャリア、少なくとも1つのサブフレーム、冗長性バージョン、およびHARQプロセスの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第13の対応関係が、少なくとも1つのキャリア、データ送信方式、冗長性バージョン、およびHARQプロセスの間の対応関係であり、
前記第14の対応関係が、少なくとも1つのキャリア、データ送信方式、冗長性バージョン、HARQプロセス、およびHARQエンティティの間の対応関係であり、
前記第15の対応関係が、少なくとも1つのキャリア、少なくとも1つのPRB、少なくとも1つのサブフレーム、冗長性バージョン、およびHARQプロセスの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第17の対応関係が、少なくとも1つのセルインデックス、前記少なくとも1つのPRBの識別子、少なくとも1つの伝送時間間隔（TTI）番号、冗長性バージョン、およびHARQプロセスの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたは／およびDLキャリアを含む、請求項1に記載の方法。
【請求項３】
前記HARQエンティティが、以下の対応関係、すなわち、第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得され、
前記第19の対応関係が、少なくとも1つのキャリア、少なくとも1つのサブフレーム、およびHARQエンティティの間の対応関係であり、
前記第4の対応関係が、少なくとも1つのキャリア、少なくとも1つのサブフレーム、HARQプロセス、およびHARQエンティティの間の対応関係であり、
前記第20の対応関係が、少なくとも1つのキャリア、データ送信方式、およびHARQエンティティの間の対応関係であり、
前記第6の対応関係が、少なくとも1つのキャリア、データ送信方式、HARQプロセス、およびHARQエンティティの間の対応関係であり、
前記第21の対応関係が、少なくとも1つのキャリア、少なくとも1つのPRB、少なくとも1つのサブフレーム、およびHARQエンティティの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第22の対応関係が、少なくとも1つのセルインデックス、少なくとも1つのPRB識別子、少なくとも1つの伝送時間間隔（TTI）番号、およびHARQエンティティの間の対応関係であり、
前記第9の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第23の対応関係が、少なくとも1つのキャリア、少なくとも1つのサブフレーム、冗長性バージョン、およびHARQエンティティの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第24の対応関係が、少なくとも1つのキャリア、データ送信方式、冗長性バージョン、およびHARQエンティティの間の対応関係であり、
前記第14の対応関係が、少なくとも1つのキャリア、データ送信方式、冗長性バージョン、HARQプロセス、およびHARQエンティティの間の対応関係であり、
前記第25の対応関係が、少なくとも1つのキャリア、少なくとも1つのPRB、少なくとも1つのサブフレーム、冗長性バージョン、およびHARQエンティティの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第26の対応関係が、少なくとも1つのセルインデックス、前記少なくとも1つのPRBの識別子、少なくとも1つの伝送時間間隔（TTI）番号、冗長性バージョン、およびHARQエンティティの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたはDLキャリアを含む、請求項1または2に記載の方法。
【請求項４】
前記第1の対応関係から第26の対応関係が、第2のネットワークノードによって送信される無線リソース制御（RRC）シグナリング、媒体アクセス制御制御要素（MAC CE）シグナリング、または物理ダウンリンク制御チャネル（PDCCH）シグナリングのうちの少なくとも1つによって示され、
前記第1の対応関係から第26の対応関係が物理ダウンリンク制御チャネル（PDCCH）シグナリングによって示されることが、
前記キャリアセット内の各キャリアのHARQプロセス番号が前記PDCCHシグナリングによって示されること
を含み、前記PDCCHシグナリングが、少なくとも1つのキャリアを示すために使用される指示情報または前記少なくとも1つのキャリアセットを示すために使用される指示情報を搬送する、請求項1から3のいずれか一項に記載の方法。
【請求項５】
前記キャリアセットが、同じHARQプロセスを共有する第1のキャリアセットを含み、前記キャリアセットを使用することによってデータを受信しシグナリングを送信する前記ステップが、以下のステップ、すなわち、
前記第1のネットワークノードにより、前記第1のキャリアセットを使用することによって第1のデータを受信し、前記第1のデータを復号し、第1の復号結果に従って前記第2のネットワークノードに第1のメッセージを送信するステップであって、前記第1の復号結果が前記復号の成功を示すとき、前記第1のメッセージが肯定応答（ACK）メッセージを含み、または前記第1の復号結果が前記復号の失敗を示すとき、前記第1のメッセージが否定応答（NACK）メッセージを含み、前記第1のメッセージが、以下の方式、すなわち、前記第1のキャリアセット内のいずれかのキャリア、前記第1のキャリアセット内のすべてのキャリア、無線リソース制御（RRC）シグナリングもしくは媒体アクセス制御（MAC）シグナリングに従って事前構成されたキャリア、または前記第1のキャリアセット内の前記第1の復号結果に対応するDLキャリアに対応するULキャリアのうちのいずれか1つで、第1の時間期間内に前記第1のネットワークノードによって前記第2のネットワークノードに送信されるシグナリングメッセージである、ステップ、または
前記第1のネットワークノードにより、前記第1のキャリアセットを使用することによって前記第1のデータを受信し、前記第1のキャリアセット内の各キャリアに対応する前記第1のデータを復号し、第2の復号結果に従って前記第2のネットワークノードに複数の第2のメッセージを送信するステップであって、前記第2の復号結果が前記復号の成功を示すとき、前記第2のメッセージが前記ACKメッセージを含み、または前記第2の復号結果が前記復号の失敗を示すとき、前記第2のメッセージが前記NACKメッセージを含み、前記第2のメッセージが、前記第1のキャリアセット内の各キャリアに対応し、各キャリア上で前記第1のネットワークノードによって前記第2のネットワークノードに送信されるシグナリングメッセージ、または前記第2の復号結果に対応し、前記第1のキャリアセット内にあるDLキャリアに対応するULキャリア上で前記第2のネットワークノードに送信されるシグナリングメッセージである、ステップ
のうちの少なくとも1つを含む、請求項1から4のいずれか一項に記載の方法。
【請求項６】
前記第2のネットワークノード向けの前記第1のメッセージが、以下の条件、すなわち、
前記第1のネットワークノードが前記第1のキャリアセット内の各キャリア上で受信された前記第1のデータの復号に成功すると、前記第1のメッセージが前記ACKメッセージを含むこと、
前記第1のネットワークノードが前記第1のキャリアセット内のいずれかのキャリア上で受信された前記第1のデータの復号に成功すると、前記第1のメッセージが前記ACKメッセージを含むこと、
前記第1のネットワークノードが前記第1のキャリアセット内の各キャリア上で受信された前記第1のデータの復号に失敗すると、前記第1のメッセージが前記NACKメッセージを含むこと、または
前記第1のネットワークノードが前記第1のキャリアセット内のいずれかのキャリア上で受信された前記第1のデータの復号に失敗すると、前記第1のメッセージが前記NACKメッセージを含むこと
のうちの少なくとも1つを満たす、請求項5に記載の方法。
【請求項７】
前記キャリアセットが、同じHARQプロセスを共有する第2のキャリアセットを含み、前記キャリアセットを使用することによってデータを送信しシグナリングを受信する前記ステップが、以下のステップ、すなわち、
前記第1のネットワークノードにより、前記第2のキャリアセットを使用することによって前記第2のネットワークノードに第2のデータを送信し、前記第2のキャリアセット内の各キャリアに対応する第3のメッセージを受信した後、前記第3のメッセージが前記第2のキャリアセットに対応するNACKメッセージを含むと判定すると、前記第2のデータの伝送が失敗したと判断し、または前記第3のメッセージが前記第2のキャリアセットに対応するACKメッセージを含むと判定すると、前記第2のデータの伝送が成功したと判断するステップであって、前記第3のメッセージが、前記第2のキャリアセットに対応し、以下の方式、すなわち、前記第2のキャリアセット内のいずれかのキャリア、前記第2のキャリアセット内のすべてのキャリア、前記RRCシグナリングもしくは前記MACシグナリングに従って事前構成されたキャリア、またはダウンリンク制御情報（DCI）を送信するためのキャリアのうちのいずれか1つで、あらかじめ設定された第2の時間期間内に前記第2のネットワークノードによって前記第1のネットワークノードに送信されるシグナリングメッセージである、ステップ、または
前記第1のネットワークノードにより、前記第2のキャリアセットを使用することによって前記第2のネットワークノードに前記第2のデータを送信し、第4のメッセージを受信した後、前記第4のメッセージの各々がACKメッセージを含む場合、前記第2のデータの伝送が成功したと判断し、または前記第4のメッセージのうちのいずれか1つがACKメッセージを含む場合、前記第2のデータの伝送が成功したと判断し、または前記第4のメッセージの各々がNACKメッセージを含む場合、前記第2のデータの伝送が失敗したと判断し、または前記第4のメッセージのうちのいずれか1つがNACKメッセージを含む場合、前記第2のデータの伝送が失敗したと判断し、または前記第4のメッセージのうちのどれも受信されなかった場合、前記第2のデータの伝送が失敗したと判断し、または前記第4のメッセージのうちのいずれか1つが受信されなかった場合、前記第2のデータの伝送が失敗したと判断するステップであって、前記第4のメッセージが、前記第2のキャリアセット内の各キャリアに対応し、各キャリア上で前記第2のネットワークノードによって前記第1のネットワークノードに送信されるシグナリングメッセージである、ステップ
のうちの少なくとも1つを含む、請求項1から6のいずれか一項に記載の方法。
【請求項８】
前記第1のネットワークノードにより、前記第2のキャリアセットを使用することによって前記第2のネットワークノードに第2のデータを前記送信した後、前記第1のネットワークノードにより、前記キャリアセットを使用することによってデータを送信する前記ステップが、具体的に、以下のステップ、すなわち、
前記第1のネットワークノードにより、前記第2のキャリアセットから少なくとも1つのキャリアを選択して、前記第2のデータを再送するステップ、
前記第1のネットワークノードにより、前記第3のメッセージもしくは前記第4のメッセージに対応する前記キャリア上で、前記第2のデータを再送する動作を実施するステップ、
各キャリアに対応し、前記第1のネットワークノードによって受信された前記第4のメッセージがNACKメッセージであるとき、前記第2のデータを再送する動作を開始するステップ、
いずれかのキャリアに対応し、前記第1のネットワークノードによって受信された前記第4のメッセージがNACKメッセージであるとき、前記第2のデータを再送する動作を開始するステップ、
前記第1のネットワークノードが前記第2のキャリアセット内のすべてのキャリアに対応する前記第4のメッセージを受信しないとき、前記第2のデータを再送する動作を開始するステップ、または
前記第1のネットワークノードが前記第2のキャリアセット内のいずれかのキャリアに対応する前記第4のメッセージを受信しないとき、前記第2のデータを再送する動作を開始するステップ
のうちの少なくとも1つを含む、請求項7に記載の方法。
【請求項９】
前記第2のデータが再送された後、前記方法が、以下のステップ、すなわち、
前記第1のネットワークノードにより、前記第2のデータが再送された前記キャリアセット内の各キャリアに対応する変数現在伝送番号をカウントするステップであって、前記キャリアセット内のすべてのキャリアが変数現在伝送番号と一対一の対応関係にある、ステップ、または
前記第1のネットワークノードにより、前記キャリアセット内のすべてのキャリアに対応する変数現在伝送番号をカウントするステップ
のうちの1つを含み、
前記第1のネットワークノードが前記キャリアセット内のいずれかのキャリア上で前記第2のデータを再送した後、毎回、前の変数現在伝送番号が1だけ増分され、
前記第1のネットワークノードが、以下のステップ、すなわち、
前記第1のネットワークノードにより、前記いずれかのキャリアの変数現在伝送番号があらかじめ設定された最大値に達したと判定すると、HARQバッファをクリアするステップ、
前記第1のネットワークノードにより、前記キャリアセット内の各キャリアの変数現在伝送番号があらかじめ設定された最大値に達したと判定すると、前記HARQバッファをクリアするステップ、または
前記第1のネットワークノードにより、前記キャリアセット内のすべてのキャリアに対応する前記変数現在伝送番号の各々があらかじめ設定された最大値に達したと判定すると、前記HARQバッファをクリアするステップ
のうちの少なくとも1つをさらに実施する、請求項1から8のいずれか一項に記載の方法。
【請求項１０】
第1の復号結果に従って前記第2のネットワークノードに第1のメッセージを送信した後、または第2の復号結果に従って前記第2のネットワークノードに第2のメッセージを送信した後、前記キャリアセットを使用することによってデータを受信する前記ステップが、具体的に、以下のステップ、すなわち、
前記第1のネットワークノードにより、前記第1のキャリアセットを使用することによってあらかじめ設定された第3の時間期間に従って前記第2のネットワークノードによって再送された前記第1のデータを受信するステップであって、前記第1のキャリアセット内の各キャリアが新しいデータインジケータ（NDI）によって識別され、キャリア上で現在伝送されている前記第1のデータが新しいデータか、もしくは再送されたデータかを示すために前記NDIが使用される、ステップ、または
前記NACKに従って前記第2のネットワークノードによって返信されたNACK応答を受信するか、もしくはあらかじめ設定された時間内にNACK応答を受信しなかった後、前記第1のネットワークノードにより、前記第3のキャリアセットを使用することによって前記第2のネットワークノードによって再送された前記第1のデータを受信するステップであって、前記第3のキャリアセット内の各キャリアがNDIによって識別され、キャリア上で現在伝送されている前記第1のデータが新しいデータか、もしくは再送されたデータかを示すために前記NDIが使用され、前記第3のキャリアセットが前記第1のキャリアセットの前記第1のデータの伝送に失敗したキャリアセットである、ステップ
のうちの少なくとも1つをさらに含む、請求項6から9のいずれか一項に記載の方法。
【請求項１１】
前記第1のネットワークノードにより、前記第2のキャリアセットを使用することによって前記第2のネットワークノードに第2のデータを送信した後、前記キャリアセットを使用することによってデータを送信する前記ステップが、具体的に、以下のステップ、すなわち、
前記第1のネットワークノードにより、前記第2のキャリアセットを使用することによってあらかじめ設定された第4の時間期間に従って前記第2のネットワークノードに前記第2のデータを再送するステップであって、前記第2のキャリアセット内の各キャリアが新しいデータインジケータ（NDI）によって識別され、キャリア上で現在伝送されている前記第2のデータが新しいデータか、もしくは再送されたデータかを示すために前記NDIが使用される、ステップ、または
前記第2のデータの伝送が失敗したと判断した後、前記第1のネットワークノードにより、第4のキャリアセットを使用することによって前記第2のネットワークノードに前記第2のデータを再送するステップであって、前記第8のキャリアセット内の各キャリアがNDIによって識別され、キャリア上で現在伝送されている前記第4のデータが新しいデータか、もしくは再送されたデータかを示すために前記NDIが使用され、前記第4のキャリアセットが前記第2のキャリアセットの前記第2のデータの伝送に失敗したULキャリアセットである、ステップ
のうちの少なくとも1つをさらに含む、請求項6から10のいずれか一項に記載の方法。
【請求項１２】
前記キャリアセットが、同じデータを送信するために使用され、個別のHARQプロセスを使用する第5のキャリアセットを含み、前記キャリアセットを使用することによってシグナリングを受信しデータを送信する前記ステップが、具体的に、以下のステップ、すなわち、
前記第1のネットワークノードにより、前記第5のキャリアセットを使用することによって前記第2のネットワークノードに第3のデータを送信し、第5のメッセージを受信した後、前記第5のメッセージが前記第5のキャリアセットに対応するNACKメッセージを含むと判定すると、前記第3のデータの伝送が失敗したと判断し、または前記第5のメッセージが前記第5のキャリアセットに対応するACKメッセージを含むと判定すると、前記第3のデータの伝送が成功したと判断するステップであって、前記第5のメッセージが、前記第2のキャリアセットに対応し、以下の方式、すなわち、前記第5のキャリアセット内のいずれかのキャリア、前記第5のキャリアセット内のすべてのキャリア、前記RRCシグナリングもしくは前記MACシグナリングに従って事前構成されたキャリア、または前記DCIを送信するためのキャリアのうちのいずれか1つで、あらかじめ設定された第5の時間期間内に前記第2のネットワークノードによって前記第1のネットワークノードに送信されるシグナリングメッセージである、ステップ、または
前記第1のネットワークノードにより、前記第5のキャリアセットを使用することによって前記第2のネットワークノードに前記第3のデータを送信し、第6のメッセージを受信した後、前記第6のメッセージが前記第3のデータを送信するために使用された前記第5のキャリアセットに対応するNACKメッセージを含むと判定する場合、前記第3のデータの伝送が失敗したと判断し、または前記第6のメッセージが少なくとも1つのACKメッセージを含むと判定する場合、前記第3のデータの伝送が成功したと判断するステップであって、前記第6のメッセージが、前記第5のキャリアセット内の各キャリアに対応し、各キャリア上で前記第2のネットワークノードによって前記第1のネットワークノードに送信されるシグナリングメッセージである、ステップ
のうちの少なくとも1つを含む、請求項1から11のいずれか一項に記載の方法。
【請求項１３】
前記キャリアセットが、同じデータを送信するために使用され、個別のHARQプロセスを使用する第6のキャリアセットを含み、前記キャリアセットを使用することによってデータを受信しシグナリングを送信する前記ステップが、以下のステップ、すなわち、
前記第1のネットワークノードにより、前記第6のキャリアセットを使用することによって第4のデータを受信し、前記第4のデータを復号し、第3の復号結果に従って前記第2のネットワークノードに第7のメッセージを送信するステップであって、前記第3の復号結果が前記復号の成功を示すとき、前記第7のメッセージが前記ACKメッセージを含み、または前記第3の復号結果が前記復号の失敗を示すとき、前記第7のメッセージが前記NACKメッセージを含み、前記第7のメッセージが、以下の方式、すなわち、前記第6のキャリアセット内のいずれかのキャリア、前記第6のキャリアセット内のすべてのキャリア、前記RRCシグナリングもしくは前記MACシグナリングに従って事前構成されたキャリア、または前記第3の復号結果に対応し、前記第6のキャリアセット内にあるDLキャリアに対応するULキャリアのうちのいずれか1つで、第6の時間期間内に前記第1のネットワークノードによって前記第2のネットワークノードに送信されるシグナリングメッセージである、ステップ、または
前記第1のネットワークノードにより、前記第6のキャリアセットを使用することによって前記第4のデータを受信し、前記第4のデータを復号し、第4の復号結果に従って前記第2のネットワークノードに第8のメッセージを送信するステップであって、前記第4の復号結果が前記復号の成功を示すとき、前記第4のメッセージが前記ACKメッセージを含み、または前記第4の復号結果が前記復号の失敗を示すとき、前記第8のメッセージが前記NACKメッセージを含み、前記第8のメッセージが、前記第6のキャリアセット内の各キャリアに対応し、各キャリア上で前記第1のネットワークノードによって前記第2のネットワークノードに送信されるシグナリングメッセージ、または前記第4の復号結果に対応し、前記第6のキャリアセット内にあるDLキャリアに対応するULキャリア上で前記第2のネットワークノードに送信されるシグナリングメッセージである、ステップ
のうちの少なくとも1つを含む、請求項1から12のいずれか一項に記載の方法。
【請求項１４】
第3の復号結果に従って前記第2のネットワークノードに第7のメッセージを送信した後、または第4の復号結果に従って前記第2のネットワークノードに第8のメッセージを送信した後、前記キャリアセットを使用することによってデータを受信する前記ステップが、具体的に、以下のステップ、すなわち、
前記第1のネットワークノードにより、前記第6のキャリアセットを使用することによってあらかじめ設定された第7の時間期間に従って前記第2のネットワークノードに前記第3のデータを再送するステップであって、前記第6のキャリアセット内の各キャリアが新しいデータインジケータ（NDI）によって識別され、キャリア上で現在伝送されている前記第3のデータが新しいデータか、もしくは再送されたデータかを示すために前記NDIが使用される、ステップ、または
前記第3のデータの伝送が失敗したと判断した後、前記第1のネットワークノードにより、第8のキャリアセットを使用することによって前記第2のネットワークノードに前記第3のデータを再送するステップであって、前記第8のキャリアセット内の各キャリアがNDIによって識別され、キャリア上で現在伝送されている前記第3のデータが新しいデータか、もしくは再送されたデータかを示すために前記NDIが使用され、前記第8のキャリアセットが前記第6のキャリアセットの前記第3のデータの伝送に失敗したキャリアセットである、ステップ
のうちの少なくとも1つをさらに含む、請求項12または13に記載の方法。
【請求項１５】
前記第3のデータの伝送が失敗したと判断した後、前記キャリアセットを使用することによってデータを送信する前記ステップが、具体的に、以下のステップ、すなわち、
前記第1のネットワークノードにより、前記第5のキャリアセットを使用することによってあらかじめ設定された第6の時間期間に従って前記第2のネットワークノードによって再送された前記第4のデータを受信するステップであって、前記第5のキャリアセット内の各キャリアが新しいデータインジケータ（NDI）によって識別され、キャリア上で現在伝送されている前記第4のデータが新しいデータか、もしくは再送されたデータかを示すために前記NDIが使用される、ステップ、または
前記第1のネットワークノードが、前記NACKに従って前記第2のネットワークノードによって返信されたNACK応答を受信するか、もしくは前記あらかじめ設定された時間内にNACK応答を受信しなかった後、前記第1のネットワークノードにより、第7のキャリアセットを使用することによって前記第2のネットワークノードによって再送された前記第4のデータを受信するステップであって、前記第7のキャリアセット内の各キャリアがNDIによって識別され、キャリア上で現在伝送されている前記第4のデータが新しいデータか、もしくは再送されたデータかを示すために前記NDIが使用され、前記第7のキャリアセットが前記第5のキャリアセットの前記第4のデータの伝送に失敗したキャリアセットである、ステップ
のうちの少なくとも1つをさらに含む、請求項12から14のいずれか一項に記載の方法。
【請求項１６】
前記第1の時間期間、前記第2の時間期間、前記第5の時間期間、または前記第6の時間期間が、以下の構成、すなわち、
異なるサービスタイプ構成、
異なるデータ無線ベアラ（DRB）構成、
異なるキャリア構成、
異なるHARQプロセス構成、または
前記RRCシグナリング、前記MACシグナリング、もしくはパケットデータコンバージェンスプロトコル（PDCP）シグナリングの構成
のうちのいずれか1つに従って取得される、請求項8から15のいずれか一項に記載の方法。
【請求項１７】
各キャリアのHARQプロセスが対応する物理ダウンリンク制御チャネル（PDCCH）によってスケジュールされ、各キャリアに対応するHARQプロセス番号および冗長性バージョン番号が前記DCIによって示され、各キャリアが前記PDCCHに一意に対応し、前記DCIが複数のキャリアの指示情報もしくは前記キャリアセットの指示情報を搬送し、
または、
前記共有HARQプロセスが対応する共有PDCCHによってスケジュールされ、各DLキャリアに対応するHARQプロセス番号および冗長性バージョン番号が前記DCIによって示され、前記共有HARQプロセスが前記共有PDCCHに一意に対応し、前記共有HARQプロセスが前記キャリアセットと一対一の対応関係にあり、少なくとも1つの共有HARQプロセスが存在する、請求項2から16のいずれか一項に記載の方法。
【請求項１８】
前記キャリアセットが1つのキャリアを含むとき、前記キャリアが同じデータを伝送するための複数のスケジューリングユニットを含み、または
前記キャリアセットが3つ以上のキャリアを含むとき、前記キャリアセット内の各キャリア上で同じデータが伝送される、請求項1から17のいずれか一項に記載の方法。
【請求項１９】
前記第1のネットワークノードにより、前記キャリアセットを使用することによってデータを受信する前記ステップの後、前記方法が、
前記第1のネットワークノードにより、前記キャリアセットの各キャリアセットを使用することによって伝送されたデータを組み合わせて前記データを取得し、前記データを復号し、復号結果に従って前記第2のネットワークノードに、前記復号結果に対応するシグナリングメッセージを送信するステップ
をさらに含む、請求項1から18のいずれか一項に記載の方法。
【請求項２０】
前記ネットワークノードがユーザ機器（UE）であるとき、前記第1のネットワークノードにより、前記キャリアセットを使用することによってデータおよび／またはシグナリングを受信および／または送信する前記ステップが、具体的に、以下のステップ、すなわち、
前記UEにより、前記少なくとも1つのDLキャリアセットを使用することによってDLデータもしくはDLシグナリングのうちの少なくとも1つを受信するステップ、または
前記UEにより、前記少なくとも1つのULキャリアセットを使用することによってULデータもしくはULシグナリングのうちの少なくとも1つを送信するステップ
のうちの1つを含む、請求項1から19のいずれか一項に記載の方法。
【請求項２１】
キャリアセットとハイブリッド自動再送要求（HARQ）プロセスとの間の第1の対応関係、または前記キャリアセットとHARQエンティティとの間の第2の対応関係のうちの少なくとも1つに従って、前記キャリアセットに対応するHARQプロセスおよび／またはHARQエンティティを決定するように構成された処理モジュールであって、前記キャリアセットが少なくとも1つのアップリンク（UL）キャリアセットまたは少なくとも1つのダウンリンク（DL）キャリアセットのうちの少なくとも1つを含む、処理モジュールと、
前記キャリアセットを使用することによって、前記HARQプロセスおよび／または前記HARQエンティティに従って、データおよび／またはシグナリングを受信および／または送信するように構成された伝送モジュールと
を備えるネットワークノード。
【請求項２２】
前記HARQプロセスが、以下の対応関係、すなわち、第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得され、
前記第3の対応関係が、少なくとも1つのキャリア、少なくとも1つのサブフレーム、およびHARQプロセスの間の対応関係であり、
前記第4の対応関係が、少なくとも1つのキャリア、少なくとも1つのサブフレーム、HARQプロセス、およびHARQエンティティの間の対応関係であり、
前記第5の対応関係が、少なくとも1つのキャリア、データ送信方式、およびHARQプロセスの間の対応関係であり、
前記第6の対応関係が、少なくとも1つのキャリア、データ送信方式、HARQプロセス、およびHARQエンティティの間の対応関係であり、
前記第7の対応関係が、少なくとも1つのキャリア、少なくとも1つの物理リソースブロック（PRB）、少なくとも1つのサブフレーム、およびHARQプロセスの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第9の対応関係が、少なくとも1つのセルインデックス、少なくとも1つのPRB識別子、少なくとも1つの伝送時間間隔（TTI）番号、およびHARQプロセスの間の対応関係であり、
前記第10の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第11の対応関係が、少なくとも1つのキャリア、少なくとも1つのサブフレーム、冗長性バージョン、およびHARQプロセスの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第13の対応関係が、少なくとも1つのキャリア、データ送信方式、冗長性バージョン、およびHARQプロセスの間の対応関係であり、
前記第14の対応関係が、少なくとも1つのキャリア、データ送信方式、冗長性バージョン、HARQプロセス、およびHARQエンティティの間の対応関係であり、
前記第15の対応関係が、少なくとも1つのキャリア、少なくとも1つのPRB、少なくとも1つのサブフレーム、冗長性バージョン、およびHARQプロセスの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第17の対応関係が、少なくとも1つのセルインデックス、前記少なくとも1つのPRBの識別子、少なくとも1つの伝送時間間隔（TTI）番号、冗長性バージョン、およびHARQプロセスの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたは／およびDLキャリアを含む、請求項21に記載のネットワークノード。
【請求項２３】
前記HARQエンティティが、以下の対応関係、すなわち、第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得され、
前記第19の対応関係が、少なくとも1つのキャリア、少なくとも1つのサブフレーム、およびHARQエンティティの間の対応関係であり、
前記第4の対応関係が、少なくとも1つのキャリア、少なくとも1つのサブフレーム、HARQプロセス、およびHARQエンティティの間の対応関係であり、
前記第20の対応関係が、少なくとも1つのキャリア、データ送信方式、およびHARQエンティティの間の対応関係であり、
前記第6の対応関係が、少なくとも1つのキャリア、データ送信方式、HARQプロセス、およびHARQエンティティの間の対応関係であり、
前記第21の対応関係が、少なくとも1つのキャリア、少なくとも1つのPRB、少なくとも1つのサブフレーム、およびHARQエンティティの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第22の対応関係が、少なくとも1つのセルインデックス、少なくとも1つのPRB識別子、少なくとも1つの伝送時間間隔（TTI）番号、およびHARQエンティティの間の対応関係であり、
前記第9の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第23の対応関係が、少なくとも1つのキャリア、少なくとも1つのサブフレーム、冗長性バージョン、およびHARQエンティティの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第24の対応関係が、少なくとも1つのキャリア、データ送信方式、冗長性バージョン、およびHARQエンティティの間の対応関係であり、
前記第14の対応関係が、少なくとも1つのキャリア、データ送信方式、冗長性バージョン、HARQプロセス、およびHARQエンティティの間の対応関係であり、
前記第25の対応関係が、少なくとも1つのキャリア、少なくとも1つのPRB、少なくとも1つのサブフレーム、冗長性バージョン、およびHARQエンティティの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第26の対応関係が、少なくとも1つのセルインデックス、前記少なくとも1つのPRBの識別子、少なくとも1つの伝送時間間隔（TTI）番号、冗長性バージョン、およびHARQエンティティの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたはDLキャリアを含む、請求項21または22に記載のネットワークノード。
【請求項２４】
前記第1の対応関係から第26の対応関係が、第2のネットワークノードによって送信される無線リソース制御（RRC）シグナリング、媒体アクセス制御制御要素（MAC CE）シグナリング、または物理ダウンリンク制御チャネル（PDCCH）シグナリングのうちの少なくとも1つによって示され、
前記第1の対応関係から第26の対応関係が物理ダウンリンク制御チャネル（PDCCH）シグナリングによって示されることが、
前記キャリアセット内の各キャリアのHARQプロセス番号が前記PDCCHシグナリングによって示されること
を含み、前記PDCCHシグナリングが、少なくとも1つのキャリアを示すために使用される指示情報または前記少なくとも1つのキャリアセットを示すために使用される指示情報を搬送する、請求項21から23のいずれか一項に記載のネットワークノード。
【請求項２５】
前記キャリアセットが、同じHARQプロセスを共有する第1のキャリアセットを含み、前記伝送モジュールが、具体的に、以下のこと、すなわち、
前記第1のキャリアセットを使用することによって第1のデータを受信し、前記第1のデータを復号し、第1の復号結果に従って前記第2のネットワークノードに第1のメッセージを送信することであって、前記第1の復号結果が前記復号の成功を示すとき、前記第1のメッセージが肯定応答（ACK）メッセージを含み、または前記第1の復号結果が前記復号の失敗を示すとき、前記第1のメッセージが否定応答（NACK）メッセージを含み、前記第1のメッセージが、以下の方式、すなわち、前記第1のキャリアセット内のいずれかのキャリア、前記第1のキャリアセット内のすべてのキャリア、無線リソース制御（RRC）シグナリングもしくは媒体アクセス制御（MAC）シグナリングに従って事前構成されたキャリア、または前記第1のキャリアセット内の前記第1の復号結果に対応するDLキャリアに対応するULキャリアのうちのいずれか1つで、第1の時間期間内に前記第2のネットワークノードに送信されるシグナリングメッセージである、送信すること、または
前記第1のキャリアセットを使用することによって前記第1のデータを受信し、前記第1のキャリアセット内の各キャリアに対応する前記第1のデータを復号し、第2の復号結果に従って前記第2のネットワークノードに複数の第2のメッセージを送信することであって、前記第2の復号結果が前記復号の成功を示すとき、前記第2のメッセージが前記ACKメッセージを含み、または前記第2の復号結果が前記復号の失敗を示すとき、前記第2のメッセージが前記NACKメッセージを含み、前記第2のメッセージが、前記第1のキャリアセット内の各キャリアに対応し、各キャリア上で記第2のネットワークノードに送信されるシグナリングメッセージ、または前記第2の復号結果に対応し、前記第1のキャリアセット内にあるDLキャリアに対応するULキャリア上で前記第2のネットワークノードに送信されるシグナリングメッセージである、送信すること
のうちの少なくとも1つを実施するように構成される、請求項21から24のいずれか一項に記載のネットワークノード。
【請求項２６】
前記第1のメッセージが、以下の条件、すなわち、
前記第1のキャリアセット内の各キャリア上で受信された前記第1のデータの復号が成功すると、前記第1のメッセージが前記ACKメッセージを含むこと、
前記第1のキャリアセット内のいずれかのキャリア上で受信された前記第1のデータの復号が成功すると、前記第1のメッセージが前記ACKメッセージを含むこと、
前記第1のキャリアセット内の各キャリア上で受信された前記第1のデータの復号が失敗すると、前記第1のメッセージが前記NACKメッセージを含むこと、または
前記第1のキャリアセット内のいずれかのキャリア上で受信された前記第1のデータの復号が失敗すると、前記第1のメッセージが前記NACKメッセージを含むこと
のうちの少なくとも1つを満たす、請求項25に記載のネットワークノード。
【請求項２７】
前記キャリアセットが、同じHARQプロセスを共有する第2のキャリアセットを含み、前記伝送モジュールが、以下のこと、すなわち、
前記第2のキャリアセットを使用することによって前記第2のネットワークノードに第2のデータを送信し、前記第2のキャリアセット内の各キャリアに対応する第3のメッセージを受信した後、前記第3のメッセージが前記第2のキャリアセットに対応するNACKメッセージを含むと判定すると、前記第2のデータの伝送が失敗したと判断し、または前記第3のメッセージが前記第2のキャリアセットに対応するACKメッセージを含むと判定すると、前記第2のデータの伝送が成功したと判断することであって、前記第3のメッセージが、前記第2のキャリアセットに対応し、以下の方式、すなわち、前記第2のキャリアセット内のいずれかのキャリア、前記第2のキャリアセット内のすべてのキャリア、前記RRCシグナリングもしくは前記MACシグナリングに従って事前構成されたキャリア、またはダウンリンク制御情報（DCI）を送信するためのキャリアのうちのいずれか1つで、あらかじめ設定された第2の時間期間内に前記第2のネットワークノードによって前記ネットワークノードに送信されるシグナリングメッセージである、判断すること、または
前記第2のキャリアセットを使用することによって前記第2のネットワークノードに前記第2のデータを送信し、第4のメッセージを受信した後、前記第4のメッセージの各々がACKメッセージを含む場合、前記第2のデータの伝送が成功したと判断し、または前記第4のメッセージのうちのいずれか1つがACKメッセージを含む場合、前記第2のデータの伝送が成功したと判断し、または前記第4のメッセージの各々がNACKメッセージを含む場合、前記第2のデータの伝送が失敗したと判断し、または前記第4のメッセージのうちのいずれか1つがNACKメッセージを含む場合、前記第2のデータの伝送が失敗したと判断し、または前記第4のメッセージのうちのどれも受信されなかった場合、前記第2のデータの伝送が失敗したと判断し、または前記第4のメッセージのうちのいずれか1つが受信されなかった場合、前記第2のデータの伝送が失敗したと判断することであって、前記第4のメッセージが、前記第2のキャリアセット内の各キャリアに対応し、各キャリア上で前記第2のネットワークノードによって前記ネットワークノードに送信されるシグナリングメッセージである、判断すること
のうちの少なくとも1つを実施するようにさらに構成される、請求項21から26のいずれか一項に記載のネットワークノード。
【請求項２８】
前記伝送モジュールが、以下のこと、すなわち、
前記第2のキャリアセットから少なくとも1つのキャリアを選択して、前記第2のデータを再送すること、
前記第3のメッセージもしくは前記第4のメッセージに対応する前記キャリア上で、前記第2のデータを再送する動作を実施すること、
各キャリアに対応する、受信された前記第4のメッセージがNACKメッセージであるとき、前記第2のデータを再送する動作を開始すること、
いずれかのキャリアに対応する、受信された前記第4のメッセージがNACKメッセージであるとき、前記第2のデータを再送する動作を開始すること、
前記第2のキャリアセット内のすべてのキャリアに対応する前記第4のメッセージが受信されないとき、前記第2のデータを再送する動作を開始すること、または
前記第2のキャリアセット内のいずれかのキャリアに対応する前記第4のメッセージが受信されないとき、前記第2のデータを再送する動作を開始すること
のうちの少なくとも1つを実施するようにさらに構成される、請求項27に記載のネットワークノード。
【請求項２９】
前記第2のデータが再送された後、前記処理モジュールが、以下のこと、すなわち、
前記第2のデータが再送された前記キャリアセット内の各キャリアに対応する変数現在伝送番号をカウントすることであって、前記キャリアセット内のすべてのキャリアが変数現在伝送番号と一対一の対応関係にある、カウントすること、または
前記キャリアセット内のすべてのキャリアに対応する変数現在伝送番号をカウントすること
のうちの少なくとも1つをさらに実施し、
前記キャリアセット内のいずれかのキャリア上で前記第2のデータが再送された後、毎回、前の変数現在伝送番号が1だけ増分され、
前記処理モジュールが、以下のこと、すなわち、
前記いずれかのキャリアの変数現在伝送番号があらかじめ設定された最大値に達したと判定すると、HARQバッファをクリアすること、
前記キャリアセット内の各キャリアの変数現在伝送番号があらかじめ設定された最大値に達したと判定すると、前記HARQバッファをクリアすること、または
前記キャリアセット内のすべてのキャリアに対応する前記変数現在伝送番号の各々があらかじめ設定された最大値に達したと判定すると、前記HARQバッファをクリアすること
のうちの少なくとも1つをさらに実施する、請求項21から28のいずれか一項に記載のネットワークノード。
【請求項３０】
前記伝送モジュールが、具体的に、以下のこと、すなわち、
前記第1のキャリアセットを使用することによってあらかじめ設定された第3の時間期間に従って前記第2のネットワークノードによって再送された前記第1のデータを受信することであって、前記第1のキャリアセット内の各キャリアが新しいデータインジケータ（NDI）によって識別され、キャリア上で現在伝送されている前記第1のデータが新しいデータか、もしくは再送されたデータかを示すために前記NDIが使用される、受信すること、または
前記NACKに従って前記第2のネットワークノードによって返信されたNACK応答を受信するか、もしくはあらかじめ設定された時間内にNACK応答を受信しなかった後、前記第3のキャリアセットを使用することによって前記第2のネットワークノードによって再送された前記第1のデータを受信することであって、前記第3のキャリアセット内の各キャリアがNDIによって識別され、キャリア上で現在伝送されている前記第1のデータが新しいデータか、もしくは再送されたデータかを示すために前記NDIが使用され、前記第3のキャリアセットが前記第1のキャリアセットの前記第1のデータの伝送に失敗したキャリアセットである、受信すること
のうちの少なくとも1つを実施するようにさらに構成される、請求項26から29のいずれか一項に記載のネットワークノード。
【請求項３１】
前記伝送モジュールが、具体的に、以下のこと、すなわち、
前記第2のキャリアセットを使用することによってあらかじめ設定された第4の時間期間に従って前記第2のネットワークノードに前記第2のデータを再送することであって、前記第2のキャリアセット内の各キャリアが新しいデータインジケータ（NDI）によって識別され、キャリア上で現在伝送されている前記第2のデータが新しいデータか、もしくは再送されたデータかを示すために前記NDIが使用される、再送すること、または
前記第2のデータの伝送が失敗したと判断した後、第4のキャリアセットを使用することによって前記第2のネットワークノードに前記第2のデータを再送することであって、前記第8のキャリアセット内の各キャリアがNDIによって識別され、キャリア上で現在伝送されている前記第4のデータが新しいデータか、もしくは再送されたデータかを示すために前記NDIが使用され、前記第4のキャリアセットが前記第2のキャリアセットの前記第2のデータの伝送に失敗したULキャリアセットである、再送すること
のうちの少なくとも1つを実施するようにさらに構成される、請求項26から30のいずれか一項に記載のネットワークノード。
【請求項３２】
前記キャリアセットが、同じデータを送信するために使用され、個別のHARQプロセスを使用する第5のキャリアセットを含み、前記伝送モジュールが、具体的に、以下のこと、すなわち、
前記第5のキャリアセットを使用することによって前記第2のネットワークノードに第3のデータを送信し、第5のメッセージを受信した後、前記第5のメッセージが前記第5のキャリアセットに対応するNACKメッセージを含むと判定すると、前記第3のデータの伝送が失敗したと判断し、または前記第5のメッセージが前記第5のキャリアセットに対応するACKメッセージを含むと判定すると、前記第3のデータの伝送が成功したと判断することであって、前記第5のメッセージが、前記第2のキャリアセットに対応し、以下の方式、すなわち、前記第5のキャリアセット内のいずれかのキャリア、前記第5のキャリアセット内のすべてのキャリア、前記RRCシグナリングもしくは前記MACシグナリングに従って事前構成されたキャリア、または前記DCIを送信するためのキャリアのうちのいずれか1つで、あらかじめ設定された第5の時間期間内に前記第2のネットワークノードによって前記ネットワークノードに送信されるシグナリングメッセージである、判断すること、または
前記第5のキャリアセットを使用することによって前記第2のネットワークノードに前記第3のデータを送信し、第6のメッセージを受信した後、前記第6のメッセージが前記第3のデータを送信するために使用された前記第5のキャリアセットに対応するNACKメッセージを含むと判定する場合、前記第3のデータの伝送が失敗したと判断し、または前記第6のメッセージが少なくとも1つのACKメッセージを含むと判定する場合、前記第3のデータの伝送が成功したと判断することであって、前記第6のメッセージが、前記第5のキャリアセット内の各キャリアに対応し、各キャリア上で前記第2のネットワークノードによって前記ネットワークノードに送信されるシグナリングメッセージである、判断すること
のうちの少なくとも1つを実施するようにさらに構成される、請求項21から31のいずれか一項に記載のネットワークノード。
【請求項３３】
前記キャリアセットが、同じデータを送信するために使用され、個別のHARQプロセスを使用する第6のキャリアセットを含み、前記伝送モジュールが、以下のこと、すなわち、
前記第6のキャリアセットを使用することによって第4のデータを受信し、前記第4のデータを復号し、第3の復号結果に従って前記第2のネットワークノードに第7のメッセージを送信することであって、前記第3の復号結果が前記復号の成功を示すとき、前記第7のメッセージが前記ACKメッセージを含み、または前記第3の復号結果が前記復号の失敗を示すとき、前記第7のメッセージが前記NACKメッセージを含み、前記第7のメッセージが、以下の方式、すなわち、前記第6のキャリアセット内のいずれかのキャリア、前記第6のキャリアセット内のすべてのキャリア、前記RRCシグナリングもしくは前記MACシグナリングに従って事前構成されたキャリア、または前記第3の復号結果に対応し、前記第6のキャリアセット内にあるDLキャリアに対応するULキャリアのうちのいずれか1つで、第6の時間期間内に前記第1のネットワークノードによって前記第2のネットワークノードに送信されるシグナリングメッセージである、送信すること、または
前記第6のキャリアセットを使用することによって前記第4のデータを受信し、前記第4のデータを復号し、第4の復号結果に従って前記第2のネットワークノードに第8のメッセージを送信することであって、前記第4の復号結果が前記復号の成功を示すとき、前記第4のメッセージが前記ACKメッセージを含み、または前記第4の復号結果が前記復号の失敗を示すとき、前記第8のメッセージが前記NACKメッセージを含み、前記第8のメッセージが、前記第6のキャリアセット内の各キャリアに対応し、各キャリア上で前記第2のネットワークノードに送信されるシグナリングメッセージ、または前記第4の復号結果に対応し、前記第6のキャリアセット内にあるDLキャリアに対応するULキャリア上で前記第2のネットワークノードに送信されるシグナリングメッセージである、送信すること
のうちの少なくとも1つを実施するようにさらに構成される、請求項21から32のいずれか一項に記載のネットワークノード。
【請求項３４】
前記伝送モジュールが、以下のこと、すなわち、
前記第6のキャリアセットを使用することによってあらかじめ設定された第7の時間期間に従って前記第2のネットワークノードに前記第3のデータを再送することであって、前記第6のキャリアセット内の各キャリアが新しいデータインジケータ（NDI）によって識別され、キャリア上で現在伝送されている前記第3のデータが新しいデータか、もしくは再送されたデータかを示すために前記NDIが使用される、再送すること、または
前記第3のデータの伝送が失敗したと判断した後、第8のキャリアセットを使用することによって前記第2のネットワークノードに前記第3のデータを再送することであって、前記第8のキャリアセット内の各キャリアがNDIによって識別され、キャリア上で現在伝送されている前記第3のデータが新しいデータか、もしくは再送されたデータかを示すために前記NDIが使用され、前記第8のキャリアセットが前記第6のキャリアセットの前記第3のデータの伝送に失敗したキャリアセットである、再送すること
のうちの少なくとも1つを実施するようにさらに構成される、請求項32または33に記載のネットワークノード。
【請求項３５】
前記伝送モジュールが、以下のこと、すなわち、
前記第5のキャリアセットを使用することによってあらかじめ設定された第6の時間期間に従って前記第2のネットワークノードによって再送された前記第4のデータを受信することであって、前記第5のキャリアセット内の各キャリアが新しいデータインジケータ（NDI）によって識別され、キャリア上で現在伝送されている前記第4のデータが新しいデータか、もしくは再送されたデータかを示すために前記NDIが使用される、受信すること、または
前記NACKに従って前記第2のネットワークノードによって返信されたNACK応答を受信するか、もしくは前記あらかじめ設定された時間内にNACK応答を受信しなかった後、第7のキャリアセットを使用することによって前記第2のネットワークノードによって再送された前記第4のデータを受信することであって、前記第7のキャリアセット内の各キャリアがNDIによって識別され、キャリア上で現在伝送されている前記第4のデータが新しいデータか、もしくは再送されたデータかを示すために前記NDIが使用され、前記第7のキャリアセットが前記第5のキャリアセットの前記第4のデータの伝送に失敗したキャリアセットである、受信すること
のうちの少なくとも1つを実施するようにさらに構成される、請求項32から34のいずれか一項に記載のネットワークノード。
【請求項３６】
前記第1の時間期間、前記第2の時間期間、前記第5の時間期間、または前記第6の時間期間が、以下の構成、すなわち、
異なるサービスタイプ構成、
異なるデータ無線ベアラ（DRB）構成、
異なるキャリア構成、
異なるHARQプロセス構成、または
前記RRCシグナリング、前記MACシグナリング、もしくはパケットデータコンバージェンスプロトコル（PDCP）シグナリングの構成
のうちのいずれか1つに従って取得される、請求項28から35のいずれか一項に記載のネットワークノード。
【請求項３７】
各キャリアのHARQプロセスが対応する物理ダウンリンク制御チャネル（PDCCH）によってスケジュールされ、各キャリアに対応するHARQプロセス番号および冗長性バージョン番号が前記DCIによって示され、各キャリアが前記PDCCHに一意に対応し、前記DCIが複数のキャリアの指示情報もしくは前記キャリアセットの指示情報を搬送し、
または、
前記共有HARQプロセスが対応する共有PDCCHによってスケジュールされ、各DLキャリアに対応するHARQプロセス番号および冗長性バージョン番号が前記DCIによって示され、前記共有HARQプロセスが前記共有PDCCHに一意に対応し、前記共有HARQプロセスが前記キャリアセットと一対一の対応関係にあり、少なくとも1つの共有HARQプロセスが存在する、請求項22から36のいずれか一項に記載のネットワークノード。
【請求項３８】
前記キャリアセットが1つのキャリアを含むとき、前記キャリアが同じデータを伝送するための複数のスケジューリングユニットを含み、または
前記キャリアセットが3つ以上のキャリアを含むとき、前記キャリアセット内の各キャリア上で同じデータが伝送される、請求項21から37のいずれか一項に記載のネットワークノード。
【請求項３９】
前記処理モジュールが、
前記伝送モジュールによって、前記キャリアセットの各キャリアセットを使用することによって伝送されたデータを組み合わせて前記データを取得し、前記データを復号するようにさらに構成され、
前記伝送モジュールは、復号結果に従って前記第2のネットワークノードに、前記復号結果に対応するシグナリングメッセージを送信するようにさらに構成される、請求項21から38のいずれか一項に記載のネットワークノード。
【請求項４０】
前記ネットワークノードがユーザ機器（UE）であるとき、前記伝送モジュールが、以下のこと、すなわち、
前記少なくとも1つのDLキャリアセットを使用することによってDLデータもしくはDLシグナリングのうちの少なくとも1つを受信すること、または
前記少なくとも1つのULキャリアセットを使用することによってULデータもしくはULシグナリングのうちの少なくとも1つを送信すること
のうちの1つを実施するようにさらに構成される、請求項21から39のいずれか一項に記載のネットワークノード。
【請求項４１】
請求項21から40のいずれか一項に記載のネットワークノードを備える通信システム。
【発明の詳細な説明】
【技術分野】
【０００１】
本発明は、ワイヤレス通信技術の分野に関し、詳細には、ハイブリッド自動再送要求の管理方法、装置、およびシステムに関する。
【背景技術】
【０００２】
ロングタームエボリューション（LTE、Long Term Evolution）ネットワークのさらなる発展に伴い、ネットワークノードはユーザ機器（UE、User Equipment）にサービスを提供する。ネットワークノードは、アップリンク／ダウンリンクを使用することによってUEと通信する。ネットワークノードは、一般に、無線リソースをスケジュールし、割り振り、UEはキャリア上でネットワークノードからダウンリンク（DL、Downlink）データを受信する。DLデータが受信されるとき、伝送は失敗する傾向があり、伝送効率が下がる。一般に、ハイブリッド自動再送要求（HARQ、Hybrid Automatic Repeat Request）技術は、通信の信頼度を向上し、伝送率を上げるように、前述の問題を解決するために使用される。電気電子技術者協会ワイヤレスメトロポリタンエリアネットワーク規格（IEEE802.16e、Institute of Electrical and Electronics Engineers 802.16e）では、HARQには2つの主なモード：結合追跡（CC、Chase Combing）モードおよび冗長性増加（IR、Incremental Redundancy）モードが存在する。
【０００３】
従来技術では、HARQ管理は、主に以下の部分を含む。
【０００４】
LTEダウンリンクシステムでは非同期適応HARQ技術が使用され、非同期HARQは、再送中のリソース割振り衝突によって引き起こされる性能損失を回避することができる。LTEアップリンクシステムでは同期非適応HARQ技術が使用される。これは主に、複雑なLTEアップリンクおよび別のセルからの干渉の不確実性に起因して、ネットワークノードが各ユーザの信号対干渉比（SINR、Signal to Interference Ratio）値を正確に推定することができないからである。その結果、LTEアップリンク上で不正確な変調およびコーディング方式（MCS）が選択される可能性があり、同期非適応HARQ技術によってもたらされるシグナリングオーバーヘッドの量は比較的小さい。
【０００５】
各キャリアは、ネットワークノードによってのみ個別にスケジュールすることができ、UEは最大5つのキャリアをサポートする。したがって、大量キャリアアグリゲーション（MCA、Massive Carrier Aggregation）において32個のキャリアが導入されると、元のHARQ技術では、ネットワークノードは、複数のキャリアを同時にスケジュールすることができず、複数のキャリア上で同じデータを効果的に伝送することができない。その結果、キャリアの伝送効率は比較的低く、信頼度は高くない。
【発明の概要】
【課題を解決するための手段】
【０００６】
本発明は、基地局が複数のキャリアを同時にスケジュールすることができず、複数のキャリア上で同じデータを効果的に伝送することができないために伝送信頼度が比較的低いという従来技術の問題を解決するために、ハイブリッド自動再送要求の管理方法を提供する。
【０００７】
本発明の第1の態様は、ハイブリッド自動再送要求の管理方法を提供し、方法は、
第1のネットワークノードにより、キャリアセットとハイブリッド自動再送要求HARQプロセスとの間の第1の対応関係、またはキャリアセットとHARQエンティティとの間の第2の対応関係のうちの少なくとも1つに従って、キャリアセットに対応するHARQプロセスおよび／またはHARQエンティティを決定することであって、キャリアセットが少なくとも1つのアップリンクULキャリアセットまたは少なくとも1つのダウンリンクDLキャリアセットのうちの少なくとも1つを含む、決定することと、
第1のネットワークノードにより、キャリアセットを使用することによりHARQプロセスおよび／またはHARQエンティティに従って、データおよび／またはシグナリングを受信および／または送信することと
を含む。
【０００８】
第1の態様を参照して、本発明の第1の態様の第1の可能な実装形態では、HARQプロセスは、以下の対応関係：第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得され、
第3の対応関係は、少なくとも1つのキャリア、少なくとも1つのサブフレーム、およびHARQプロセスの間の対応関係であり、
第4の対応関係は、少なくとも1つのキャリア、少なくとも1つのサブフレーム、HARQプロセス、およびHARQエンティティの間の対応関係であり、
第5の対応関係は、少なくとも1つのキャリア、データ送信方式、およびHARQプロセスの間の対応関係であり、
第6の対応関係は、少なくとも1つのキャリア、データ送信方式、HARQプロセス、およびHARQエンティティの間の対応関係であり、
第7の対応関係は、少なくとも1つのキャリア、少なくとも1つの物理リソースブロックPRB、少なくとも1つのサブフレーム、およびHARQプロセスの間の対応関係であり、
第8の対応関係は、少なくとも1つのキャリア、少なくとも1つのPRB、少なくとも1つのサブフレーム、HARQプロセス、およびHARQエンティティの間の対応関係であり、
第9の対応関係は、少なくとも1つのセルインデックス、少なくとも1つのPRB識別子、少なくとも1つの伝送時間間隔TTI番号、およびHARQプロセスの間の対応関係であり、
第10の対応関係は、少なくとも1つのセルインデックス、少なくとも1つのPRB識別子、少なくとも1つの伝送時間間隔TTI番号、HARQプロセス、およびHARQエンティティの間の対応関係であり、
第11の対応関係は、少なくとも1つのキャリア、少なくとも1つのサブフレーム、冗長性バージョン、およびHARQプロセスの間の対応関係であり、
第12の対応関係は、少なくとも1つのキャリア、少なくとも1つのサブフレーム、冗長性バージョン、HARQプロセス、およびHARQエンティティの間の対応関係であり、
第13の対応関係は、少なくとも1つのキャリア、データ送信方式、冗長性バージョン、およびHARQプロセスの間の対応関係であり、
第14の対応関係は、少なくとも1つのキャリア、データ送信方式、冗長性バージョン、HARQプロセス、およびHARQエンティティの間の対応関係であり、
第15の対応関係は、少なくとも1つのキャリア、少なくとも1つのPRB、少なくとも1つのサブフレーム、冗長性バージョン、およびHARQプロセスの間の対応関係であり、
第16の対応関係は、少なくとも1つのキャリア、少なくとも1つのPRB、少なくとも1つのサブフレーム、冗長性バージョン、HARQプロセス、およびHARQエンティティの間の対応関係であり、
第17の対応関係は、少なくとも1つのセルインデックス、少なくとも1つのPRBの識別子、少なくとも1つの伝送時間間隔TTI番号、冗長性バージョン、およびHARQプロセスの間の対応関係であり、
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係であり、
キャリアはULキャリアまたは／およびDLキャリアを含む。
【０００９】
第1の態様または第1の態様の第1の可能な実装形態を参照して、本発明の第1の態様の第2の可能な実装形態では、HARQエンティティは、以下の対応関係：第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得され、
第19の対応関係は、少なくとも1つのキャリア、少なくとも1つのサブフレーム、およびHARQエンティティの間の対応関係であり、
第4の対応関係は、少なくとも1つのキャリア、少なくとも1つのサブフレーム、HARQプロセス、およびHARQエンティティの間の対応関係であり、
第20の対応関係は、少なくとも1つのキャリア、データ送信方式、およびHARQエンティティの間の対応関係であり、
第6の対応関係は、少なくとも1つのキャリア、データ送信方式、HARQプロセス、およびHARQエンティティの間の対応関係であり、
第21の対応関係は、少なくとも1つのキャリア、少なくとも1つのPRB、少なくとも1つのサブフレーム、およびHARQエンティティの間の対応関係であり、
第8の対応関係は、少なくとも1つのキャリア、少なくとも1つのPRB、少なくとも1つのサブフレーム、HARQプロセス、およびHARQエンティティの間の対応関係であり、
第22の対応関係は、少なくとも1つのセルインデックス、少なくとも1つのPRB識別子、少なくとも1つの伝送時間間隔TTI番号、およびHARQエンティティの間の対応関係であり、
第9の対応関係は、少なくとも1つのセルインデックス、少なくとも1つのPRB識別子、少なくとも1つの伝送時間間隔TTI番号、HARQプロセス、およびHARQエンティティの間の対応関係であり、
第23の対応関係は、少なくとも1つのキャリア、少なくとも1つのサブフレーム、冗長性バージョン、およびHARQエンティティの間の対応関係であり、
第12の対応関係は、少なくとも1つのキャリア、少なくとも1つのサブフレーム、冗長性バージョン、HARQプロセス、およびHARQエンティティの間の対応関係であり、
第24の対応関係は、少なくとも1つのキャリア、データ送信方式、冗長性バージョン、およびHARQエンティティの間の対応関係であり、
第14の対応関係は、少なくとも1つのキャリア、データ送信方式、冗長性バージョン、HARQプロセス、およびHARQエンティティの間の対応関係であり、
第25の対応関係は、少なくとも1つのキャリア、少なくとも1つのPRB、少なくとも1つのサブフレーム、冗長性バージョン、およびHARQエンティティの間の対応関係であり、
第16の対応関係は、少なくとも1つのキャリア、少なくとも1つのPRB、少なくとも1つのサブフレーム、冗長性バージョン、HARQプロセス、およびHARQエンティティの間の対応関係であり、
第26の対応関係は、少なくとも1つのセルインデックス、少なくとも1つのPRBの識別子、少なくとも1つの伝送時間間隔TTI番号、冗長性バージョン、およびHARQエンティティの間の対応関係であり、
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係であり、
キャリアはULキャリアまたはDLキャリアを含む。
【００１０】
第1の態様または第1の態様の第1もしくは第2の可能な実装形態のうちのいずれか1つを参照して、本発明の第1の態様の第3の可能な実装形態では、第1の対応関係から第26の対応関係は、第2のネットワークノードによって送信される無線リソース制御RRCシグナリング、媒体アクセス制御制御要素MAC CEシグナリング、または物理ダウンリンク制御チャネルPDCCHシグナリングのうちの少なくとも1つによって示され、
第1の対応関係から第26の対応関係が物理ダウンリンク制御チャネルPDCCHシグナリングによって示されることは、
キャリアセット内の各キャリアのHARQプロセス番号がPDCCHシグナリングによって示されること
を含み、PDCCHシグナリングは、少なくとも1つのキャリアを示すために使用される指示情報または少なくとも1つのキャリアセットを示すために使用される指示情報を搬送する。
【００１１】
第1の態様または第1の態様の第1から第3の可能な実装形態のうちのいずれか1つを参照して、本発明の第1の態様の第4の可能な実装形態では、キャリアセットは、同じHARQプロセスを共有する第1のキャリアセットを含み、キャリアセットを使用することによりデータを受信しシグナリングを送信することは、以下のステップ：
第1のネットワークノードにより、第1のキャリアセットを使用することにより第1のデータを受信し、第1のデータを復号して復号結果を取得し、第1の復号結果に従って第2のネットワークノードに第1のメッセージを送信することであって、第1の復号結果が復号の成功を示すとき、第1のメッセージが肯定応答ACKメッセージを含み、または第1の復号結果が復号の失敗を示すとき、第1のメッセージが否定応答NACKメッセージを含み、第1のメッセージが、以下の方式：第1のキャリアセット内のいずれかのキャリア、第1のキャリアセット内のすべてのキャリア、無線リソース制御RRCシグナリングもしくは媒体アクセス制御MACシグナリングに従って事前構成されたキャリア、または第1のキャリアセット内の第1の復号結果に対応するDLキャリアに対応するULキャリアのうちのいずれか1つで、第1の時間期間内に第1のネットワークノードにより第2のネットワークノードに送信されるシグナリングメッセージである、送信すること、あるいは
第1のネットワークノードにより、第1のキャリアセットを使用することにより第1のデータを受信し、第1のキャリアセット内の各キャリアに対応する第1のデータを復号して各キャリアに対応する復号結果を取得し、第2の復号結果に従って第2のネットワークノードに複数の第2のメッセージを送信することであって、第2の復号結果が復号の成功を示すとき、第2のメッセージがACKメッセージを含み、または第2の復号結果が復号の失敗を示すとき、第2のメッセージがNACKメッセージを含み、第2のメッセージが、第1のキャリアセット内の各キャリアに対応し、各キャリア上で第1のネットワークノードにより第2のネットワークノードに送信されるシグナリングメッセージ、または第2の復号結果に対応し、第1のキャリアセット内にあるDLキャリアに対応するULキャリア上で第2のネットワークノードに送信されるシグナリングメッセージである、送信すること
のうちの少なくとも1つを含む。
【００１２】
第1の態様の第4の可能な実装形態を参照して、本発明の第1の態様の第5の可能な実装形態では、第2のネットワークノード向けの第1のメッセージは、以下の条件：
第1のネットワークノードが第1のキャリアセット内の各キャリア上で受信された第1のデータの復号に成功すると、第1のメッセージはACKメッセージを含むこと、
第1のネットワークノードが第1のキャリアセット内のいずれかのキャリア上で受信された第1のデータの復号に成功すると、第1のメッセージはACKメッセージを含むこと、
第1のネットワークノードが第1のキャリアセット内の各キャリア上で受信された第1のデータの復号に失敗すると、第1のメッセージはNACKメッセージを含むこと、または
第1のネットワークノードが第1のキャリアセット内のいずれかのキャリア上で受信された第1のデータの復号に失敗すると、第1のメッセージはNACKメッセージを含むこと
のうちの少なくとも1つを満たす。
【００１３】
第1の態様または第1の態様の第1から第5の可能な実装形態のうちのいずれか1つを参照して、本発明の第1の態様の第6の可能な実装形態では、キャリアセットは、同じHARQプロセスを共有する第2のキャリアセットを含み、キャリアセットを使用することによりデータを送信しシグナリングを受信することは、以下のステップ：
第1のネットワークノードにより、第2のキャリアセットを使用することにより第2のネットワークノードに第2のデータを送信し、第3のメッセージを受信した後、第3のメッセージが第2のキャリアセットに対応するNACKメッセージを含むと判定すると、第2のデータの伝送が失敗したと判断し、または第3のメッセージが第2のキャリアセットに対応するACKメッセージを含むと判定すると、第2のデータの伝送が成功したと判断することであって、第3のメッセージが、第2のキャリアセットに対応し、以下の方式：第2のキャリアセット内のいずれかのキャリア、第2のキャリアセット内のすべてのキャリア、RRCシグナリングもしくはMACシグナリングに従って事前構成されたキャリア、またはダウンリンク制御情報DCIを送信するためのキャリアのうちのいずれか1つで、あらかじめ設定された第2の時間期間内に第2のネットワークノードにより第1のネットワークノードに送信されるシグナリングメッセージである、判断すること、あるいは
第1のネットワークノードにより、第2のキャリアセットを使用することにより第2のネットワークノードに第2のデータを送信し、第2のキャリアセット内のすべてのキャリアに対応する第4のメッセージを受信した後、第4のメッセージの各々がACKメッセージを含む場合、第2のデータの伝送が成功したと判断し、または第4のメッセージのうちのいずれか1つがACKメッセージを含む場合、第2のデータの伝送が成功したと判断し、または第4のメッセージの各々がNACKメッセージを含む場合、第2のデータの伝送が失敗したと判断し、または第4のメッセージのうちのいずれか1つがNACKメッセージを含む場合、第2のデータの伝送が失敗したと判断し、または第4のメッセージのうちのどれも受信されなかった場合、第2のデータの伝送が失敗したと判断し、または第4のメッセージのうちのいずれか1つが受信されなかった場合、第2のデータの伝送が失敗したと判断することであって、第4のメッセージが、第2のキャリアセット内の各キャリアに対応し、各キャリア上で第2のネットワークノードにより第1のネットワークノードに送信されるシグナリングメッセージである、判断すること
のうちの少なくとも1つを含む。
【００１４】
第1の態様の第6の可能な実装形態を参照して、本発明の第1の態様の第7の可能な実装形態では、第1のネットワークノードにより、第2のキャリアセットを使用することにより第2のネットワークノードに第2のデータを送信した後、第1のネットワークノードにより、キャリアセットを使用することによりデータを送信することは、具体的に、以下の
第1のネットワークノードにより、第2のデータを再送するために、第2のキャリアセットから少なくとも1つのキャリアを選択すること、
第1のネットワークノードにより、第3のメッセージもしくは第4のメッセージに対応するキャリア上で、第2のデータを再送する動作を実施すること、
各キャリアに対応し、第1のネットワークノードによって受信された第4のメッセージがNACKメッセージであるとき、第2のデータを再送する動作を開始すること、
いずれかのキャリアに対応し、第1のネットワークノードによって受信された第4のメッセージがNACKメッセージであるとき、第2のデータを再送する動作を開始すること、
第1のネットワークノードが第2のキャリアセット内のすべてのキャリアに対応する第4のメッセージを受信しないとき、第2のデータを再送する動作を開始すること、または
第1のネットワークノードが第2のキャリアセット内のいずれかのキャリアに対応する第4のメッセージを受信しないとき、第2のデータを再送する動作を開始すること
のうちの少なくとも1つを含む。
【００１５】
第1の態様または第1の態様の第1から第7の可能な実装形態のうちのいずれか1つを参照して、本発明の第1の態様の第8の可能な実装形態では、第2のデータが再送された後、方法は、
第1のネットワークノードにより、第2のデータが再送されたキャリアセット内の各キャリアに対応する変数現在伝送番号をカウントすることであって、キャリアセット内のすべてのキャリアが変数現在伝送番号と一対一の対応関係にある、カウントすること、または
第1のネットワークノードにより、キャリアセット内のすべてのキャリアに対応する変数現在伝送番号をカウントすること
をさらに含み、
第1のネットワークノードがキャリアセット内のいずれかのキャリア上で第2のデータを送信した後、毎回前の変数現在伝送番号が1だけ増分され、
第1のネットワークノードは、以下のステップ：
第1のネットワークノードにより、いずれかのキャリアの変数現在伝送番号があらかじめ設定された最大値に達したと判定すると、HARQバッファをクリアすること、
第1のネットワークノードにより、キャリアセット内の各キャリアの変数現在伝送番号があらかじめ設定された最大値に達したと判定すると、HARQバッファをクリアすること、または
第1のネットワークノードにより、キャリアセット内のすべてのキャリアに対応する変数現在伝送番号の各々があらかじめ設定された最大値に達したと判定すると、HARQバッファをクリアすること
のうちの少なくとも1つをさらに実施する。
【００１６】
第1の態様の第5から第8の可能な実装形態のうちのいずれか1つを参照して、本発明の第1の態様の第9の可能な実装形態では、第1の復号結果に従って第2のネットワークノードに第1のメッセージを送信した後、または第2の復号結果に従って第2のネットワークノードに第2のメッセージを送信した後、キャリアセットを使用することによりデータを受信することは、具体的に、以下のステップ：
第1のネットワークノードにより、第1のキャリアセットを使用することによりあらかじめ設定された第3の時間期間に従って第2のネットワークノードによって再送された第1のデータを受信することであって、場合によっては、第1のキャリアセット内の各キャリアが新しいデータインジケータNDIによって識別され、キャリア上で現在伝送されている第1のデータが新しいデータか、もしくは再送されたデータかを示すためにNDIが使用される、受信すること、または
NACKに従って第2のネットワークノードによって返信されたNACK応答を受信するか、もしくはあらかじめ設定された時間内にNACK応答を受信しなかった後、第1のネットワークノードにより、第3のキャリアセットを使用することにより第2のネットワークノードによって再送された第1のデータを受信することであって、場合によっては、第3のキャリアセット内の各キャリアがNDIによって識別され、キャリア上で現在伝送されている第1のデータが新しいデータか、もしくは再送されたデータかを示すためにNDIが使用され、第3のキャリアセットが第1のキャリアセットの第1のデータの伝送に失敗したキャリアセットである、受信すること
のうちの少なくとも1つをさらに含む。
【００１７】
第1の態様の第5から第9の可能な実装形態を参照して、本発明の第1の態様の第10の可能な実装形態では、第1のネットワークノードにより、第2のキャリアセットを使用することにより第2のネットワークノードに第2のデータを送信した後、キャリアセットを使用することによりデータを送信することは、具体的に、以下のステップ：
第1のネットワークノードにより、第2のキャリアセットを使用することによりあらかじめ設定された第4の時間期間に従って第2のネットワークノードに第2のデータを再送することであって、場合によっては、第2のキャリアセット内の各キャリアが新しいデータインジケータNDIによって識別され、キャリア上で現在伝送されている第2のデータが新しいデータか、もしくは再送されたデータかを示すためにNDIが使用される、再送すること、または
第2のデータの伝送が失敗したと判断した後、第1のネットワークノードにより、第4のキャリアセットを使用することにより第2のネットワークノードに第2のデータを再送することであって、場合によっては、第8のキャリアセット内の各キャリアがNDIによって識別され、キャリア上で現在伝送されている第4のデータが新しいデータか、もしくは再送されたデータかを示すためにNDIが使用され、第4のキャリアセットが第2のキャリアセットの第2のデータの伝送に失敗したULキャリアセットである、再送すること
のうちの少なくとも1つをさらに含む。
【００１８】
第1の態様または第1の態様の第1から第10の可能な実装形態のうちのいずれか1つを参照して、本発明の第1の態様の第11の可能な実装形態では、キャリアセットは、同じデータを送信するために使用され、個別のHARQプロセスを使用する第5のキャリアセットを含み、キャリアセットを使用することによりシグナリングを受信しデータを送信することは、具体的に、以下のステップ：
第1のネットワークノードにより、第5のキャリアセットを使用することにより第2のネットワークノードに第3のデータを送信し、第5のメッセージを受信した後、第5のメッセージが第5のキャリアセットに対応するNACKメッセージを含むと判定すると、第3のデータの伝送が失敗したと判断し、または第5のメッセージが第5のキャリアセットに対応するACKメッセージを含むと判定すると、第3のデータの伝送が成功したと判断することであって、第5のメッセージが、第2のキャリアセットに対応し、以下の方式：第5のキャリアセット内のいずれかのキャリア、第5のキャリアセット内のすべてのキャリア、RRCシグナリングもしくはMACシグナリングに従って事前構成されたキャリア、またはDCIを送信するためのキャリアのうちのいずれか1つで、あらかじめ設定された第5の時間期間内に第2のネットワークノードにより第1のネットワークノードに送信されるシグナリングメッセージである、判断すること、あるいは
第1のネットワークノードにより、第5のキャリアセットを使用することにより第2のネットワークノードに第3のデータを送信し、第6のメッセージを受信した後、第6のメッセージが第3のデータを送信するために使用された第5のキャリアセットに対応するNACKメッセージを含むと判定する場合、第3のデータの伝送が失敗したと判断し、または第6のメッセージが少なくとも1つのACKメッセージを含むと判定する場合、第3のデータの伝送が成功したと判断することであって、第6のメッセージが、第5のキャリアセット内の各キャリアに対応し、各キャリア上で第2のネットワークノードにより第1のネットワークノードに送信されるシグナリングメッセージである、判断すること
のうちの少なくとも1つを含む。
【００１９】
第1の態様または第1の態様の第1から第11の可能な実装形態のうちのいずれか1つを参照して、本発明の第1の態様の第12の可能な実装形態では、キャリアセットは、同じデータを送信するために使用され、個別のHARQプロセスを使用する第6のキャリアセットを含み、キャリアセットを使用することによりデータを受信しシグナリングを送信することは、以下のステップ：
第1のネットワークノードにより、第6のキャリアセットを使用することにより第4のデータを受信し、第4のデータを復号し、第3の復号結果に従って第2のネットワークノードに第7のメッセージを送信することであって、第3の復号結果が復号の成功を示すとき、第7のメッセージがACKメッセージを含み、または第3の復号結果が復号の失敗を示すとき、第7のメッセージがNACKメッセージを含み、第7のメッセージが、以下の方式：第6のキャリアセット内のいずれかのキャリア、第6のキャリアセット内のすべてのキャリア、RRCシグナリングもしくはMACシグナリングに従って事前構成されたキャリア、または第3の復号結果に対応し、第6のキャリアセット内にあるDLキャリアに対応するULキャリアのうちのいずれか1つで、第6の時間期間内に第1のネットワークノードにより第2のネットワークノードに送信されるシグナリングメッセージである、送信すること、あるいは
第1のネットワークノードにより、第6のキャリアセットを使用することにより第4のデータを受信し、第4のデータを復号し、第4の復号結果に従って第2のネットワークノードに第8のメッセージを送信することであって、第4の復号結果が復号の成功を示すとき、第4のメッセージがACKメッセージを含み、または第4の復号結果が復号の失敗を示すとき、第8のメッセージがNACKメッセージを含み、第8のメッセージが、第6のキャリアセット内の各キャリアに対応し、各キャリア上で第1のネットワークノードにより第2のネットワークノードに送信されるシグナリングメッセージ、または第4の復号結果に対応し、第6のキャリアセット内にあるDLキャリアに対応するULキャリア上で第2のネットワークノードに送信されるシグナリングメッセージである、送信すること
のうちの少なくとも1つを含む。
【００２０】
第1の態様または第1の態様の第1から第12の可能な実装形態のうちのいずれか1つを参照して、本発明の第1の態様の第13の可能な実装形態では、第3の復号結果に従って第2のネットワークノードに第7のメッセージを送信した後、または第4の復号結果に従って第2のネットワークノードに第8のメッセージを送信した後、キャリアセットを使用することによりデータを受信することは、具体的に、以下のステップ：
第1のネットワークノードにより、第6のキャリアセットを使用することによりあらかじめ設定された第7の時間期間に従って第2のネットワークノードに第3のデータを再送することであって、場合によっては、第6のキャリアセット内の各キャリアが新しいデータインジケータNDIによって識別され、キャリア上で現在伝送されている第3のデータが新しいデータか、もしくは再送されたデータかを示すためにNDIが使用される、再送すること、または
第3のデータの伝送が失敗したと判断した後、第1のネットワークノードにより、第8のキャリアセットを使用することにより第2のネットワークノードに第3のデータを再送することであって、場合によっては、第8のキャリアセット内の各キャリアがNDIによって識別され、キャリア上で現在伝送されている第3のデータが新しいデータか、もしくは再送されたデータかを示すためにNDIが使用され、第8のキャリアセットが第6のキャリアセットの第3のデータの伝送に失敗したキャリアセットである、再送すること
のうちの少なくとも1つをさらに含む。
【００２１】
第1の態様または第1の態様の第1から第13の可能な実装形態のうちのいずれか1つを参照して、本発明の第1の態様の第14の可能な実装形態では、第3のデータの伝送が失敗したと判断した後、キャリアセットを使用することによりデータを送信することは、具体的に、以下のステップ：
第1のネットワークノードにより、第5のキャリアセットを使用することによりあらかじめ設定された第6の時間期間に従って第2のネットワークノードによって再送された第4のデータを受信することであって、場合によっては、第5のキャリアセット内の各キャリアが新しいデータインジケータNDIによって識別され、キャリア上で現在伝送されている第4のデータが新しいデータか、もしくは再送されたデータかを示すためにNDIが使用される、受信すること、または
第1のネットワークノードが、NACKに従って第2のネットワークノードによって返信されたNACK応答を受信するか、もしくはあらかじめ設定された時間内にNACK応答を受信しなかった後、第1のネットワークノードにより、第7のキャリアセットを使用することにより第2のネットワークノードによって再送された第4のデータを受信することであって、場合によっては、第7のキャリアセット内の各キャリアがNDIによって識別され、キャリア上で現在伝送されている第4のデータが新しいデータか、もしくは再送されたデータかを示すためにNDIが使用され、第7のキャリアセットが第5のキャリアセットの第4のデータの伝送に失敗したキャリアセットである、受信すること
のうちの少なくとも1つをさらに含む。
【００２２】
第1の態様の第7から第14の可能な実装形態のうちのいずれか1つを参照して、本発明の第1の態様の第15の可能な実装形態では、第1の時間期間、第2の時間期間、第5の時間期間、または第6の時間期間は、以下の
異なるサービスタイプ構成、
異なるデータ無線ベアラDRB構成、
異なるキャリア構成、
異なるHARQプロセス構成、または
RRCシグナリング、MACシグナリング、もしくはパケットデータコンバージェンスプロトコルPDCPシグナリングの構成
のうちのいずれか1つに従って取得される。
【００２３】
第1の態様または第1の態様の第1から第15の可能な実装形態のうちのいずれか1つを参照して、本発明の第1の態様の第16の可能な実装形態では、各キャリアのHARQプロセスは対応する物理ダウンリンク制御チャネルPDCCHによってスケジュールされ、各キャリアに対応するHARQプロセス番号および冗長性バージョン番号はDCIによって示され、各キャリアはPDCCHに一意に対応し、DCIは複数のキャリアの指示情報もしくはキャリアセットの指示情報を搬送し、
または、
共有HARQプロセスは対応する共有PDCCHによってスケジュールされ、各DLキャリアに対応するHARQプロセス番号および冗長性バージョン番号はDCIによって示され、共有HARQプロセスは共有PDCCHに一意に対応し、共有HARQプロセスはキャリアセットと一対一の対応関係にあり、少なくとも1つの共有HARQプロセスが存在する。
【００２４】
第1の態様または第1の態様の第1から第16の可能な実装形態のうちのいずれか1つを参照して、本発明の第1の態様の第17の可能な実装形態では、キャリアセットが1つのキャリアを含むとき、キャリアは同じデータを伝送するための複数のスケジューリングユニットを含み、または
キャリアセットが3つ以上のキャリアを含むとき、キャリアセット内の各キャリア上で同じデータが伝送される。
【００２５】
場合によっては、第1から第17のオプション実施形態のうちのいずれか1つに基づいて、本発明の実施形態の第18のオプション実施形態では、第1のネットワークノードにより、キャリアセットを使用することによりデータを受信した後、方法は、
第1のネットワークノードにより、キャリアセットの各キャリアセットを使用することによって伝送されたデータを組み合わせてデータを取得し、データを復号し、復号結果に従って第2のネットワークノードに、復号結果に対応するシグナリングメッセージを送信すること
をさらに含む。
【００２６】
第1の態様または第1の態様の第1から第18の可能な実装形態のうちのいずれか1つを参照して、本発明の第1の態様の第19の可能な実装形態では、第1のネットワークノードがユーザ機器UEであるとき、第1のネットワークノードにより、キャリアセットを使用することによりデータおよび／またはシグナリングを受信および／または送信することは、具体的に、以下のステップ：
UEにより、少なくとも1つのDLキャリアセットを使用することによりDLデータもしくはDLシグナリングのうちの少なくとも1つを受信すること、または
UEにより、少なくとも1つのULキャリアセットを使用することによりULデータもしくはULシグナリングのうちの少なくとも1つを送信すること
のうちの1つを含む。
【００２７】
本発明の第2の態様は、ネットワークノードを提供し、ネットワークノードは、
キャリアセットとハイブリッド自動再送要求HARQプロセスとの間の第1の対応関係、またはキャリアセットとHARQエンティティとの間の第2の対応関係のうちの少なくとも1つに従って、キャリアセットに対応するHARQプロセスおよび／またはHARQエンティティを決定するように構成された処理モジュールであって、キャリアセットが少なくとも1つのアップリンクULキャリアセットまたは少なくとも1つのダウンリンクDLキャリアセットのうちの少なくとも1つを含む、処理モジュールと、
キャリアセットを使用することによりHARQプロセスおよび／またはHARQエンティティに従って、データおよび／またはシグナリングを受信および／または送信するように構成された伝送モジュールと
を含む。
【００２８】
第2の態様を参照して、本発明の第2の態様の第1の実装形態では、HARQプロセスは、以下の対応関係：第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得され、
第3の対応関係は、少なくとも1つのキャリア、少なくとも1つのサブフレーム、およびHARQプロセスの間の対応関係であり、
第4の対応関係は、少なくとも1つのキャリア、少なくとも1つのサブフレーム、HARQプロセス、およびHARQエンティティの間の対応関係であり、
第5の対応関係は、少なくとも1つのキャリア、データ送信方式、およびHARQプロセスの間の対応関係であり、
第6の対応関係は、少なくとも1つのキャリア、データ送信方式、HARQプロセス、およびHARQエンティティの間の対応関係であり、
第7の対応関係は、少なくとも1つのキャリア、少なくとも1つの物理リソースブロックPRB、少なくとも1つのサブフレーム、およびHARQプロセスの間の対応関係であり、
第8の対応関係は、少なくとも1つのキャリア、少なくとも1つのPRB、少なくとも1つのサブフレーム、HARQプロセス、およびHARQエンティティの間の対応関係であり、
第9の対応関係は、少なくとも1つのセルインデックス、少なくとも1つのPRB識別子、少なくとも1つの伝送時間間隔TTI番号、およびHARQプロセスの間の対応関係であり、
第10の対応関係は、少なくとも1つのセルインデックス、少なくとも1つのPRB識別子、少なくとも1つの伝送時間間隔TTI番号、HARQプロセス、およびHARQエンティティの間の対応関係であり、
第11の対応関係は、少なくとも1つのキャリア、少なくとも1つのサブフレーム、冗長性バージョン、およびHARQプロセスの間の対応関係であり、
第12の対応関係は、少なくとも1つのキャリア、少なくとも1つのサブフレーム、冗長性バージョン、HARQプロセス、およびHARQエンティティの間の対応関係であり、
第13の対応関係は、少なくとも1つのキャリア、データ送信方式、冗長性バージョン、およびHARQプロセスの間の対応関係であり、
第14の対応関係は、少なくとも1つのキャリア、データ送信方式、冗長性バージョン、HARQプロセス、およびHARQエンティティの間の対応関係であり、
第15の対応関係は、少なくとも1つのキャリア、少なくとも1つのPRB、少なくとも1つのサブフレーム、冗長性バージョン、およびHARQプロセスの間の対応関係であり、
第16の対応関係は、少なくとも1つのキャリア、少なくとも1つのPRB、少なくとも1つのサブフレーム、冗長性バージョン、HARQプロセス、およびHARQエンティティの間の対応関係であり、
第17の対応関係は、少なくとも1つのセルインデックス、少なくとも1つのPRBの識別子、少なくとも1つの伝送時間間隔TTI番号、冗長性バージョン、およびHARQプロセスの間の対応関係であり、
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係であり、
キャリアはULキャリアまたは／およびDLキャリアを含む。
【００２９】
第2の態様または第1の実装形態を参照して、本発明の第2の態様の第2の実装形態では、HARQエンティティは、以下の対応関係：第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得され、
第19の対応関係は、少なくとも1つのキャリア、少なくとも1つのサブフレーム、およびHARQエンティティの間の対応関係であり、
第4の対応関係は、少なくとも1つのキャリア、少なくとも1つのサブフレーム、HARQプロセス、およびHARQエンティティの間の対応関係であり、
第20の対応関係は、少なくとも1つのキャリア、データ送信方式、およびHARQエンティティの間の対応関係であり、
第6の対応関係は、少なくとも1つのキャリア、データ送信方式、HARQプロセス、およびHARQエンティティの間の対応関係であり、
第21の対応関係は、少なくとも1つのキャリア、少なくとも1つのPRB、少なくとも1つのサブフレーム、およびHARQエンティティの間の対応関係であり、
第8の対応関係は、少なくとも1つのキャリア、少なくとも1つのPRB、少なくとも1つのサブフレーム、HARQプロセス、およびHARQエンティティの間の対応関係であり、
第22の対応関係は、少なくとも1つのセルインデックス、少なくとも1つのPRB識別子、少なくとも1つの伝送時間間隔TTI番号、およびHARQエンティティの間の対応関係であり、
第9の対応関係は、少なくとも1つのセルインデックス、少なくとも1つのPRB識別子、少なくとも1つの伝送時間間隔TTI番号、HARQプロセス、およびHARQエンティティの間の対応関係であり、
第23の対応関係は、少なくとも1つのキャリア、少なくとも1つのサブフレーム、冗長性バージョン、およびHARQエンティティの間の対応関係であり、
第12の対応関係は、少なくとも1つのキャリア、少なくとも1つのサブフレーム、冗長性バージョン、HARQプロセス、およびHARQエンティティの間の対応関係であり、
第24の対応関係は、少なくとも1つのキャリア、データ送信方式、冗長性バージョン、およびHARQエンティティの間の対応関係であり、
第14の対応関係は、少なくとも1つのキャリア、データ送信方式、冗長性バージョン、HARQプロセス、およびHARQエンティティの間の対応関係であり、
第25の対応関係は、少なくとも1つのキャリア、少なくとも1つのPRB、少なくとも1つのサブフレーム、冗長性バージョン、およびHARQエンティティの間の対応関係であり、
第16の対応関係は、少なくとも1つのキャリア、少なくとも1つのPRB、少なくとも1つのサブフレーム、冗長性バージョン、HARQプロセス、およびHARQエンティティの間の対応関係であり、
第26の対応関係は、少なくとも1つのセルインデックス、少なくとも1つのPRBの識別子、少なくとも1つの伝送時間間隔TTI番号、冗長性バージョン、およびHARQエンティティの間の対応関係であり、
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係であり、
キャリアはULキャリアまたはDLキャリアを含む。
【００３０】
第2の態様または第2の態様の第1もしくは第2の実装形態のうちのいずれか1つを参照して、本発明の第2の態様の第3の実装形態では、第1の対応関係から第26の対応関係は、第2のネットワークノードによって送信される無線リソース制御RRCシグナリング、媒体アクセス制御制御要素MAC CEシグナリング、または物理ダウンリンク制御チャネルPDCCHシグナリングのうちの少なくとも1つによって示され、
第1の対応関係から第26の対応関係が物理ダウンリンク制御チャネルPDCCHシグナリングによって示されることは、
キャリアセット内の各キャリアのHARQプロセス番号がPDCCHシグナリングによって示されること
を含み、PDCCHシグナリングは、少なくとも1つのキャリアを示すために使用される指示情報または少なくとも1つのキャリアセットを示すために使用される指示情報を搬送する。
【００３１】
第2の態様または第2の態様の第1から第3の実装形態のうちのいずれか1つを参照して、本発明の第2の態様の第4の実装形態では、キャリアセットは、同じHARQプロセスを共有する第1のキャリアセットを含み、伝送モジュールは、具体的に、以下のステップ：
第1のキャリアセットを使用することにより第1のデータを受信し、第1のデータを復号し、第1の復号結果に従って第2のネットワークノードに第1のメッセージを送信することであって、第1の復号結果が復号の成功を示すとき、第1のメッセージが肯定応答ACKメッセージを含み、または第1の復号結果が復号の失敗を示すとき、第1のメッセージが否定応答NACKメッセージを含み、第1のメッセージが、以下の方式：第1のキャリアセット内のいずれかのキャリア、第1のキャリアセット内のすべてのキャリア、無線リソース制御RRCシグナリングもしくは媒体アクセス制御MACシグナリングに従って事前構成されたキャリア、または第1のキャリアセット内の第1の復号結果に対応するDLキャリアに対応するULキャリアのうちのいずれか1つで、第1の時間期間内に第2のネットワークノードに送信されるシグナリングメッセージである、送信すること、あるいは
第1のキャリアセットを使用することにより第1のデータを受信し、第1のキャリアセット内の各キャリアに対応する第1のデータを復号し、第2の復号結果に従って第2のネットワークノードに複数の第2のメッセージを送信することであって、第2の復号結果が復号の成功を示すとき、第2のメッセージがACKメッセージを含み、または第2の復号結果が復号の失敗を示すとき、第2のメッセージがNACKメッセージを含み、第2のメッセージが、第1のキャリアセット内の各キャリアに対応し、各キャリア上で第2のネットワークノードに送信されるシグナリングメッセージ、または第2の復号結果に対応し、第1のキャリアセット内にあるDLキャリアに対応するULキャリア上で第2のネットワークノードに送信されるシグナリングメッセージである、送信すること
のうちの少なくとも1つを実施するように構成される。
【００３２】
第2の態様の第4の実装形態を参照して、本発明の第2の態様の第5の実装形態では、第1のメッセージは、以下の条件：
第1のキャリアセット内の各キャリア上で受信された第1のデータの復号が成功すると、第1のメッセージはACKメッセージを含むこと、
第1のキャリアセット内のいずれかのキャリア上で受信された第1のデータの復号が成功すると、第1のメッセージはACKメッセージを含むこと、
第1のキャリアセット内の各キャリア上で受信された第1のデータの復号が失敗すると、第1のメッセージはNACKメッセージを含むこと、または
第1のキャリアセット内のいずれかのキャリア上で受信された第1のデータの復号が失敗すると、第1のメッセージはNACKメッセージを含むこと
のうちの少なくとも1つを満たす。
【００３３】
第2の態様または第2の態様の第1から第5の実装形態のうちのいずれか1つを参照して、本発明の第2の態様の第6の実装形態では、キャリアセットは、同じHARQプロセスを共有する第2のキャリアセットを含み、伝送モジュールは、以下のステップ：
第2のキャリアセットを使用することにより第2のネットワークノードに第2のデータを送信し、第2のキャリアセット内の各キャリアに対応する第3のメッセージを受信した後、第3のメッセージが第2のキャリアセットに対応するNACKメッセージを含むと判定すると、第2のデータの伝送が失敗したと判断し、または第3のメッセージが第2のキャリアセットに対応するACKメッセージを含むと判定すると、第2のデータの伝送が成功したと判断することであって、第3のメッセージが、第2のキャリアセットに対応し、以下の方式：第2のキャリアセット内のいずれかのキャリア、第2のキャリアセット内のすべてのキャリア、RRCシグナリングもしくはMACシグナリングに従って事前構成されたキャリア、またはダウンリンク制御情報DCIを送信するためのキャリアのうちのいずれか1つで、あらかじめ設定された第2の時間期間内に第2のネットワークノードによりネットワークノードに送信されるシグナリングメッセージである、判断すること、あるいは
第2のキャリアセットを使用することにより第2のネットワークノードに第2のデータを送信し、第4のメッセージを受信した後、第4のメッセージの各々がACKメッセージを含む場合、第2のデータの伝送が成功したと判断し、または第4のメッセージのうちのいずれか1つがACKメッセージを含む場合、第2のデータの伝送が成功したと判断し、または第4のメッセージの各々がNACKメッセージを含む場合、第2のデータの伝送が失敗したと判断し、または第4のメッセージのうちのいずれか1つがNACKメッセージを含む場合、第2のデータの伝送が失敗したと判断し、または第4のメッセージのうちのどれも受信されなかった場合、第2のデータの伝送が失敗したと判断し、または第4のメッセージのうちのいずれか1つが受信されなかった場合、第2のデータの伝送が失敗したと判断することであって、第4のメッセージが、第2のキャリアセット内の各キャリアに対応し、各キャリア上で第2のネットワークノードによりネットワークノードに送信されるシグナリングメッセージである、判断すること
のうちの少なくとも1つを実施するようにさらに構成される。
【００３４】
第2の態様の第6の実装形態を参照して、本発明の第2の態様の第7の実装形態では、伝送モジュールは、以下のステップ：
第2のデータを再送するために、第2のキャリアセットから少なくとも1つのキャリアを選択すること、
第3のメッセージもしくは第4のメッセージに対応するキャリア上で、第2のデータを再送する動作を実施すること、
各キャリアに対応する受信された第4のメッセージがNACKメッセージであるとき、第2のデータを再送する動作を開始すること、
いずれかのキャリアに対応する受信された第4のメッセージがNACKメッセージであるとき、第2のデータを再送する動作を開始すること、
第2のキャリアセット内のすべてのキャリアに対応する第4のメッセージが受信されないとき、第2のデータを再送する動作を開始すること、または
第2のキャリアセット内のいずれかのキャリアに対応する第4のメッセージが受信されないとき、第2のデータを再送する動作を開始すること
のうちの少なくとも1つを実施するようにさらに構成される。
【００３５】
第2の態様または第2の態様の第1から第7の実装形態のうちのいずれか1つを参照して、本発明の第2の態様の第8の実装形態では、第2のデータを再送した後、処理モジュールは、以下のステップ：
第2のデータが再送されたキャリアセット内の各キャリアに対応する変数現在伝送番号をカウントすることであって、キャリアセット内のすべてのキャリアが変数現在伝送番号と一対一の対応関係にある、カウントすること、または
キャリアセット内のすべてのキャリアに対応する変数現在伝送番号をカウントすること
のうちの少なくとも1つをさらに実施し、
第2のデータがキャリアセット内のいずれかのキャリア上で再送された後、毎回前の変数現在伝送番号が1だけ増分され、
処理モジュールは、以下のステップ：
いずれかのキャリアの変数現在伝送番号があらかじめ設定された最大値に達したと判定すると、HARQバッファをクリアすること、
キャリアセット内の各キャリアの変数現在伝送番号があらかじめ設定された最大値に達したと判定すると、HARQバッファをクリアすること、または
キャリアセット内のすべてのキャリアに対応する変数現在伝送番号の各々があらかじめ設定された最大値に達したと判定すると、HARQバッファをクリアすること
のうちの少なくとも1つをさらに実施する。
【００３６】
第2の態様の第4から第8の実装形態のうちのいずれか1つを参照して、本発明の第2の態様の第9の実装形態では、伝送モジュールは、具体的に、以下のステップ：
第1のキャリアセットを使用することによりあらかじめ設定された第3の時間期間に従って第2のネットワークノードによって再送された第1のデータを受信することであって、第1のキャリアセット内の各キャリアが新しいデータインジケータNDIによって識別され、キャリア上で現在伝送されている第1のデータが新しいデータか、もしくは再送されたデータかを示すためにNDIが使用される、受信すること、または
NACKに従って第2のネットワークノードによって返信されたNACK応答を受信するか、もしくはあらかじめ設定された時間内にNACK応答を受信しなかった後、第3のキャリアセットを使用することにより第2のネットワークノードによって再送された第1のデータを受信することであって、第3のキャリアセット内の各キャリアがNDIによって識別され、キャリア上で現在伝送されている第1のデータが新しいデータか、もしくは再送されたデータかを示すためにNDIが使用され、第3のキャリアセットが第1のキャリアセットの第1のデータの伝送に失敗したキャリアセットである、受信すること
のうちの少なくとも1つを実施するようにさらに構成される。
【００３７】
第2の態様の第4から第9の実装形態のうちのいずれか1つを参照して、本発明の第2の態様の第10の実装形態では、伝送モジュールは、具体的に、以下のステップ：
第2のキャリアセットを使用することによりあらかじめ設定された第4の時間期間に従って第2のネットワークノードに第2のデータを再送することであって、第2のキャリアセット内の各キャリアが新しいデータインジケータNDIによって識別され、キャリア上で現在伝送されている第2のデータが新しいデータか、もしくは再送されたデータかを示すためにNDIが使用される、再送すること、または
第2のデータの伝送が失敗したと判断した後、第4のキャリアセットを使用することにより第2のネットワークノードに第2のデータを再送することであって、第8のキャリアセット内の各キャリアがNDIによって識別され、キャリア上で現在伝送されている第4のデータが新しいデータか、もしくは再送されたデータかを示すためにNDIが使用され、第4のキャリアセットが第2のキャリアセットの第2のデータの伝送に失敗したULキャリアセットである、再送すること
のうちの少なくとも1つを実施するようにさらに構成される。
【００３８】
第2の態様の第4から第10の実装形態を参照して、本発明の第2の態様の第11の実装形態では、キャリアセットは、同じデータを送信するために使用され、個別のHARQプロセスを使用する第5のキャリアセットを含み、伝送モジュールは、具体的に、以下のステップ：
第5のキャリアセットを使用することにより第2のネットワークノードに第3のデータを送信し、第5のメッセージを受信した後、第5のメッセージが第5のキャリアセットに対応するNACKメッセージを含むと判定すると、第3のデータの伝送が失敗したと判断し、または第5のメッセージが第5のキャリアセットに対応するACKメッセージを含むと判定すると、第3のデータの伝送が成功したと判断することであって、第5のメッセージが、第2のキャリアセットに対応し、以下の方式：第5のキャリアセット内のいずれかのキャリア、第5のキャリアセット内のすべてのキャリア、RRCシグナリングもしくはMACシグナリングに従って事前構成されたキャリア、またはDCIを送信するためのキャリアのうちのいずれか1つで、あらかじめ設定された第5の時間期間内に第2のネットワークノードによりネットワークノードに送信されるシグナリングメッセージである、判断すること、あるいは
第5のキャリアセットを使用することにより第2のネットワークノードに第3のデータを送信し、第6のメッセージを受信した後、第6のメッセージが第3のデータを送信するために使用された第5のキャリアセットに対応するNACKメッセージを含むと判定する場合、第3のデータの伝送が失敗したと判断し、または第6のメッセージが少なくとも1つのACKメッセージを含むと判定する場合、第3のデータの伝送が成功したと判断することであって、第6のメッセージが、第5のキャリアセット内の各キャリアに対応し、各キャリア上で第2のネットワークノードによりネットワークノードに送信されるシグナリングメッセージである、判断すること
のうちの少なくとも1つを実施するようにさらに構成される。
【００３９】
第2の態様または第2の態様の第4から第11の実装形態のうちのいずれか1つを参照して、本発明の第2の態様の第12の実装形態では、キャリアセットは、同じデータを送信するために使用され、個別のHARQプロセスを使用する第6のキャリアセットを含み、伝送モジュールは、以下のステップ：
第6のキャリアセットを使用することにより第4のデータを受信し、第4のデータを復号し、第3の復号結果に従って第2のネットワークノードに第7のメッセージを送信することであって、第3の復号結果が復号の成功を示すとき、第7のメッセージがACKメッセージを含み、または第3の復号結果が復号の失敗を示すとき、第7のメッセージがNACKメッセージを含み、第7のメッセージが、以下の方式：第6のキャリアセット内のいずれかのキャリア、第6のキャリアセット内のすべてのキャリア、RRCシグナリングもしくはMACシグナリングに従って事前構成されたキャリア、または第3の復号結果に対応し、第6のキャリアセット内にあるDLキャリアに対応するULキャリアのうちのいずれか1つで、第6の時間期間内に第1のネットワークノードにより第2のネットワークノードに送信されるシグナリングメッセージである、送信すること、あるいは
第6のキャリアセットを使用することにより第4のデータを受信し、第4のデータを復号し、第4の復号結果に従って第2のネットワークノードに第8のメッセージを送信することであって、第4の復号結果が復号の成功を示すとき、第4のメッセージがACKメッセージを含み、または第4の復号結果が復号の失敗を示すとき、第8のメッセージがNACKメッセージを含み、第8のメッセージが、第6のキャリアセット内の各キャリアに対応し、各キャリア上で第2のネットワークノードに送信されるシグナリングメッセージ、または第4の復号結果に対応し、第6のキャリアセット内にあるDLキャリアに対応するULキャリア上で第2のネットワークノードに送信されるシグナリングメッセージである、送信すること
のうちの少なくとも1つを実施するようにさらに構成される。
【００４０】
第2の態様の第11または第12の実装形態を参照して、本発明の第2の態様の第13の実装形態では、伝送モジュールは、具体的に、以下のステップ：
第6のキャリアセットを使用することによりあらかじめ設定された第7の時間期間に従って第2のネットワークノードに第3のデータを再送することであって、第6のキャリアセット内の各キャリアが新しいデータインジケータNDIによって識別され、キャリア上で現在伝送されている第3のデータが新しいデータか、もしくは再送されたデータかを示すためにNDIが使用される、再送すること、または
第3のデータの伝送が失敗したと判断した後、第8のキャリアセットを使用することにより第2のネットワークノードに第3のデータを再送することであって、第8のキャリアセット内の各キャリアがNDIによって識別され、キャリア上で現在伝送されている第3のデータが新しいデータか、もしくは再送されたデータかを示すためにNDIが使用され、第8のキャリアセットが第6のキャリアセットの第3のデータの伝送に失敗したキャリアセットである、再送すること
のうちの少なくとも1つを実施するようにさらに構成される。
【００４１】
第2の態様の第11から第13の実装形態のうちのいずれか1つを参照して、本発明の第2の態様の第14の実装形態では、伝送モジュールは、以下のステップ：
第5のキャリアセットを使用することによりあらかじめ設定された第6の時間期間に従って第2のネットワークノードによって再送された第4のデータを受信することであって、第5のキャリアセット内の各キャリアが新しいデータインジケータNDIによって識別され、キャリア上で現在伝送されている第4のデータが新しいデータか、もしくは再送されたデータかを示すためにNDIが使用される、受信すること、または
NACKに従って第2のネットワークノードによって返信されたNACK応答を受信するか、もしくはあらかじめ設定された時間内にNACK応答を受信しなかった後、第7のキャリアセットを使用することにより第2のネットワークノードによって再送された第4のデータを受信することであって、第7のキャリアセット内の各キャリアがNDIによって識別され、キャリア上で現在伝送されている第4のデータが新しいデータか、もしくは再送されたデータかを示すためにNDIが使用され、第7のキャリアセットが第5のキャリアセットの第4のデータの伝送に失敗したキャリアセットである、受信すること
のうちの少なくとも1つを実施するようにさらに構成される。
【００４２】
第2の態様の第7から第14の実装形態のうちのいずれか1つを参照して、本発明の第2の態様の第15の実装形態では、第1の時間期間、第2の時間期間、第5の時間期間、または第6の時間期間は、以下の
異なるサービスタイプ構成、
異なるデータ無線ベアラDRB構成、
異なるキャリア構成、
異なるHARQプロセス構成、または
RRCシグナリング、MACシグナリング、もしくはパケットデータコンバージェンスプロトコルPDCPシグナリングの構成
のうちのいずれか1つに従って取得される。
【００４３】
第2の態様の第1から第15の実装形態のうちのいずれか1つを参照して、本発明の第2の態様の第16の実装形態では、各キャリアのHARQプロセスは対応する物理ダウンリンク制御チャネルPDCCHによってスケジュールされ、各キャリアに対応するHARQプロセス番号および冗長性バージョン番号はDCIによって示され、各キャリアはPDCCHに一意に対応し、DCIは複数のキャリアの指示情報もしくはキャリアセットの指示情報を搬送し、
または、
共有HARQプロセスは対応する共有PDCCHによってスケジュールされ、各DLキャリアに対応するHARQプロセス番号および冗長性バージョン番号はDCIによって示され、共有HARQプロセスは共有PDCCHに一意に対応し、共有HARQプロセスはキャリアセットと一対一の対応関係にあり、少なくとも1つの共有HARQプロセスが存在する。
【００４４】
第2の態様または第2の態様の第1から第16の実装形態のうちのいずれか1つを参照して、本発明の第2の態様の第17の実装形態では、キャリアセットが1つのキャリアを含むとき、キャリアは同じデータを伝送するための複数のスケジューリングユニットを含み、または
キャリアセットが3つ以上のキャリアを含むとき、キャリアセット内の各キャリア上で同じデータが伝送される。
【００４５】
第2の態様または第2の態様の第1から第17の実装形態のうちのいずれか1つを参照して、本発明の第2の態様の第18の実装形態では、処理モジュールは、
キャリアセットの各キャリアセットを使用することにより伝送モジュールによって伝送されたデータを組み合わせてデータを取得し、データを復号する
ようにさらに構成され、
伝送モジュールは、復号結果に従って第2のネットワークノードに、復号結果に対応するシグナリングメッセージを送信するようにさらに構成される。
【００４６】
第2の態様または第2の態様の第1から第18の実装形態のうちのいずれか1つを参照して、本発明の第2の態様の第19の実装形態では、ネットワークノードがユーザ機器UEであるとき、伝送モジュールは、以下のステップ：
少なくとも1つのDLキャリアセットを使用することによりDLデータもしくはDLシグナリングのうちの少なくとも1つを受信すること、または
少なくとも1つのULキャリアセットを使用することによりULデータもしくはULシグナリングのうちの少なくとも1つを送信すること
のうちの1つを実施するようにさらに構成される。
【００４７】
本発明の第3の態様は、通信システムを提供し、通信システムは、第2の態様または第2の態様の第1から第19の実装形態のうちのいずれか1つによるネットワークノードを含む。
【００４８】
本発明における第1のネットワークノードが、第1の対応関係または第2の対応関係のうちの少なくとも1つにより、キャリアセットに対応するHARQプロセスおよび／またはHARQエンティティを決定し、次いで、キャリアセットを使用することによりHARQプロセスおよび／またはHARQエンティティに従ってデータおよび／またはシグナリングを受信および／または送信することを、上述の技術的解決策から知ることができる。これにより、第2のネットワークノードが複数のキャリアを同時にスケジュールすることができず、複数のキャリア上で同じデータを効果的に伝送することができないために伝送信頼度が比較的低いという問題が解決される。
【図面の簡単な説明】
【００４９】
【図１】本発明の実施形態による、ハイブリッド自動再送要求の管理方法の一実施形態の概略図である。
【図２】本発明の実施形態による、ハイブリッド自動再送要求の管理方法の別の実施形態の概略図である。
【図３】本発明の実施形態による、ハイブリッド自動再送要求の管理方法の別の実施形態の概略図である。
【図４】本発明の実施形態による、ネットワークノードの概略構造図である。
【図５】本発明の実施形態による、ネットワークノードの別の概略構造図である。
【発明を実施するための形態】
【００５０】
以下では、本発明の実施形態における添付図面を参照して、本発明の実施形態における技術的解決策を明確かつ十分に記載する。当然ながら、記載される実施形態は、本発明の実施形態のうちのいくつかにすぎず、すべてではない。創造的な労力なしに本発明の実施形態に基づいて、当業者によって取得されるすべての他の実施形態は、本発明の保護範囲内に入るべきである。
【００５１】
本発明の明細書、特許請求の範囲、および添付図面では、「第1の」、「第2の」などという用語は、同様のオブジェクトを区別するものであるが、必ずしも特定の順序または順番を示すとは限らない。そのように呼ばれるデータは適切な状況において互換性があり、その結果、本明細書に記載された実施形態は、本明細書に例示または記載された順序以外の順序で実装され得ることを理解されたい。その上、「含む」、「含んでいる」という用語、および任意の他の変形形態は、非排他的な包含をカバーすることを意味し、たとえば、ステップまたはモジュールの列挙を含むプロセス、方法、システム、製品、またはデバイスは、必ずしもそれらのステップまたはモジュールに限定されるとは限らず、明確に列挙されていないか、またはそのようなプロセス、方法、システム、製品、もしくはデバイスに固有の他のステップもしくはモジュールを含む場合がある。本明細書におけるモジュール分割は論理的な分割にすぎず、実際の実装形態では他の分割であり得る。たとえば、複数のモジュールは組み合わされるか、もしくは別のシステムに統合される場合があり、または、いくつかの特徴は無視されるか、もしくは実施されない場合がある加えて、表示または説明された相互結合または直接結合または通信接続は、いくつかのインターフェースを使用することによって実装される場合がある。モジュール間の間接結合または通信接続は、電気または他の形態で実装される場合があり、それは本明細書では限定されない。加えて、個別の部分として記載されるモジュールまたはサブモジュールは、物理的に個別である場合も、そうでない場合もあり、物理モジュールである場合も、そうでない場合もあり、複数の回路モジュール上で分散される場合がある。モジュールのうちのいくつかまたはすべては、本発明における実施形態の解決策の目的を達成するために、実際の必要に応じて選択される場合がある。
【００５２】
本発明の実施形態は、主にLTEネットワークに適用される、ハイブリッド自動再送要求の管理方法、装置、およびシステムを提供する。たとえば、方法、装置、およびシステムが車両のLTEネットワークベースのインターネットにおいて使用されるとき、車両は、車両間通信（V2V、Vehicle to Vehicle）または車両対基盤通信（V2I、Vehicle to Infrastructure）を用いて、リアルタイムに道路状況情報を取得するか、またはサービス情報を受信することができる。代替として、方法、装置、およびシステムは、デバイス間通信（D2D、Device to Device）、機械間通信（M2M、Machine to Machine）、または機械対人間通信（M2M、Machine to Man）に使用される場合がある。本発明の実施形態は、ネットワークノードが複数のキャリアを同時にスケジュールすることができず、複数のキャリア上で同じデータを効果的に伝送することができないために伝送信頼度が比較的低いという従来技術における問題を解決することができる。
【００５３】
まず、本発明の実施形態におけるハイブリッド自動再送要求の管理方法は、軍事演習通信システムまたは別の同様の通信システムにさらに適用される場合があることを明確にするべきである。本明細書におけるネットワークノードは、任意のワイヤレスノードデバイスであり得るか、またはユーザ機器、移動局、基地局などであり得るし、本明細書では具体的に限定されない。ユーザ機器は、高速で移動するスマートデバイスであり、地上の車両もしくはユーザが保有する通信デバイスであり得るか、またはスカウト、検出器、もしくは別の同様のデバイスであり得るし、本明細書では具体的に限定されない。
【００５４】
本明細書では、ネットワークノードごとに少なくとも1つのHARQエンティティが構成される。HARQエンティティは所与の数のHARQプロセスを保持することができ、各HARQプロセスは識別子を有し、HARQエンティティは、対応するHARQプロセスにHARQプロセス情報およびダウンリンク同期チャネル（DL-SCH、Downlink synchronous Channel）上で受信されたトランスポートブロック（TB、Transport Block）を送信する。
【００５５】
TTI内にダウンリンク割振り情報が存在すると判定された場合、物理レイヤから受信されたトランスポートブロックおよび対応するHARQ情報は、対応するHARQプロセスに送信される。
【００５６】
ネットワークノードは、受信されたトランスポートブロックをブロードキャストHARQプロセスに送信するように命令された場合、受信されたトランスポートブロックをブロードキャストHARQプロセスに送信する
【００５７】
受信されたTBおよび対応するHARQ情報に対して、以下の処理がHARQプロセス内で実施される。
【００５８】
TBに対応するNDIが前の伝送と比べて変化した場合、もしくはTBがブロードキャストHARQプロセスに送信され、無線リソース制御（RRC、Radio Resource Control）シグナリングのスケジューリング情報による命令に従って最初に受信されたブロードキャストメッセージトランスポートブロックである場合、またはTBが最初に受信されたトランスポートブロックである場合、それは新しい伝送と見なされる。そうでない場合、それは再送と見なされる。
【００５９】
以下で、本発明の一実施形態のよる、ユーザ機器側のハイブリッド自動再送要求の管理方法を詳細に記載する。図1を参照すると、本発明のこの実施形態は以下のステップを含む。
【００６０】
101．第1のネットワークノードが、キャリアセットとハイブリッド自動再送要求HARQプロセスとの間の第1の対応関係、またはキャリアセットとHARQエンティティとの間の第2の対応関係のうちの少なくとも1つに従って、キャリアセットに対応するHARQプロセスおよび／またはHARQエンティティを決定する。
【００６１】
各HARQプロセスは、HARQプロセス番号、HARQプロセス性状、または他のHARQプロセス情報のうちの少なくとも1つを含む。HARQプロセス性状には、同期HARQプロセス、非同期HARQプロセス、動的スケジューリングHARQプロセス、半静的スケジューリングHARQプロセス、共通HARQプロセス、専用HARQプロセスなどが含まれる。
【００６２】
各HARQエンティティは、HARQエンティティ番号、HARQエンティティ性状、または他のHARQエンティティ情報のうちの少なくとも1つを含む。HARQエンティティ性状には、HARQプロセスタイプが同じHARQエンティティ、HARQプロセスタイプが異なるHARQエンティティ、同期HARQエンティティ、非同期HARQエンティティ、動的スケジューリングHARQエンティティ、半静的スケジューリングHARQエンティティ、共通HARQエンティティ、専用HARQエンティティなどが含まれる。
【００６３】
キャリアセットは、少なくとも1つのアップリンクULキャリアセットまたは少なくとも1つのダウンリンクDLキャリアセットのうちの少なくとも1つを含む。
【００６４】
各ULキャリアセットは少なくとも1つのULキャリアを含み、各DLキャリアセットは少なくとも1つのDLキャリアを含むことを理解することができる。
【００６５】
実際の適用例では、第1のネットワークノードがD2D向けのUEである場合、第2のネットワークノードは基地局であり、基地局はD2D向けの2つのUE用のキャリアを構成する。すなわち、キャリアセットとHARQプロセスとの間の第1の対応関係、またはキャリアセットとHARQエンティティとの間の第2の対応関係のうちの少なくとも1つを構成することを含む。
【００６６】
実際の適用例では、HARQプロセスのプロセス番号IDは、第1のネットワークノードによって現在使用されているキャリア番号IDcc、同じHARQプロセスを共有するキャリアの総数N1、および第2のネットワークノードによって構成されたHARQプロセスの総数N2に従って取得される場合がある。具体的な数式は以下の通りである。
ID＝［floor×（IDcc／N1）］×N2
【００６７】
102．第1のネットワークノードが、キャリアセットを使用することによりHARQプロセスおよび／またはHARQエンティティに従って、データおよび／またはシグナリングを受信および／または送信する。
【００６８】
具体的には、第1のネットワークノードは、キャリアセット内の少なくとも1つのキャリアを使用することによりHARQプロセスに従って、第2のネットワークノードによって送信されたデータもしくはシグナリングを受信することができるか、またはキャリアセット内の少なくとも1つのキャリアを使用することによりデータもしくはシグナリングを送信することができる
【００６９】
本発明のこの実施形態では、第1のネットワークノードは、第1の対応関係または第2の対応関係のうちの少なくとも1つにより、キャリアセットに対応するHARQプロセスおよび／またはHARQエンティティを決定し、次いで、キャリアセットを使用することによりHARQプロセスおよび／またはHARQエンティティに従ってデータおよび／またはシグナリングを受信および／または送信する。これにより、第2のネットワークノードが複数のキャリアを同時にスケジュールすることができず、複数のキャリア上で同じデータを効果的に伝送することができないために伝送信頼度が比較的低いという問題が解決される。
【００７０】
場合によっては、図1に対応する実施形態に基づいて、本発明のこの実施形態の第1のオプション実施形態では、HARQプロセスは、以下の対応関係：第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得される。
【００７１】
第3の対応関係は、少なくとも1つのキャリア、少なくとも1つのサブフレーム、およびHARQプロセスの間の対応関係である。
【００７２】
第4の対応関係は、少なくとも1つのキャリア、少なくとも1つのサブフレーム、HARQプロセス、およびHARQエンティティの間の対応関係である。
【００７３】
第5の対応関係は、少なくとも1つのキャリア、データ送信方式、およびHARQプロセスの間の対応関係である。
【００７４】
第6の対応関係は、少なくとも1つのキャリア、データ送信方式、HARQプロセス、およびHARQエンティティの間の対応関係である。
【００７５】
第7の対応関係は、少なくとも1つのキャリア、少なくとも1つの物理リソースブロックPRB、少なくとも1つのサブフレーム、およびHARQプロセスの間の対応関係である。
【００７６】
第8の対応関係は、少なくとも1つのキャリア、少なくとも1つのPRB、少なくとも1つのサブフレーム、HARQプロセス、およびHARQエンティティの間の対応関係である。
【００７７】
第9の対応関係は、少なくとも1つのセルインデックス、少なくとも1つのPRB識別子、少なくとも1つの伝送時間間隔TTI番号、およびHARQプロセスの間の対応関係である。
【００７８】
第10の対応関係は、少なくとも1つのセルインデックス、少なくとも1つのPRB識別子、少なくとも1つの伝送時間間隔TTI番号、HARQプロセス、およびHARQエンティティの間の対応関係である。
【００７９】
第11の対応関係は、少なくとも1つのキャリア、少なくとも1つのサブフレーム、冗長性バージョン、およびHARQプロセスの間の対応関係である。
【００８０】
第12の対応関係は、少なくとも1つのキャリア、少なくとも1つのサブフレーム、冗長性バージョン、HARQプロセス、およびHARQエンティティの間の対応関係である。
【００８１】
第13の対応関係は、少なくとも1つのキャリア、データ送信方式、冗長性バージョン、およびHARQプロセスの間の対応関係である。
【００８２】
第14の対応関係は、少なくとも1つのキャリア、データ送信方式、冗長性バージョン、HARQプロセス、およびHARQエンティティの間の対応関係である。
【００８３】
第15の対応関係は、少なくとも1つのキャリア、少なくとも1つのPRB、少なくとも1つのサブフレーム、冗長性バージョン、およびHARQプロセスの間の対応関係である。
【００８４】
第16の対応関係は、少なくとも1つのキャリア、少なくとも1つのPRB、少なくとも1つのサブフレーム、冗長性バージョン、HARQプロセス、およびHARQエンティティの間の対応関係である。
【００８５】
第17の対応関係は、少なくとも1つのセルインデックス、少なくとも1つのPRBの識別子、少なくとも1つの伝送時間間隔TTI番号、冗長性バージョン、およびHARQプロセスの間の対応関係である。
【００８６】
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係である。
【００８７】
キャリアはULキャリアまたは／およびDLキャリアを含む。
【００８８】
場合によっては、図1に対応する実施形態または第1のオプション実施形態に基づいて、本発明のこの実施形態の第2のオプション実施形態では、HARQエンティティは、以下の対応関係：第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得される。
【００８９】
第19の対応関係は、少なくとも1つのキャリア、少なくとも1つのサブフレーム、およびHARQエンティティの間の対応関係である。
【００９０】
第4の対応関係は、少なくとも1つのキャリア、少なくとも1つのサブフレーム、HARQプロセス、およびHARQエンティティの間の対応関係である。
【００９１】
第20の対応関係は、少なくとも1つのキャリア、データ送信方式、およびHARQエンティティの間の対応関係である。
【００９２】
第6の対応関係は、少なくとも1つのキャリア、データ送信方式、HARQプロセス、およびHARQエンティティの間の対応関係である。
【００９３】
第21の対応関係は、少なくとも1つのキャリア、少なくとも1つのPRB、少なくとも1つのサブフレーム、およびHARQエンティティの間の対応関係である。
【００９４】
第8の対応関係は、少なくとも1つのキャリア、少なくとも1つのPRB、少なくとも1つのサブフレーム、HARQプロセス、およびHARQエンティティの間の対応関係である。
【００９５】
第22の対応関係は、少なくとも1つのセルインデックス、少なくとも1つのPRB識別子、少なくとも1つの伝送時間間隔TTI番号、およびHARQエンティティの間の対応関係である。
【００９６】
第9の対応関係は、少なくとも1つのセルインデックス、少なくとも1つのPRB識別子、少なくとも1つの伝送時間間隔TTI番号、HARQプロセス、およびHARQエンティティの間の対応関係である。
【００９７】
第23の対応関係は、少なくとも1つのキャリア、少なくとも1つのサブフレーム、冗長性バージョン、およびHARQエンティティの間の対応関係である。
【００９８】
第12の対応関係は、少なくとも1つのキャリア、少なくとも1つのサブフレーム、冗長性バージョン、HARQプロセス、およびHARQエンティティの間の対応関係である。
【００９９】
第24の対応関係は、少なくとも1つのキャリア、データ送信方式、冗長性バージョン、およびHARQエンティティの間の対応関係である。
【０１００】
第14の対応関係は、少なくとも1つのキャリア、データ送信方式、冗長性バージョン、HARQプロセス、およびHARQエンティティの間の対応関係である。
【０１０１】
第25の対応関係は、少なくとも1つのキャリア、少なくとも1つのPRB、少なくとも1つのサブフレーム、冗長性バージョン、およびHARQエンティティの間の対応関係である。
【０１０２】
第16の対応関係は、少なくとも1つのキャリア、少なくとも1つのPRB、少なくとも1つのサブフレーム、冗長性バージョン、HARQプロセス、およびHARQエンティティの間の対応関係である。
【０１０３】
第26の対応関係は、少なくとも1つのセルインデックス、少なくとも1つのPRBの識別子、少なくとも1つの伝送時間間隔TTI番号、冗長性バージョン、およびHARQエンティティの間の対応関係である。
【０１０４】
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係である。
【０１０５】
キャリアはULキャリアまたはDLキャリアを含む。
【０１０６】
場合によっては、図1に対応する実施形態または第1もしくは第2のオプション実施形態のうちのいずれか1つに基づいて、本発明のこの実施形態の第3のオプション実施形態では、第1の対応関係から第26の対応関係は、第2のネットワークノードによって送信される無線リソース制御RRCシグナリング、媒体アクセス制御制御要素（MAC CE、Medium Access Control Control Element）シグナリング、または物理ダウンリンク制御チャネル（PDCCH、Physical Downlink Control Channel）シグナリングのうちの少なくとも1つによって示される。
【０１０７】
たとえば、RRCシグナリングは、CC1、CC2、CC4、CC5、CC6、およびCC7が1つのHARQエンティティmを共有することを示す。CC1、CC4、およびCC5は1つのHARQプロセスを共有し、CC2およびCC7は1つのHARQプロセスを共有するか、またはRRCシグナリングは、CC1、CC2、CC4、CC5、CC6、およびCC7が1つのHARQエンティティmを共有することのみを示すか、またはRRCシグナリングは、CC1、CC2、およびCC4が1つのHARQプロセスを共有することのみを示すか、またはRRCシグナリングは、CC1、CC2、CC4、CC5、CC6、およびCC7がキャリアセットnを構成することを示し、キャリアセットnが同じHARQエンティティおよび／もしくは1つのHARQプロセスを共有することを示す。
【０１０８】
第1の対応関係から第26の対応関係が物理ダウンリンク制御チャネルPDCCHシグナリングによって示されることは、
キャリアセット内の各キャリアのHARQプロセス番号がPDCCHシグナリングによって示されること
を含み、PDCCHシグナリングは、少なくとも1つのキャリアを示すために使用される指示情報または少なくとも1つのキャリアセットを示すために使用される指示情報を搬送する。
【０１０９】
たとえば、ダウンリンク制御情報（DCI、Downlink Control Information）では、キャリアインジケータ（Carrier indicator）は、キャリアグループインジケータ（Carrier group indicator）についての情報に拡張される場合があるか、または複数のキャリアの指示情報が搬送される。キャリアグループインジケータの場合、0ビットもしくは3ビットがキャリアインジケータにさらに使用される場合があるか、またはキャリアインジケータは、たとえば、8ビットに拡張される必要がある。複数のキャリアの指示情報の場合、キャリアインジケータは、たとえば、8ビットに拡張される必要がある。
【０１１０】
場合によっては、PDCCHシグナリングは、HARQプロセス番号ID（すなわち、HARQ process number）を搬送する。
【０１１１】
場合によっては、図1に対応する実施形態または第1から第3のオプション実施形態のうちのいずれか1つに基づいて、本発明のこの実施形態の第4のオプション実施形態では、キャリアセットは同じHARQプロセスを共有する第1のキャリアセットを含み、キャリアセットを使用することによりデータを受信しシグナリングを送信することは、以下のステップのうちの少なくとも1つを含む。
【０１１２】
1．第1のネットワークノードが、第1のキャリアセットを使用することにより第1のデータを受信し、第1のデータを復号して全体的な復号結果を取得し、第1の復号結果に従って第2のネットワークノードに第1のメッセージを送信し、第1の復号結果が復号の成功を示すとき、第1のメッセージは肯定応答ACKメッセージを含み、または第1の復号結果が復号の失敗を示すとき、第1のメッセージは否定応答NACKメッセージを含み、第1のメッセージは、以下の方式：第1のキャリアセット内のいずれかのキャリア、第1のキャリアセット内のすべてのキャリア、無線リソース制御RRCシグナリングもしくは媒体アクセス制御MACシグナリングに従って事前構成されたキャリア、または第1のキャリアセット内の第1の復号結果に対応するDLキャリアに対応するULキャリアのうちのいずれか1つで、第1の時間期間内に第1のネットワークノードにより第2のネットワークノードに送信されるシグナリングメッセージである。
【０１１３】
RRCシグナリングまたはMACシグナリングに従って事前構成されたキャリアは、1次キャリアであり得るし、本明細書では具体的に限定されない。
【０１１４】
この場合、第1のネットワークノードは、第2のネットワークノードに全体的な復号結果を含む第1のメッセージのみを送信する必要がある。第1のデータを復号し、第1のメッセージを作成する具体的なプロセスは以下の通りである。
【０１１５】
（1）第1のキャリアセットから第1のデータを受信した後、第1のネットワークノードは、第1のキャリアセット内の各キャリア上で伝送された第1のデータを復号し、次いで、すべてのキャリアの復号結果を組み合わせて、全体的な復号結果を取得する。
【０１１６】
すべてのキャリアの復号結果を組み合わせることは、主に以下の状況を含む。
【０１１７】
a．第1のネットワークノードが第1のキャリアセット内の各キャリア上で受信された第1のデータの復号に成功すると、それは復号が成功したことを示す。
【０１１８】
b．第1のネットワークノードが第1のキャリアセット内のいずれかのキャリア上で受信された第1のデータの復号に成功すると、それは復号が成功したことを示す。
【０１１９】
c．第1のネットワークノードが第1のキャリアセット内の各キャリア上で受信された第1のデータの復号に失敗すると、それは復号が失敗したことを示す。
【０１２０】
d．第1のネットワークノードが第1のキャリアセット内のいずれかのキャリア上で受信された第1のデータの復号に失敗すると、それは復号が失敗したことを示す。
【０１２１】
（2）第1のメッセージは全体的な復号結果を使用することによって作成され、第1のネットワークノードは、1度だけまたは複数回、第2のネットワークノードに第1のメッセージを送信することができる。複数回第1のメッセージを送信することは、第2のネットワークノードが第1のネットワークノードによって送信された第1のメッセージを正しく受信することができないために、第1のネットワークノードによる第1のデータを受信する状態を知ることができないことを効果的に回避することができる。
【０１２２】
たとえば、同期HARQプロセスの場合、基地局は第1のメッセージを受信しないので、基地局は、固定時間シーケンス内に繰り返し第1のデータを再送し、何度もプロセスを繰り返し、ネットワークリソースを浪費する。非同期HARQプロセスの場合、基地局は第1のデータの伝送状態を知ることができず、伝送が失敗した場合、基地局は第1のメッセージによる関連する再送動作を実施することができず、その結果、第1のネットワークノードは第1のデータを正しく受信することができず、ネットワーク伝送効率は比較的低い。本明細書における同様のケースについては、詳細は繰り返されない。
【０１２３】
加えて、第1のメッセージは、第1の時間期間に従って物理アップリンク共有制御チャネル（PUSCH、Physical Uplink Share Channel）を使用することにより、ULキャリア上で第2のネットワークノードに送信される。  第1の時間期間は、時間期間n1および時間期間k1を含み、k1は、以下の条件のうちの少なくとも1つを満たす：
周波数分割複信（FDD、Frequency Division Duplexing）では、k1＝4であり、
時分割複信（TDD、Time Division Duplexing）では、様々なアップリンク−ダウンリンクサブフレーム構成に応じてjが取得されるか、もしくはデータに対応するサービスタイプに応じてk1が取得され、k1はサービスタイプに対応し、たとえば、V2V通信では、遅延が比較的高いサービスの場合k1＝2であるか、または
k1はRRCもしくはMACを使用することによって設定される。
【０１２４】
スケジューリング情報は、PDCCHスケジューリングを送信するためのDLキャリアに対応するULキャリア上のPUSCH上で送信されるか、またはPUSCH上でスケジューリング情報を送信するために使用されるキャリアは、RRCもしくはMACを使用することによって構成される場合がある。
【０１２５】
2．第1のネットワークノードが、第1のキャリアセットを使用することにより第1のデータを受信し、第1のキャリアセット内の各キャリアに対応する第1のデータを復号し、第2の復号結果に従って第2のネットワークノードに複数の第2のメッセージを送信し、第2の復号結果が復号の成功を示すとき、第2のメッセージはACKメッセージを含み、または第2の復号結果が復号の失敗を示すとき、第2のメッセージはNACKメッセージを含み、第2のメッセージは、第1のキャリアセット内の各キャリアに対応し、各キャリア上で第1のネットワークノードにより第2のネットワークノードに送信されるシグナリングメッセージ、または第2の復号結果に対応し、第1のキャリアセット内にあるDLキャリアに対応するULキャリア上で第2のネットワークノードに送信されるシグナリングメッセージである。
【０１２６】
この場合、第1のネットワークノードは、第2のネットワークノードに、各キャリアに対応する復号結果に対応する第2のメッセージを送信する必要がある。第1のデータを復号し、第2のメッセージを作成する具体的なプロセスは以下の通りである。
【０１２７】
（1）第1のキャリアセットから第1のデータを受信した後、第1のネットワークノードは、第1のキャリアセット内の各キャリア上で伝送された第1のデータを復号し、それぞれの復号結果を取得する。
【０１２８】
（2）各キャリアに対応するそれぞれの第2のメッセージは、それぞれの復号結果に従って作成され、すなわち、各第2のメッセージは、対応するキャリア上で第1のデータを伝送する状態を別々に示す。第1のネットワークノードは、第2のネットワークノードに第2のメッセージを個別に送信する。各キャリアに対応する第2のメッセージは1度だけ送信される場合があるか、または複数回送信される場合がある。
【０１２９】
複数の共有HARQプロセスが存在する場合があり、各共有HARQプロセスは、複数のキャリアによって共有される場合があることを理解することができる。
【０１３０】
第1のメッセージと第2のメッセージの両方は、第2のネットワークノードによって送信された第1のデータを受信した後第2のネットワークノードに、各キャリア上で第1のデータを伝送した伝送結果を第1のネットワークノードがフィードバックするために使用されるシグナリングメッセージである。この場合、第1のメッセージまたは第2のメッセージがNACKであると判定した後、第2のネットワークノードは、ダウンリンクリソースをスケジュールし、第1のデータを再送する伝送方式をスケジュールする。
【０１３１】
1つのHARQプロセスを共有するいくつかのキャリアは、共通PDCCHによってスケジュールされる場合がある。場合によっては、HARQプロセス番号（HARQ process number）はDCI情報によって示され、冗長性バージョン番号はキャリアと結合される場合があり、または各キャリアのHARQプロセスは独立したPDCCHによってスケジュールされる。場合によっては、HARQプロセス番号IDおよび冗長性バージョン番号はDCI情報によって示される場合があり、またはキャリアおよび冗長性バージョン番号は結合される場合がある。
【０１３２】
このオプション実施形態では、同期HARQプロセスと非同期HARQプロセスの両方が使用される。この場合、非同期HARQプロセスは、再送中のリソース割振り衝突によって引き起こされる性能損失を効果的に回避することができる。たとえば、HARQプロセスでは、比較的優先度が高いプロセスはスケジュールされる必要があるが、このときリソースは別のHARQプロセスに割り振られている。この場合、非同期HARQプロセスにおける固定時間シーケンス内で再送は開始しないので、非同期HARQプロセスの使用は、リソース割振りによって引き起こされる衝突を効果的に回避することができる。
【０１３３】
場合によっては、第4のオプション実施形態に基づいて、本発明のこの実施形態の第5のオプション実施形態では、第1のネットワークノードが第2のネットワークノードに全体的な復号結果を含む第1のメッセージを送信するとき、第2のネットワークノード向けの第1のメッセージは、以下の条件のうちの少なくとも1つを満たす：
第1のネットワークノードが第1のキャリアセット内の各キャリア上で受信された第1のデータの復号に成功すると、第1のメッセージはACKメッセージを含み、すなわち、第1のキャリアセット内のすべてのキャリア上で受信された第1のデータの復号が成功すると、第1のデータは第1のキャリアセットを使用することによってこのとき伝送に成功したと判断され、この場合、ACKメッセージを含む第1のメッセージが物理レイヤにおいて作成され、同様の内容は以下では記載されない、
第1のネットワークノードが第1のキャリアセット内のいずれかのキャリア上で受信された第1のデータの復号に成功すると、第1のメッセージはACKメッセージを含み、すなわち、第1のデータがいずれかのキャリア上での受信に成功した場合、第1のデータは第1のキャリアセットを使用することによってこのとき伝送に成功したと判断される、
第1のネットワークノードが第1のキャリアセット内の各キャリア上で受信された第1のデータの復号に失敗すると、第1のメッセージはNACKメッセージを含み、すなわち、第1のデータがすべてのキャリア上での受信に失敗すると、第1のキャリアセットを使用することによる第1のデータの伝送がこのとき失敗したと判断され、第1のネットワークノードは第1のデータを廃棄する、または
第1のネットワークノードが第1のキャリアセット内のいずれかのキャリア上で受信された第1のデータの復号に失敗すると、第1のメッセージはNACKメッセージを含み、すなわち、第1のデータがいずれかのキャリア上での受信に失敗した場合、第1のキャリアセットを使用することによる第1のデータの伝送がこのとき失敗したと判断され、第1のネットワークノードは第1のデータを廃棄する。
【０１３４】
実際の適用例では、第1のネットワークノードは、一般に、CRCチェックコードを使用して、受信されるデータが受信に失敗したかどうかを検出する。受信が失敗した場合、受信に失敗したデータはHARQバッファに記憶され、その結果、再送されたデータが次に受信された後に、再送されたデータおよびHARQバッファに記憶されたデータが組み合わされて、独立した復号で取得されたデータよりも信頼性が高いデータを取得し、次いで、組み合わされたデータが復号され、復号結果に従ってNACKメッセージが送信される必要があるかどうかが判定される。
【０１３５】
場合によっては、図1に対応する実施形態または第1から第5のオプション実施形態のうちのいずれか1つに基づいて、本発明のこの実施形態の第6のオプション実施形態では、キャリアセットは同じHARQプロセスを共有する第2のキャリアセットを含み、キャリアセットを使用することによりデータを送信しシグナリングを受信することは、以下のステップのうちの少なくとも1つを含む。
【０１３６】
1．第1のネットワークノードが、第2のキャリアセットを使用することにより第2のネットワークノードに第2のデータを送信し、第3のメッセージを受信した後、第3のメッセージが第2のキャリアセットに対応するNACKメッセージを含むと判定すると、第2のデータの伝送が失敗したと判断し、または第3のメッセージが第2のキャリアセットに対応するACKメッセージを含むと判定すると、第2のデータの伝送が成功したと判断し、第3のメッセージは、第2のキャリアセットに対応し、以下の方式：第2のキャリアセット内のいずれかのキャリア、第2のキャリアセット内のすべてのキャリア、RRCシグナリングもしくはMACシグナリングに従って事前構成されたキャリア、またはDCIを送信するためのキャリアのうちのいずれか1つで、あらかじめ設定された第2の時間期間内に第2のネットワークノードにより第1のネットワークノードに送信されるシグナリングメッセージである。
【０１３７】
この場合、第3のメッセージは、全体的な復号結果を含むシグナリングメッセージであり、詳細は以下の通りである。
【０１３８】
（1）第1のネットワークノードから第2のデータを受信した後、第2のネットワークノードは、第2のキャリアセット内のすべてのキャリア上で伝送された第2のデータを復号し、すべてのキャリアの復号結果に対して論理AND演算を実施して、すなわち、復号結果を組み合わせて全体的な復号結果を取得する。
【０１３９】
（2）全体的な復号結果に従って第3のメッセージを作成した後、第2のネットワークノードは、1度だけまたは複数回、第1のネットワークノードに第3のメッセージを送信することができる。複数回第3のメッセージを送信することは、第1のネットワークノードが第2のネットワークノードによって送信された第3のメッセージを正しく受信することができないために、第2のネットワークノードによる第2のデータを受信する状態を知ることができないことを効果的に回避することができる。
【０１４０】
加えて、第3のメッセージは、第2の時間期間に対応するDLキャリア上の物理ハイブリッド自動再送指示チャネル（PHICH、Physical Hybrid Automatic Repeat Request Indication Channel）上で、第2のネットワークノードにより第1のネットワークノードに送信される。第2の時間期間は、時間期間n2および時間期間k2を含み、k2は、以下の条件のうちの少なくとも1つを満たす：
FDDでは、k2＝4であり、
TDDでは、様々なアップリンク−ダウンリンクサブフレーム構成に応じてjが取得されるか、もしくはデータに対応するサービスタイプに応じてk2が取得され、k2はサービスタイプに対応し、たとえば、V2V通信では、遅延が比較的高いサービスの場合k2＝2であるか、または
k2はRRCもしくはMACを使用することによって設定される。
【０１４１】
スケジューリング情報は、PDCCHスケジューリングを送信するためのキャリア上のPHICH上で送信されるか、またはPHICH上でスケジューリング情報を送信するために使用されるキャリアは、RRCもしくはMACを使用することによって構成される場合がある。これは具体的に限定されない。
【０１４２】
2．第1のネットワークノードが、第2のキャリアセットを使用することにより第2のネットワークノードに第2のデータを送信し、第4のメッセージを受信した後、第4のメッセージの各々がACKメッセージを含む場合、第2のデータが伝送に成功したと判断し、または第4のメッセージのうちのいずれか1つがACKメッセージを含む場合、第2のデータが伝送に成功したと判断し、または第4のメッセージの各々がNACKメッセージを含む場合、第2のデータの伝送が失敗したと判断し、または第4のメッセージのうちのいずれか1つがNACKメッセージを含む場合、第2のデータの伝送が失敗したと判断し、または第4のメッセージのどれも受信されなかった場合、第2のデータの伝送が失敗したと判断し、または第4のメッセージのうちのいずれか1つが受信されなかった場合、第2のデータの伝送が失敗したと判断し、第4のメッセージは、第2のキャリアセット内の各キャリアに対応し、各キャリア上で第2のネットワークノードにより第1のネットワークノードに送信されるシグナリングメッセージである。
【０１４３】
場合によっては、第6のオプション実施形態に基づいて、本発明のこの実施形態の第7のオプション実施形態では、第1のネットワークノードにより第2のデータを再送するいくつかの場合、第1のネットワークノードにより、第2のキャリアセットを使用することにより第2のネットワークノードに第2のデータを送信した後、第1のネットワークノードにより、キャリアセットを使用することによりデータを送信することは、具体的に、以下の
第1のネットワークノードにより、第2のデータを再送するために、第2のキャリアセットから少なくとも1つのキャリアを選択すること、
第1のネットワークノードにより、第3のメッセージもしくは第4のメッセージに対応するキャリア上で、第2のデータを再送する動作を実施すること、
各キャリアに対応し、第1のネットワークノードによって受信された第4のメッセージがNACKメッセージであるとき、第2のデータを再送する動作を開始すること、
いずれかのキャリアに対応し、第1のネットワークノードによって受信された第4のメッセージがNACKメッセージであるとき、第2のデータを再送する動作を開始すること、
第1のネットワークノードが第2のキャリアセット内のすべてのキャリアに対応する第4のメッセージを受信しないとき、第2のデータを再送する動作を開始すること、または
第1のネットワークノードが第2のキャリアセット内のいずれかのキャリアに対応する第4のメッセージを受信しないとき、第2のデータを再送する動作を開始すること
のうちの少なくとも1つを含む。
【０１４４】
場合によっては、図1に対応する実施形態または第1から第7のオプション実施形態のうちのいずれか1つに基づいて、本発明のこの実施形態の第8のオプション実施形態では、第1／第2のネットワークノードが第1のネットワークノードであるとき、第1のネットワークノードは、データを伝送した後、変数現在伝送番号（Current-TX-NB、Current-Transmit-Number）をさらに保持することができる。具体的には、第2のデータが再送された後、方法は、以下のステップのうちの1つをさらに含む。
【０１４５】
1．第1のネットワークノードが、キャリアセット内の第2のデータを再送するために使用される各キャリアに対応する変数現在伝送番号をカウントし、キャリアセット内のすべてのキャリアは変数現在伝送番号と一対一の対応関係にある。
【０１４６】
第1のネットワークノードは、キャリアセット内の各キャリアに対応する変数現在伝送番号Current-TX-NB-CCn（nはキャリアに対応する自然数）を保持する。第1のネットワークノードがキャリアセット内のいずれかのキャリア上で第2のデータを再送した後、毎回前の変数現在伝送番号が1だけ増分される。詳細は以下の通りである。
【０１４７】
（1）HARQプロセスが確立されると、変数現在伝送番号が0に初期化される。たとえば、Current-TX-NB-CC1：0、Current-TX-NB-CC2：0、Current-TX-NB-CC3：0である。
【０１４８】
（2）HARQエンティティがn番目のキャリア上で再送を実施するように要求すると、再送が実施されたキャリアnに対応する変数現在伝送番号が1だけ増分される：Current-TX-NB-CCn＋1。たとえば、または
【０１４９】
2．第1のネットワークノードが、キャリアセット内のすべてのキャリアに対応する変数現在伝送番号をカウントし、すなわち、キャリアセットのために、1つの変数現在伝送番号が保持される。
【０１５０】
（1）HARQプロセスが確立されると、各キャリアに対応する変数現在伝送番号が0に初期化される。
【０１５１】
（2）HARQエンティティが1回の再送を要求すると、再送用のキャリアに対応する変数現在伝送番号が1だけ増分される：Current-TX-NB＋1。
【０１５２】
第1のネットワークノードがキャリアセット内のいずれかのキャリアを使用することにより第2のデータを再送した後、毎回変数現在伝送番号が1だけ増分される。
【０１５３】
第1のネットワークノードは、以下のステップ：
第1のネットワークノードにより、いずれかのキャリアの変数現在伝送番号があらかじめ設定された最大値に達したと判定すると、HARQバッファをクリアすること、
第1のネットワークノードにより、キャリアセット内の各キャリアの変数現在伝送番号があらかじめ設定された最大値に達したと判定すると、HARQバッファをクリアすること、または
キャリアセット内のすべてのキャリアに対応する変数現在伝送番号の各々があらかじめ設定された最大値に達したと判定すると、HARQバッファをクリアすること、
のうちの少なくとも1つをさらに実施する
【０１５４】
実際の適用例では、第1のネットワークノードまたは第2のネットワークノードは、基地局などのワイヤレスノードデバイスであり得るか、またはUEであり得る。前述の第8のオプション実施形態では、Current-TX-NBはUE用であり得るか、または基地局などのワイヤレスノードデバイス用であり得る。具体的な適用シナリオは本明細書では限定されない。
【０１５５】
場合によっては、第5から第8のオプション実施形態に基づいて、本発明のこの実施形態の第9のオプション実施形態では、第1のネットワークノードにより、第2のネットワークノードによって再送された第1のデータを受信する場合、第1の復号結果に従って第2のネットワークノードに第1のメッセージを送信した後、または第2の復号結果に従って第2のネットワークノードに第2のメッセージを送信した後、キャリアセットを使用することによりデータを受信することは、具体的に、以下のステップのうちの少なくとも1つをさらに含む。
【０１５６】
1．第1のネットワークノードが、第1のキャリアセットを使用することによりあらかじめ設定された第3の時間期間に従って第2のネットワークノードによって再送された第1のデータを受信する。場合によっては、第1のキャリアセット内の各キャリアは、新しいデータインジケータNDIによって識別され、NDIは、キャリア上で現在伝送されている第1のデータが新しいデータか、または再送されたデータかを示すために使用される。
【０１５７】
場合によっては、第1のネットワークノードが第1のデータの受信に失敗したかどうかにかかわらず、第1のネットワークノードが第1のデータを正しく受信できることを保証するために、第2のネットワークノードは、固定時間シーケンス内で、すなわち、第3の時間期間内で第1のデータを再送する。これにより、特に重要なデータが伝送されるときのデータ伝送効率が効果的に改善される。一般に、第3の時間期間は、時間期間n3および時間期間j1を含み、j1は、以下の条件のうちの少なくとも1つを満たす：
FDDでは、j1＝8であり、
TDDでは、様々なアップリンク−ダウンリンクサブフレーム構成に応じてj1が取得されるか、もしくはデータに対応するサービスタイプに応じてj1が取得され、j1はサービスタイプに対応し、たとえば、V2V通信では、遅延が比較的高いサービスの場合j1＝6であるか、または
j1はRRCシグナリングもしくはMACシグナリングを使用することによって設定される。
【０１５８】
再送用のキャリアは、前の伝送が失敗したキャリアであり得るか、またはPDCCHスケジューリング情報もしくはMACシグナリングに従って構成されたキャリアであり得る。
【０１５９】
2．NACKに従って第2のネットワークノードによって返信されたNACK応答を受信するか、またはあらかじめ設定された時間内にNACK応答を受信しなかった後、第1のネットワークノードが、第3のキャリアセットを使用することにより第2のネットワークノードによって再送された第1のデータを受信する。場合によっては、第3のキャリアセット内の各キャリアはNDIによって識別され、NDIは、キャリア上で現在伝送されている第1のデータが新しいデータか、または再送されたデータかを示すために使用され、第3のキャリアセットは、第1のキャリアセット内の第1のデータの伝送に失敗したキャリアセットである。
【０１６０】
この場合、第1のデータは前述の固定時間シーケンスn4＋j2内で（すなわち、同期HARQプロセス内で）再送される場合があり、j2は、以下の条件のうちの少なくとも1つを満たす：
FDDでは、j2＝8であり、
TDDでは、様々なアップリンク−ダウンリンクサブフレーム構成に応じてj2が取得されるか、もしくはデータに対応するサービスタイプに応じてj2が取得され、j2はサービスタイプに対応するか、または
V2Vでは、遅延が比較的高いサービスの場合j2＝6であり、
j2はRRCシグナリングまたはMACシグナリングを使用することによって設定され、具体的な再送トリガリング条件または時間は、本明細書では限定されない。
【０１６１】
各再送チャネルコードの冗長性バージョン（RV、Redundancy Version）はあらかじめ定義され、さらなるシグナリングのサポートを必要としない。RVが設計されると、ダウンリンクHARQ再送用のチャネルコードレートが決定されるので、すべてではないMCSが選択されるが、変調方式がさらに選択される場合がある。変調方式が変化すると、リソースブロック（RB、Resource Block）の数は、それに対応して変化する場合がある。したがって、リソースブロックの数は、ダウンリンクシグナリングリソースを使用することにより、第1のネットワークノードに示される必要がある。
【０１６２】
場合によっては、第5から第9のオプション実施形態に基づいて、本発明のこの実施形態の第10のオプション実施形態では、第1のネットワークノードは第2のデータを再送する。第1のネットワークノードにより、第2のキャリアセットを使用することにより第2のネットワークノードに第2のデータを送信した後、キャリアセットを使用することによりデータを送信することは、具体的に、以下のうちの少なくとも1つを含む。
【０１６３】
1．第1のネットワークノードが、第2のキャリアセットを使用することによりあらかじめ設定された第4の時間期間に従って第2のネットワークノードに第2のデータを再送する。場合によっては、第2のキャリアセット内の各キャリアは、新しいデータインジケータNDIによって識別され、NDIは、キャリア上で現在伝送されている第2のデータが新しいデータか、または再送されたデータかを示すために使用される。
【０１６４】
第4の時間期間は、時間期間n5および時間期間j3を含み、j3は、以下の条件のうちの少なくとも1つを満たす：
FDDでは、j3＝8であり、
TDDでは、様々なアップリンク−ダウンリンクサブフレーム構成に応じてj3が取得されるか、もしくはデータに対応するサービスタイプに応じてj3が取得され、j3はサービスタイプに対応し、たとえば、V2V通信では、遅延が比較的高いサービスの場合j3＝6であるか、または
j3はRRCシグナリングもしくはMACシグナリングを使用することによって設定される。
【０１６５】
再送用のキャリアは、前の伝送が失敗したキャリアであり得るか、またはPDCCHスケジューリング情報もしくはMACシグナリングに従って構成されたキャリアであり得る。
【０１６６】
2．第2のデータの伝送が失敗したと判定した後、第1のネットワークノードが、第4のキャリアセットを使用することにより第2のネットワークノードに第2のデータを再送する。場合によっては、第8のキャリアセット内の各キャリアはNDIによって識別され、NDIは、キャリア上で現在伝送されている第4のデータが新しいデータか、または再送されたデータかを示すために使用され、第4のキャリアセットは、第2のキャリアセットの第2のデータの伝送に失敗したULキャリアセットである。
【０１６７】
この場合、第9のオプション実施形態における第2のケースを参照すると、第1のネットワークノードが第2のデータを再送するとき、再送はあらかじめ設定された固定時間シーケンスn4＋j2内に実施される場合があり、具体的な再送トリガリング条件または時間は、本明細書では限定されない。
【０１６８】
場合によっては、図1に対応する実施形態または第1から第10のオプション実施形態のうちのいずれか1つに基づいて、本発明のこの実施形態の第11のオプション実施形態では、キャリアセットは、同じデータを送信するために使用され、個別のHARQプロセスを使用する第5のキャリアセットを含み、キャリアセットを使用することによりシグナリングを受信しデータを送信することは、具体的に、以下のステップ：
第1のネットワークノードにより、第5のキャリアセットを使用することにより第2のネットワークノードに第3のデータを送信し、第5のメッセージを受信した後、第5のメッセージが第5のキャリアセットに対応するNACKメッセージを含むと判定すると、第3のデータの伝送が失敗したと判断し、または第5のメッセージが第5のキャリアセットに対応するACKメッセージを含むと判定すると、第3のデータの伝送が成功したと判断することであって、第5のメッセージが、第2のキャリアセットに対応し、以下の方式：第5のキャリアセット内のいずれかのキャリア、第5のキャリアセット内のすべてのキャリア、RRCシグナリングもしくはMACシグナリングに従って事前構成されたキャリア、またはDCIを送信するためのキャリアのうちのいずれか1つで、あらかじめ設定された第5の時間期間内に第2のネットワークノードにより第1のネットワークノードに送信されるシグナリングメッセージである、判断すること、あるいは
第1のネットワークノードにより、第5のキャリアセットを使用することにより第2のネットワークノードに第3のデータを送信し、第6のメッセージを受信した後、第6のメッセージが第3のデータを送信するために使用された第5のキャリアセットに対応するNACKメッセージを含むと判定する場合、第3のデータの伝送が失敗したと判断し、または第6のメッセージが少なくとも1つのACKメッセージを含むと判定する場合、第3のデータの伝送が成功したと判断することであって、第6のメッセージが、第5のキャリアセット内の各キャリアに対応し、各キャリア上で第2のネットワークノードにより第1のネットワークノードに送信されるシグナリングメッセージである、判断すること
のうちの少なくとも1つを含む。
【０１６９】
第5の時間期間の構成方法は、第4のオプション実施形態における第1の時間期間の構成方法と同じであり、詳細については、第4のオプション実施形態を参照されたい。同様の内容は繰り返されない。
【０１７０】
このオプション実施形態における第5のメッセージおよび第6のメッセージの内容および送信方法は、第7のオプション実施形態におけるそれらと同様であり、詳細は繰り返されない。
【０１７１】
場合によっては、図1に対応する実施形態または第1から第11のオプション実施形態のうちのいずれか1つに基づいて、本発明のこの実施形態の第12のオプション実施形態では、キャリアセットは、同じデータを送信するために使用され、個別のHARQプロセスを使用する第6のキャリアセットを含み、第6のキャリアセット内の各キャリア上で同じデータが送信され、各キャリアセットは個別のHARQプロセスを使用し、キャリアセットを使用することによりデータを受信しシグナリングを送信することは、以下のステップのうちの少なくとも1つを含む。
【０１７２】
1．第1のネットワークノードが、第6のキャリアセットを使用することにより第4のデータを受信し、第4のデータを復号し、第3の復号結果に従って第2のネットワークノードに第7のメッセージを送信し、第3の復号結果が復号の成功を示すとき、第7のメッセージはACKメッセージを含み、または第3の復号結果が復号の失敗を示すとき、第7のメッセージはNACKメッセージを含み、第7のメッセージは、以下の方式：第6のキャリアセット内のいずれかのキャリア、第6のキャリアセット内のすべてのキャリア、RRCシグナリングもしくはMACシグナリングに従って事前構成されたキャリア、または第3の復号結果に対応し、第6のキャリアセット内にあるDLキャリアに対応するULキャリアのうちのいずれか1つで、第6の時間期間内に第1のネットワークノードにより第2のネットワークノードに送信されるシグナリングメッセージである。
【０１７３】
第6の時間期間の構成方法は、第7のオプション実施形態における第2の時間期間の構成方法と同じであり、詳細については、第7のオプション実施形態を参照されたい。同様の内容は繰り返されない。
【０１７４】
この場合、第1のネットワークノードは、第2のネットワークノードに全体的な復号結果を含む第7のメッセージのみを送信する必要がある。第4のデータを復号する具体的なプロセスについては、第4のオプション実施形態における第1のメッセージを作成するプロセスを参照されたく、詳細は本明細書では繰り返されない。
【０１７５】
2．第1のネットワークノードが、第6のキャリアセットを使用することにより第4のデータを受信し、第4のデータを復号し、第4の復号結果に従って第2のネットワークノードに第8のメッセージを送信し、第4の復号結果が復号の成功を示すとき、第4のメッセージはACKメッセージを含み、または第4の復号結果が復号の失敗を示すとき、第8のメッセージはNACKメッセージを含み、第8のメッセージは、第6のキャリアセット内の各キャリアに対応し、各キャリア上で第1のネットワークノードにより第2のネットワークノードに送信されるシグナリングメッセージ、または第4の復号結果に対応し、第6のキャリアセット内にあるDLキャリアに対応するULキャリア上で第2のネットワークノードに送信されるシグナリングメッセージである。
【０１７６】
この場合、第1のネットワークノードは、第2のネットワークノードに、各キャリアに対応する復号結果に対応する第8のメッセージを送信する必要がある。第4のデータを復号する具体的なプロセスについては、第4のオプション実施形態における第2のメッセージを作成するプロセスを参照されたく、詳細は本明細書では繰り返されない。
【０１７７】
同じデータを送信するための第6のキャリアセットの場合、第6のキャリアセットの各キャリアセットは個別のHARQプロセスを使用する。たとえば、CC1、CC2、およびCC4は、同じデータを送信するようにRRC内で構成され、各CCは1つのCURRENT_TX_NB-CCnを保持する。
【０１７８】
場合によっては、第11または第12のオプション実施形態に基づいて、本発明のこの実施形態の第13のオプション実施形態では、第3の復号結果に従って第2のネットワークノードに第7のメッセージを送信した後、または第4の復号結果に従って第2のネットワークノードに第8のメッセージを送信した後、キャリアセットを使用することによりデータを受信することは、具体的に、以下のステップ：
第1のネットワークノードにより、第6のキャリアセットを使用することによりあらかじめ設定された第7の時間期間に従って第2のネットワークノードに第3のデータを再送することであって、場合によっては、第6のキャリアセット内の各キャリアが新しいデータインジケータNDIによって識別され、キャリア上で現在伝送されている第3のデータが新しいデータか、もしくは再送されたデータかを示すためにNDIが使用され、
この場合、第7の時間期間の構成方法が、第10のオプション実施形態における第4の時間期間の構成方法と同じであり、詳細については、第10のオプション実施形態を参照されたく、同様の内容が繰り返されない、再送すること、または
第3のデータの伝送が失敗したと判断した後、第1のネットワークノードにより、第8のキャリアセットを使用することにより第2のネットワークノードに第3のデータを再送することであって、場合によっては、第8のキャリアセット内の各キャリアがNDIによって識別され、キャリア上で現在伝送されている第3のデータが新しいデータか、もしくは再送されたデータかを示すためにNDIが使用され、第8のキャリアセットが第6のキャリアセットの第3のデータの伝送に失敗したキャリアセットであり、
この場合、第9のオプション実施形態における第2のケースを参照すると、第1のネットワークノードが第3のデータを再送するとき、再送があらかじめ設定された固定時間シーケンスn4＋j2内に実施される場合があり、具体的な再送トリガリング条件もしくは時間が、本明細書では限定されない、再送すること
のうちの少なくとも1つをさらに含む。
【０１７９】
場合によっては、第11から第13のオプション実施形態に基づいて、本発明のこの実施形態の第14のオプション実施形態では、第3のデータの伝送が失敗したと判断した後、キャリアセットを使用することによりデータを送信することは、具体的に、以下のステップのうちの少なくとも1つをさらに含む。
【０１８０】
1．第1のネットワークノードが、第5のキャリアセットを使用することによりあらかじめ設定された第6の時間期間に従って第2のネットワークノードによって再送された第4のデータを受信する。場合によっては、第5のキャリアセット内の各キャリアは、新しいデータインジケータNDIによって識別され、NDIは、キャリア上で現在伝送されている第4のデータが新しいデータか、または再送されたデータかを示すために使用される。
【０１８１】
この場合、第6の時間期間の構成方法は、第9のオプション実施形態における第3の時間期間の構成方法と同じであり、詳細については、第9のオプション実施形態を参照されたい。同様の内容は繰り返されない。
【０１８２】
第4のデータがDLデータであり、HARQプロセスが同期非適応HARQプロセスであるとき、かつ伝送が失敗した後、第4のデータは第6の時間期間内に再送される。第1のネットワークノードは再送時点を知らされ、現在のHARQプロセス番号を識別するためにさらなるシグナリングオーバーヘッドを必要とせず、番号はサブフレーム番号から取得される。
【０１８３】
2．NACKに従って第2のネットワークノードによって返信されたNACK応答を受信するか、またはあらかじめ設定された時間内にNACK応答を受信しなかった後、第1のネットワークノードは、第7のキャリアセットを使用することにより第2のネットワークノードによって再送された第4のデータを受信する。場合によっては、第7のキャリアセット内の各キャリアはNDIによって識別され、NDIは、キャリア上で現在伝送されている第4のデータが新しいデータか、または再送されたデータかを示すために使用され、第7のキャリアセットは、第5のキャリアセットの第4のデータの伝送に失敗したキャリアセットである。
【０１８４】
この場合、第9のオプション実施形態の第2のケースを参照すると、第4のデータは固定時間シーケンスn4＋j2内に再送される場合があり、具体的な再送トリガリング条件または時間は、本明細書では限定されない。
【０１８５】
場合によっては、第7から第14のオプション実施形態に基づいて、本発明のこの実施形態の第15のオプション実施形態では、第1の時間期間、第2の時間期間、第5の時間期間、または第6の時間期間は、以下の
異なるサービスタイプ構成、
異なるデータ無線ベアラDRB構成、
異なるキャリア構成、
異なるHARQプロセス構成、または
RRCシグナリング、MACシグナリング、もしくはパケットデータコンバージェンスプロトコル（PDCP、Packet Data Convergence Protocol）を使用することによりシグナリングを構成すること
のうちのいずれか1つに従って取得される。
【０１８６】
場合によっては、第1から第15のオプション実施形態に基づいて、本発明のこの実施形態の第16のオプション実施形態では、各キャリアのHARQプロセスは対応する物理ダウンリンク制御チャネルPDCCHによってスケジュールされ、各キャリアに対応するHARQプロセス番号および冗長性バージョン番号はDCIによって示され、各キャリアはPDCCHに一意に対応し、DCIは複数のキャリアの指示情報もしくはキャリアセットの指示情報を搬送し、
または、
共有HARQプロセスは対応する共有PDCCHによってスケジュールされ、各DLキャリアに対応するHARQプロセス番号および冗長性バージョン番号はDCIによって示され、共有HARQプロセスは共有PDCCHに一意に対応し、共有HARQプロセスはキャリアセットと一対一の対応関係にあり、少なくとも1つの共有HARQプロセスが存在する。
【０１８７】
場合によっては、第1から第16のオプション実施形態に基づいて、本発明のこの実施形態の第17のオプション実施形態では、キャリアセットが1つのキャリアを含むとき、キャリアは同じデータを伝送するための複数のスケジューリングユニットを含み、または
キャリアセットが3つ以上のキャリアを含むとき、キャリアセット内の各キャリア上で同じデータが伝送される。
【０１８８】
TDDでは、各キャリアは、アップリンク伝送機能とダウンリンク伝送機能の両方を有する。アップリンク伝送およびダウンリンク伝送は同じ周波数上で実施され、データは時間割振りに従って横方向に伝送され、すなわち、アップリンク伝送およびダウンリンク伝送は、同じCC上であるが異なる時間スロット内に実施される。
【０１８９】
FDDでは、各キャリアは単方向性である。  すなわち、各キャリアは、アップリンク伝送機能のみを有するか、またはダウンリンク伝送機能のみを有するかのいずれかである。言い換えれば、データは異なる時間期間内に同時に伝送される場合がある。
【０１９０】
場合によっては、第1から第17のオプション実施形態のうちのいずれか1つに基づいて、本発明のこの実施形態の第18のオプション実施形態では、第1のネットワークノードにより、キャリアセットを使用することによりデータを受信した後、方法は、
第1のネットワークノードにより、キャリアセットの各キャリアセットを使用することによって伝送されたデータを組み合わせてデータを取得し、データを復号し、復号結果に従って第2のネットワークノードに、復号結果に対応するシグナリングメッセージを送信すること
をさらに含む。
【０１９１】
場合によっては、第1から第18のオプション実施形態に基づいて、本発明のこの実施形態の第19のオプション実施形態では、第1のネットワークノードがユーザ機器UEであるとき、第1のネットワークノードにより、キャリアセットを使用することによりデータおよび／またはシグナリングを受信および／または送信することは、具体的に、以下のステップ：
UEにより、少なくとも1つのDLキャリアセットを使用することによりDLデータもしくはDLシグナリングのうちの少なくとも1つを受信すること、または
UEにより、少なくとも1つのULキャリアセットを使用することによりULデータもしくはULシグナリングのうちの少なくとも1つを送信すること
のうちの1つを含む。
【０１９２】
図2および図3を参照して、理解を容易にするために、以下では、具体的な適用シナリオを使用して、本発明の実施形態におけるハイブリッド自動再送要求の管理方法を詳細に記載する。第1のネットワークノードがUEであり、第2のネットワークノードが基地局である一例を使用することにより、UEと基地局との間のシグナリング対話のプロセスが詳細に記載される。UEは、現在、1つのDLキャリアセットおよび1つのULキャリアセットを使用し、DLキャリアセットはHARQプロセス1を共有し、ULキャリアセットはHARQプロセス2を共有し、DLキャリアセットは複数のDLキャリア（すなわち、CC1、CC2、…、およびCC8）を含み、ULキャリアセットは複数のULキャリア（すなわち、CC9、CC10、…、およびCC16）を含み、各DLキャリアは一意のULキャリアに対応し、たとえば、CC1はCC9に対応し、CC2はCC10に対応し、…、CC8はCC16対応する。図2に示されたように、本発明の一実施形態におけるキャリアセットを使用することによりDLデータを伝送するプロセスは、以下のステップを含む。
【０１９３】
201．基地局が、CC1、CC2、…、およびCC8上で時点n＝0においてUEにデータAを送信する。
【０１９４】
202．UEが、CC1、CC2、…、およびCC8上でデータAを受信する。
【０１９５】
203．UEが、CC1、CC2、…、およびCC8上のデータAを復号して、それぞれ、復号結果R1、R2、…、およびR8を取得する。
【０１９６】
復号が成功した場合、復号結果を示すために1が使用され、復号が失敗した場合、復号結果を示すために0が使用される。具体的な復号結果が以下の表に示される。
【０１９７】
【表１】
2018514124.tif 000003
【０１９８】
CC4、CC6、およびCC7上でデータ伝送が失敗したことをこの表から知ることができる
【０１９９】
204．UEが、CC1〜CC8に対応する復号結果に従って、それぞれ対応する通知メッセージを作成し、それぞれ、CC9〜CC16上のPUCCH上で時点n＝4において基地局に通知メッセージを送信する。
【０２００】
たとえば、CC1〜CC3およびCC5〜CC8に対応する通知メッセージの各々はACKメッセージであり、CC4、CC5、およびCC7に対応する通知メッセージの各々はNACKメッセージである。
【０２０１】
CC1に対応する通知メッセージはCC9上で基地局に送信され、CC2に対応する通知メッセージはCC10上で基地局に送信され、…、CC8に対応する通知メッセージはCC16上で基地局に送信される。
【０２０２】
205．NDIを使用することによりCC4、CC5、およびCC7を識別した後、基地局が、個別にCC4、CC5、およびCC7上のPDSCH上で時点n＝6においてUEにデータAを再送する。
【０２０３】
206．CC4、CC5、およびCC7上で、基地局によって再送されたデータAを受信した後、UEが、CC4、CC5、およびCC7上で受信されたデータAを復号して、それぞれ、復号結果R4’、R5’、およびR7’を取得する。
【０２０４】
R4’、R5’、およびR7’の各々は1である。
【０２０５】
207．UEが、CC4、CC5、およびCC7に対応する復号結果に従って、それぞれ対応する通知メッセージを作成し、それぞれ、CC12、CC13、およびCC15上で時点n＋10において基地局に通知メッセージを送信する。
【０２０６】
CC4、CC5、およびCC7に対応する通知メッセージの各々はACKメッセージである。
【０２０７】
CC4に対応する通知メッセージはCC12上で基地局に送信され、CC5に対応する通知メッセージはCC13上で基地局に送信され、CC7に対応する通知メッセージはCC15上で基地局に送信される。
【０２０８】
図3に示されたように、本発明の一実施形態におけるキャリアセットを使用することによりULデータを伝送するプロセスは、以下のステップを含む。
【０２０９】
301．UEが、CC9、CC10、…、およびCC16上のPUSCH上で時点n＝4において基地局にデータBを送信する。
【０２１０】
302．CC9、CC10、…、およびCC16上でデータBを受信した後、基地局が、CC9、CC10、…、およびCC16上のデータBを復号して、それぞれ、復号結果R9、R10、…、およびR16を取得する。
【０２１１】
具体的な復号結果が以下の表に示される。
【０２１２】
【表２】
2018514124.tif 000004
【０２１３】
CC9上でデータBの伝送が失敗したことをこの表から知ることができる
【０２１４】
303．基地局が、CC9〜CC16に対応する復号結果に対して論理AND演算を実施して全体的な復号結果を取得し、次いで、全体的な復号結果に従って対応する通知メッセージを作成し、CC9〜CC16のうちのいずれか1つを使用することによりPHICH上で時点n＝8において基地局に通知メッセージを送信し、通知メッセージはNACKメッセージを含む。
【０２１５】
304．UEが、CC9〜CC16上のPUSCH上で時点n＝12において基地局にデータBを再送する。
【０２１６】
305．CC9〜CC16上でUEによって再送されたデータBを受信した後、基地局が、CC9〜CC16上で再送されたデータBを復号して、それぞれ、R9’、R10’、…、およびR16’を取得する。
【０２１７】
R9’、R10’、…、およびR16’の各々は1である。
【０２１８】
306．基地局が、それぞれ、R9’、R10’、…、およびR16に従って対応する通知メッセージを作成し、それぞれ、CC1〜CC7上でUEにこれらの通知メッセージを送信する。
【０２１９】
CC9およびCC10に対応する通知メッセージは、両方ともACKメッセージである。
【０２２０】
図4および図5を参照して、以下で、本発明におけるネットワークノードを詳細に記載する。加えて、本発明は、コンピュータ記憶媒体をさらに提供する。媒体はプログラムを記憶する。実行中、プログラムは、前述のユーザ機器、ネットワークノード、または基地局によって実行されるハイブリッド自動再送要求の管理方法内のいくつかまたはすべてのステップを含む。
【０２２１】
図4は、本発明の一実施形態による、仮想ネットワークノードの概略構造図である。
【０２２２】
図5は、本発明の一実施形態による、ネットワークノード50の別の概略構造図である。ネットワークノード90は、これらの装置間の接続および通信を実装するために、少なくとも1つのネットワークインターフェースまたは別の通信インターエースと、少なくとも1つの受信機501と、少なくとも1つの送信機502と、少なくとも1つのプロセッサ503と、メモリ504とを含む場合がある。（有線またはワイヤレスであり得る）少なくとも1つのネットワークインターフェースは、システムゲートウェイと少なくとも1つの別のネットワーク要素との間の通信接続を実装するために使用される。インターネット、ワイドエリアネットワーク、ローカルエリアネットワーク、メトロポリタンエリアネットワークなどが使用される場合がある。
【０２２３】
メモリ504は、読取り専用メモリおよびランダムアクセスメモリを含む場合があり、プロセッサ503に命令およびデータを供給する。メモリ504の一部は、ランダムアクセスメモリ（RAM、Random Access Memory）を含む場合があるか、または不揮発性メモリ（non-volatile memory）をさらに含む場合がある。
【０２２４】
メモリ904は、以下の要素：実行可能モジュールもしくはデータ構造、またはそれらのサブセット、またはそれらの拡張セットを記憶する。
【０２２５】
動作命令は様々な動作命令を含み、様々な動作を実装するために使用される。
【０２２６】
オペレーティングシステムは様々なシステムプログラムを含み、様々な基本サービスを実装し、ハードウェアベースのタスクを処理するために使用される。
【０２２７】
本発明のこの実施形態では、プロセッサ503は、メモリ504に記憶された動作命令（動作命令はオペレーティングシステムに記憶される場合がある）を起動して、本発明のこの実施形態における処理モジュール401の動作を実施する。受信機501および送信機502は、伝送モジュール402によって実施される動作を完了することができる。
【０２２８】
本発明のこの実施形態は、
キャリアセットとハイブリッド自動再送要求HARQプロセスとの間の第1の対応関係、またはキャリアセットとHARQエンティティとの間の第2の対応関係のうちの少なくとも1つに従って、キャリアセットに対応するHARQプロセスおよび／またはHARQエンティティを決定するように構成された処理モジュール401であって、キャリアセットが少なくとも1つのアップリンクULキャリアセットまたは少なくとも1つのダウンリンクDLキャリアセットのうちの少なくとも1つを含む、処理モジュール401と、
キャリアセットを使用することによりHARQプロセスおよび／またはHARQエンティティに従って、データおよび／またはシグナリングを受信および／または送信するように構成された伝送モジュール402と
を含む。
【０２２９】
処理モジュールはプロセッサ503であり得る。伝送モジュールは受信機501および送信機502を含む。ネットワークノードは、受信機501を使用することによりデータおよび／またはシグナリングを受信することができ、送信機502を使用することによりデータおよび／またはシグナリングを送信する。本明細書ではデータとシグナリングの両方が使用される。
【０２３０】
本発明のこの実施形態では、処理モジュール401は、第1の対応関係または第2の対応関係のうちの少なくとも1つに従って、キャリアセットに対応するHARQプロセスおよび／またはHARQエンティティを決定する。  伝送モジュール402は、キャリアセットを使用することによりHARQプロセスおよび／またはHARQエンティティに従って、データおよび／またはシグナリングを受信および／または送信する。これにより、第2のネットワークノードが複数のキャリアを同時にスケジュールすることができず、複数のキャリア上で同じデータを効果的に伝送することができないために伝送信頼度が比較的低いという問題が解決される。
【０２３１】
場合によっては、図4に対応する実施形態に基づいて、本発明のこの実施形態の第1のオプション実施形態では、HARQプロセスは、以下の対応関係：第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、および第18の対応関係のうちの少なくとも1つに従ってさらに取得される。
【０２３２】
第3の対応関係は、少なくとも1つのキャリア、少なくとも1つのサブフレーム、およびHARQプロセスの間の対応関係である。
【０２３３】
第4の対応関係は、少なくとも1つのキャリア、少なくとも1つのサブフレーム、HARQプロセス、およびHARQエンティティの間の対応関係である。
【０２３４】
第5の対応関係は、少なくとも1つのキャリア、データ送信方式、およびHARQプロセスの間の対応関係である。
【０２３５】
第6の対応関係は、少なくとも1つのキャリア、データ送信方式、HARQプロセス、およびHARQエンティティの間の対応関係である。
【０２３６】
第7の対応関係は、少なくとも1つのキャリア、少なくとも1つの物理リソースブロックPRB、少なくとも1つのサブフレーム、およびHARQプロセスの間の対応関係である。
【０２３７】
第8の対応関係は、少なくとも1つのキャリア、少なくとも1つのPRB、少なくとも1つのサブフレーム、HARQプロセス、およびHARQエンティティの間の対応関係である。
【０２３８】
第9の対応関係は、少なくとも1つのセルインデックス、少なくとも1つのPRB識別子、少なくとも1つの伝送時間間隔TTI番号、およびHARQプロセスの間の対応関係である。
【０２３９】
第10の対応関係は、少なくとも1つのセルインデックス、少なくとも1つのPRB識別子、少なくとも1つの伝送時間間隔TTI番号、HARQプロセス、およびHARQエンティティの間の対応関係である。
【０２４０】
第11の対応関係は、少なくとも1つのキャリア、少なくとも1つのサブフレーム、冗長性バージョン、およびHARQプロセスの間の対応関係である。
【０２４１】
第12の対応関係は、少なくとも1つのキャリア、少なくとも1つのサブフレーム、冗長性バージョン、HARQプロセス、およびHARQエンティティの間の対応関係である。
【０２４２】
第13の対応関係は、少なくとも1つのキャリア、データ送信方式、冗長性バージョン、およびHARQプロセスの間の対応関係である。
【０２４３】
第14の対応関係は、少なくとも1つのキャリア、データ送信方式、冗長性バージョン、HARQプロセス、およびHARQエンティティの間の対応関係である。
【０２４４】
第15の対応関係は、少なくとも1つのキャリア、少なくとも1つのPRB、少なくとも1つのサブフレーム、冗長性バージョン、およびHARQプロセスの間の対応関係である。
【０２４５】
第16の対応関係は、少なくとも1つのキャリア、少なくとも1つのPRB、少なくとも1つのサブフレーム、冗長性バージョン、HARQプロセス、およびHARQエンティティの間の対応関係である。
【０２４６】
第17の対応関係は、少なくとも1つのセルインデックス、少なくとも1つのPRBの識別子、少なくとも1つの伝送時間間隔TTI番号、冗長性バージョン、およびHARQプロセスの間の対応関係である。
【０２４７】
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係である。
【０２４８】
キャリアはULキャリアまたは／およびDLキャリアを含む。
【０２４９】
場合によっては、図4に対応する実施形態または第1のオプション実施形態に基づいて、本発明のこの実施形態の第2のオプション実施形態では、HARQエンティティは、以下の対応関係：第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得される。
【０２５０】
第19の対応関係は、少なくとも1つのキャリア、少なくとも1つのサブフレーム、およびHARQエンティティの間の対応関係である。
【０２５１】
第4の対応関係は、少なくとも1つのキャリア、少なくとも1つのサブフレーム、HARQプロセス、およびHARQエンティティの間の対応関係である。
【０２５２】
第20の対応関係は、少なくとも1つのキャリア、データ送信方式、およびHARQエンティティの間の対応関係である。
【０２５３】
第6の対応関係は、少なくとも1つのキャリア、データ送信方式、HARQプロセス、およびHARQエンティティの間の対応関係である。
【０２５４】
第21の対応関係は、少なくとも1つのキャリア、少なくとも1つのPRB、少なくとも1つのサブフレーム、およびHARQエンティティの間の対応関係である。
【０２５５】
第8の対応関係は、少なくとも1つのキャリア、少なくとも1つのPRB、少なくとも1つのサブフレーム、HARQプロセス、およびHARQエンティティの間の対応関係である。
【０２５６】
第22の対応関係は、少なくとも1つのセルインデックス、少なくとも1つのPRB識別子、少なくとも1つの伝送時間間隔TTI番号、およびHARQエンティティの間の対応関係である。
【０２５７】
第9の対応関係は、少なくとも1つのセルインデックス、少なくとも1つのPRB識別子、少なくとも1つの伝送時間間隔TTI番号、HARQプロセス、およびHARQエンティティの間の対応関係である。
【０２５８】
第23の対応関係は、少なくとも1つのキャリア、少なくとも1つのサブフレーム、冗長性バージョン、およびHARQエンティティの間の対応関係である。
【０２５９】
第12の対応関係は、少なくとも1つのキャリア、少なくとも1つのサブフレーム、冗長性バージョン、HARQプロセス、およびHARQエンティティの間の対応関係である。
【０２６０】
第24の対応関係は、少なくとも1つのキャリア、データ送信方式、冗長性バージョン、およびHARQエンティティの間の対応関係である。
【０２６１】
第14の対応関係は、少なくとも1つのキャリア、データ送信方式、冗長性バージョン、HARQプロセス、およびHARQエンティティの間の対応関係である。
【０２６２】
第25の対応関係は、少なくとも1つのキャリア、少なくとも1つのPRB、少なくとも1つのサブフレーム、冗長性バージョン、およびHARQエンティティの間の対応関係である。
【０２６３】
第16の対応関係は、少なくとも1つのキャリア、少なくとも1つのPRB、少なくとも1つのサブフレーム、冗長性バージョン、HARQプロセス、およびHARQエンティティの間の対応関係である。
【０２６４】
第26の対応関係は、少なくとも1つのセルインデックス、少なくとも1つのPRBの識別子、少なくとも1つの伝送時間間隔TTI番号、冗長性バージョン、およびHARQエンティティの間の対応関係である。
【０２６５】
第18の対応関係は、少なくとも1つのセルインデックス、少なくとも1つのPRBの識別子、少なくとも1つの伝送時間間隔TTI番号、冗長性バージョン、HARQプロセス、およびHARQエンティティの間の対応関係である。
【０２６６】
キャリアはULキャリアまたはDLキャリアを含む。
【０２６７】
場合によっては、図4に対応する実施形態または第1もしくは第2のオプション実施形態に基づいて、本発明のこの実施形態の第3のオプション実施形態では、第1の対応関係から第26の対応関係は、第2のネットワークノードによって送信される無線リソース制御RRCシグナリング、媒体アクセス制御制御要素MAC CEシグナリング、または物理ダウンリンク制御チャネルPDCCHシグナリングのうちの少なくとも1つによって示される。
【０２６８】
第1の対応関係から第26の対応関係が物理ダウンリンク制御チャネルPDCCHシグナリングによって示されることは、
キャリアセット内の各キャリアのHARQプロセス番号がPDCCHシグナリングによって示されること
を含み、PDCCHシグナリングは、少なくとも1つのキャリアを示すために使用される指示情報または少なくとも1つのキャリアセットを示すために使用される指示情報を搬送する。
【０２６９】
場合によっては、図4に対応する実施形態または第1から第3のオプション実施形態のうちのいずれか1つに基づいて、本発明のこの実施形態の第4のオプション実施形態では、キャリアセットは、同じHARQプロセスを共有する第1のキャリアセットを含み、伝送モジュール402は、具体的に、以下のステップ：
受信機501および第1のキャリアセットを使用することにより第1のデータを受信し、第1のデータを復号し、第1の復号結果に従って送信機502を使用することにより第2のネットワークノードに第1のメッセージを送信することであって、第1の復号結果が復号の成功を示すとき、第1のメッセージが肯定応答ACKメッセージを含み、または第1の復号結果が復号の失敗を示すとき、第1のメッセージが否定応答NACKメッセージを含み、第1のメッセージが、以下の方式：第1のキャリアセット内のいずれかのキャリア、第1のキャリアセット内のすべてのキャリア、無線リソース制御RRCシグナリングもしくは媒体アクセス制御MACシグナリングに従って事前構成されたキャリア、または第1のキャリアセット内の第1の復号結果に対応するDLキャリアに対応するULキャリアのうちのいずれか1つで、第1の時間期間内に第2のネットワークノードに送信されるシグナリングメッセージである、送信すること、あるいは
受信機501および第1のキャリアセットを使用することにより第1のデータを受信し、第1のキャリアセット内の各キャリアに対応する第1のデータを復号し、送信機502を使用することにより第2の復号結果に従って第2のネットワークノードに複数の第2のメッセージを送信することであって、第2の復号結果が復号の成功を示すとき、第2のメッセージがACKメッセージを含み、または第2の復号結果が復号の失敗を示すとき、第2のメッセージがNACKメッセージを含み、第2のメッセージが、第1のキャリアセット内の各キャリアに対応し、各キャリア上で第2のネットワークノードに送信されるシグナリングメッセージ、または第2の復号結果に対応し、第1のキャリアセット内にあるDLキャリアに対応するULキャリア上で第2のネットワークノードに送信されるシグナリングメッセージである、送信すること
のうちの少なくとも1つを実施するように構成される。
【０２７０】
場合によっては、第4のオプション実施形態に基づいて、本発明のこの実施形態の第5のオプション実施形態では、第1のメッセージは、以下の条件：
第1のキャリアセット内の各キャリア上で受信された第1のデータの復号が成功すると、第1のメッセージはACKメッセージを含むこと、
第1のキャリアセット内のいずれかのキャリア上で受信された第1のデータの復号が成功すると、第1のメッセージはACKメッセージを含むこと、
第1のキャリアセット内の各キャリア上で受信された第1のデータの復号が失敗すると、第1のメッセージはNACKメッセージを含むこと、または
第1のキャリアセット内のいずれかのキャリア上で受信された第1のデータの復号が失敗すると、第1のメッセージはNACKメッセージを含むこと
のうちの少なくとも1つを満たす。
【０２７１】
場合によっては、図4に対応する実施形態または第1から第5のオプション実施形態のうちのいずれか1つに基づいて、本発明のこの実施形態の第6のオプション実施形態では、キャリアセットは、同じHARQプロセスを共有する第2のキャリアセットを含み、伝送モジュール402は、以下のステップ：
送信機502および第2のキャリアセットを使用することにより第2のネットワークノードに第2のデータを送信し、受信機501を使用することにより第2のキャリアセット内の各キャリアに対応する第3のメッセージを受信した後、第3のメッセージが第2のキャリアセットに対応するNACKメッセージを含むと判定すると、第2のデータの伝送が失敗したと判断し、または第3のメッセージが第2のキャリアセットに対応するACKメッセージを含むと判定すると、第2のデータの伝送が成功したと判断することであって、第3のメッセージが、第2のキャリアセットに対応し、以下の方式：第2のキャリアセット内のいずれかのキャリア、第2のキャリアセット内のすべてのキャリア、RRCシグナリングもしくはMACシグナリングに従って事前構成されたキャリア、またはダウンリンク制御情報DCIを送信するためのキャリアのうちのいずれか1つで、あらかじめ設定された第2の時間期間内に第2のネットワークノードによりネットワークノードに送信されるシグナリングメッセージである、判断すること、あるいは
送信機502および第2のキャリアセットを使用することにより第2のネットワークノードに第2のデータを送信し、受信機501を使用することにより第4のメッセージを受信した後、第4のメッセージの各々がACKメッセージを含む場合、第2のデータの伝送が成功したと判断し、または第4のメッセージのうちのいずれか1つがACKメッセージを含む場合、第2のデータの伝送が成功したと判断し、または第4のメッセージの各々がNACKメッセージを含む場合、第2のデータの伝送が失敗したと判断し、または第4のメッセージのうちのいずれか1つがNACKメッセージを含む場合、第2のデータの伝送が失敗したと判断し、または第4のメッセージのうちのどれも受信されなかった場合、第2のデータの伝送が失敗したと判断し、または第4のメッセージのうちのいずれか1つが受信されなかった場合、第2のデータの伝送が失敗したと判断することであって、第4のメッセージが、第2のキャリアセット内の各キャリアに対応し、各キャリア上で第2のネットワークノードによりネットワークノードに送信されるシグナリングメッセージである、判断すること
のうちの少なくとも1つを実施するようにさらに構成される。
【０２７２】
場合によっては、第6のオプション実施形態に基づいて、本発明のこの実施形態の第7のオプション実施形態では、伝送モジュール402は、以下のステップ：
第2のデータを再送するために、第2のキャリアセットから少なくとも1つのキャリアを選択すること、
第3のメッセージもしくは第4のメッセージに対応するキャリア上で、第2のデータを再送する動作を実施すること、
各キャリアに対応し、受信機501を使用することによって受信された第4のメッセージがNACKメッセージであるとき、第2のデータを再送する動作を開始すること、
いずれかのキャリアに対応し、受信機501を使用することによって受信された第4のメッセージがNACKメッセージであるとき、第2のデータを再送する動作を開始すること、
受信機501が第2のキャリアセット内のすべてのキャリアに対応する第4のメッセージを受信しなかったとき、第2のデータを再送する動作を開始すること、または
受信機501が第2のキャリアセット内のいずれかのキャリアに対応する第4のメッセージを受信しなかったとき、第2のデータを再送する動作を開始すること
のうちの少なくとも1つを実施するようにさらに構成される。
【０２７３】
場合によっては、図4に対応する実施形態または第1から第7のオプション実施形態のうちのいずれか1つに基づいて、本発明のこの実施形態の第8のオプション実施形態では、処理モジュール401は、
送信機502を使用することによりキャリアセット内のいずれかのキャリア上で第2のデータが再送された後、毎回前の変数現在伝送番号を1だけ増分する
ようにさらに構成される。
【０２７４】
代替として、キャリアセット内のすべてのキャリアは、変数現在伝送番号と一対一の対応関係にある。
【０２７５】
処理モジュール401は、以下のステップ：
いずれかのキャリアの変数現在伝送番号があらかじめ設定された最大値に達したと判定すると、HARQバッファをクリアすること、または
キャリアセット内の各キャリアの変数現在伝送番号があらかじめ設定された最大値に達したと判定すると、HARQバッファをクリアすること
のうちの少なくとも1つをさらに実施する。
【０２７６】
場合によっては、第4から第8のオプション実施形態に基づいて、本発明のこの実施形態の第9のオプション実施形態では、伝送モジュール402は、具体的に、以下のステップ：
受信機501を使用することにより、第1のキャリアセットを使用することによりあらかじめ設定された第3の時間期間に従って第2のネットワークノードによって再送された第1のデータを受信することであって、第1のキャリアセット内の各キャリアが新しいデータインジケータNDIによって識別され、キャリア上で現在伝送されている第1のデータが新しいデータか、もしくは再送されたデータかを示すためにNDIが使用される、受信すること、または
受信機501を使用することにより、NACKに従って第2のネットワークノードによって返信されたNACK応答を受信するか、もしくはあらかじめ設定された時間内にNACK応答を受信しなかった後、受信機501を使用することにより、第3のキャリアセットを使用することにより第2のネットワークノードによって再送された第1のデータを受信することであって、第3のキャリアセット内の各キャリアがNDIによって識別され、キャリア上で現在伝送されている第1のデータが新しいデータか、もしくは再送されたデータかを示すためにNDIが使用され、第3のキャリアセットが第1のキャリアセットの第1のデータの伝送に失敗したキャリアセットである、受信すること
のうちの少なくとも1つを実施するようにさらに構成される。
【０２７７】
場合によっては、図4に対応する実施形態または第1から第9のオプション実施形態のうちのいずれか1つに基づいて、本発明のこの実施形態の第10のオプション実施形態では、伝送モジュール402は、具体的に、以下のステップ：
送信機502および第2のキャリアセットを使用することによりあらかじめ設定された第4の時間期間に従って第2のネットワークノードに第2のデータを再送することであって、第2のキャリアセット内の各キャリアが新しいデータインジケータNDIによって識別され、キャリア上で現在伝送されている第2のデータが新しいデータか、もしくは再送されたデータかを示すためにNDIが使用される、再送すること、または
第2のデータの伝送が失敗したと判断した後、送信機502および第4のキャリアセットを使用することにより第2のネットワークノードに第2のデータを再送することであって、第8のキャリアセット内の各キャリアがNDIによって識別され、キャリア上で現在伝送されている第4のデータが新しいデータか、もしくは再送されたデータかを示すためにNDIが使用され、第4のキャリアセットが第2のキャリアセットの第2のデータの伝送に失敗したULキャリアセットである、再送すること
のうちの少なくとも1つを実施するようにさらに構成される。
【０２７８】
場合によっては、図4に対応する実施形態または第1から第10のオプション実施形態のうちのいずれか1つに基づいて、本発明のこの実施形態の第11のオプション実施形態では、キャリアセットは、同じデータを送信するために使用され、個別のHARQプロセスを使用する第5のキャリアセットを含み、伝送モジュール402は、具体的に、以下のステップ：
送信機502および第5のキャリアセットを使用することにより第2のネットワークノードに第3のデータを送信し、受信機501を使用することにより第5のメッセージを受信した後、第5のメッセージが第5のキャリアセットに対応するNACKメッセージを含むと判定すると、第3のデータの伝送が失敗したと判断し、または第5のメッセージが第5のキャリアセットに対応するACKメッセージを含むと判定すると、第3のデータの伝送が成功したと判断することであって、第5のメッセージが、第2のキャリアセットに対応し、以下の方式：第5のキャリアセット内のいずれかのキャリア、第5のキャリアセット内のすべてのキャリア、RRCシグナリングもしくはMACシグナリングに従って事前構成されたキャリア、またはDCIを送信するためのキャリアのうちのいずれか1つで、あらかじめ設定された第5の時間期間内に第2のネットワークノードによりネットワークノードに送信されるシグナリングメッセージである、判断すること、あるいは
送信機502および第5のキャリアセットを使用することにより第2のネットワークノードに第3のデータを送信し、受信機501を使用することにより第6のメッセージを受信した後、第6のメッセージが第3のデータを送信するために使用された第5のキャリアセットに対応するNACKメッセージを含むと判定する場合、第3のデータの伝送が失敗したと判断し、または第6のメッセージが少なくとも1つのACKメッセージを含むと判定する場合、第3のデータの伝送が成功したと判断することであって、第6のメッセージが、第5のキャリアセット内の各キャリアに対応し、各キャリア上で第2のネットワークノードによりネットワークノードに送信されるシグナリングメッセージである、判断すること
のうちの少なくとも1つを実施するようにさらに構成される。
【０２７９】
場合によっては、図4に対応する実施形態または第1から第11のオプション実施形態のうちのいずれか1つに基づいて、本発明のこの実施形態の第12のオプション実施形態では、キャリアセットは、同じデータを送信するために使用され、個別のHARQプロセスを使用する第6のキャリアセットを含み、伝送モジュール402は、以下のステップ：
受信機501および第6のキャリアセットを使用することにより第4のデータを受信し、第4のデータを復号し、送信機502を使用することにより第3の復号結果に従って第2のネットワークノードに第7のメッセージを送信することであって、第3の復号結果が復号の成功を示すとき、第7のメッセージがACKメッセージを含み、または第3の復号結果が復号の失敗を示すとき、第7のメッセージがNACKメッセージを含み、第7のメッセージが、以下の方式：第6のキャリアセット内のいずれかのキャリア、第6のキャリアセット内のすべてのキャリア、RRCシグナリングもしくはMACシグナリングに従って事前構成されたキャリア、または第3の復号結果に対応し、第6のキャリアセット内にあるDLキャリアに対応するULキャリアのうちのいずれか1つで、第6の時間期間内に第1のネットワークノードにより第2のネットワークノードに送信されるシグナリングメッセージである、送信すること、あるいは
受信機501および第6のキャリアセットを使用することにより第4のデータを受信し、第4のデータを復号し、送信機502を使用することにより第4の復号結果に従って第2のネットワークノードに第8のメッセージを送信することであって、第4の復号結果が復号の成功を示すとき、第4のメッセージがACKメッセージを含み、または第4の復号結果が復号の失敗を示すとき、第8のメッセージがNACKメッセージを含み、第8のメッセージが、第6のキャリアセット内の各キャリアに対応し、各キャリア上で第2のネットワークノードに送信されるシグナリングメッセージ、または第4の復号結果に対応し、第6のキャリアセット内にあるDLキャリアに対応するULキャリア上で第2のネットワークノードに送信されるシグナリングメッセージである、送信すること
のうちの少なくとも1つを実施するようにさらに構成される。
【０２８０】
場合によっては、第11または第12のオプション実施形態に基づいて、本発明のこの実施形態の第13のオプション実施形態では、伝送モジュール402は、具体的に、以下のステップ：
送信機502および第6のキャリアセットを使用することによりあらかじめ設定された第7の時間期間に従って第2のネットワークノードに第3のデータを再送することであって、第6のキャリアセット内の各キャリアが新しいデータインジケータNDIによって識別され、キャリア上で現在伝送されている第3のデータが新しいデータか、もしくは再送されたデータかを示すためにNDIが使用される、再送すること、または
第3のデータの伝送が失敗したと判断した後、送信機502および第8のキャリアセットを使用することにより第2のネットワークノードに第3のデータを再送することであって、第8のキャリアセット内の各キャリアがNDIによって識別され、キャリア上で現在伝送されている第3のデータが新しいデータか、もしくは再送されたデータかを示すためにNDIが使用され、第8のキャリアセットが第6のキャリアセットの第3のデータの伝送に失敗したキャリアセットである、再送すること
のうちの少なくとも1つを実施するようにさらに構成される。
【０２８１】
場合によっては、第11から第13のオプション実施形態に基づいて、本発明のこの実施形態の第14のオプション実施形態では、伝送モジュール402は、以下のステップ：
受信機501を使用することにより、第5のキャリアセットを使用することによりあらかじめ設定された第6の時間期間に従って第2のネットワークノードによって再送された第4のデータを受信することであって、第5のキャリアセット内の各キャリアが新しいデータインジケータNDIによって識別され、キャリア上で現在伝送されている第4のデータが新しいデータか、もしくは再送されたデータかを示すためにNDIが使用される、受信すること、または
受信機501を使用することにより、NACKに従って第2のネットワークノードによって返信されたNACK応答を受信するか、もしくはあらかじめ設定された時間内にNACK応答を受信しなかった後、第7のキャリアセットを使用することにより第2のネットワークノードによって再送された第4のデータを受信することであって、第7のキャリアセット内の各キャリアがNDIによって識別され、キャリア上で現在伝送されている第4のデータが新しいデータか、もしくは再送されたデータかを示すためにNDIが使用され、第7のキャリアセットが第5のキャリアセットの第4のデータの伝送に失敗したキャリアセットである、受信すること
のうちの少なくとも1つを実施するようにさらに構成される。
【０２８２】
場合によっては、第7から第14のオプション実施形態に基づいて、本発明のこの実施形態の第15のオプション実施形態では、第1の時間期間、第2の時間期間、第5の時間期間、または第6の時間期間は、以下の
異なるサービスタイプ構成、
異なるデータ無線ベアラDRB構成、
異なるキャリア構成、
異なるHARQプロセス構成、または
RRCシグナリング、MACシグナリング、もしくはパケットデータコンバージェンスプロトコルPDCPシグナリングの構成
のうちのいずれか1つに従って取得される。
【０２８３】
場合によっては、図4に対応する実施形態または第1から第15のオプション実施形態のうちのいずれか1つに基づいて、本発明のこの実施形態の第16のオプション実施形態では、各キャリアのHARQプロセスは対応する物理ダウンリンク制御チャネルPDCCHによってスケジュールされ、各キャリアに対応するHARQプロセス番号および冗長性バージョン番号はDCIによって示され、各キャリアはPDCCHに一意に対応し、DCIは複数のキャリアの指示情報もしくはキャリアセットの指示情報を搬送し、
または、
共有HARQプロセスは対応する共有PDCCHによってスケジュールされ、各DLキャリアに対応するHARQプロセス番号および冗長性バージョン番号はDCIによって示され、共有HARQプロセスは共有PDCCHに一意に対応し、共有HARQプロセスはキャリアセットと一対一の対応関係にあり、少なくとも1つの共有HARQプロセスが存在する。
【０２８４】
場合によっては、図4に対応する実施形態または第1から第16のオプション実施形態のうちのいずれか1つに基づいて、本発明のこの実施形態の第17のオプション実施形態では、キャリアセットが1つのキャリアを含むとき、キャリアは同じデータを伝送する複数のスケジューリングユニットを含み、または
キャリアセットが3つ以上のキャリアを含むとき、キャリアセット内の各キャリア上で同じデータが伝送される。
【０２８５】
場合によっては、図4に対応する実施形態または第1から第17のオプション実施形態のうちのいずれか1つに基づいて、本発明のこの実施形態の第18のオプション実施形態では、処理モジュール401は、
キャリアセット内の各キャリアを使用することにより伝送モジュール402によって伝送されたデータを組み合わせてデータを取得し、データを復号する
ようにさらに構成される。
【０２８６】
伝送モジュール402の送信機502は、復号結果に従って第2のネットワークノードに、復号結果に対応するシグナリングメッセージを送信するようにさらに構成される。
【０２８７】
場合によっては、図4に対応する実施形態または第1から第18のオプション実施形態に基づいて、本発明のこの実施形態の第19のオプション実施形態では、ネットワークノードがユーザ機器UEであるとき、伝送モジュール402は、以下のステップ：
伝送モジュール402の受信機501および少なくとも1つのDLキャリアセットを使用することにより、DLデータもしくはDLシグナリングのうちの少なくとも1つを受信すること、または
伝送モジュール402の送信機502および少なくとも1つのULキャリアセットを使用することにより、ULデータもしくはULシグナリングのうちの少なくとも1つを送信すること
のうちの1つを実施するようにさらに構成される。
【０２８８】
前述で、本発明の実施形態におけるハイブリッド自動再送要求の管理方法およびネットワークノードが詳細に記載され、本発明の一実施形態における通信システムは、図4に対応する実施形態または図4に対応する実施形態の第1から第19のオプション実施形態のうちのいずれか1つによるネットワークノードを含む。
【０２８９】
場合によっては、通信システムは第2のネットワークノードをさらに含む。
【０２９０】
前述の実施形態では、各実施形態の説明はそれぞれの焦点を有する。一実施形態において詳細に記載されていない部分については、他の実施形態における関連説明を参照されたい。
【０２９１】
便利で簡潔な説明のために、前述のシステム、装置、およびユニットの具体的な動作プロセスについて、前述の方法実施形態内の対応するプロセスに対して参照を行うことができ、本明細書では詳細は記載されないことは、当業者なら明確に理解されよう。
【０２９２】
本出願において提供されたいくつかの実施形態では、開示されたシステム、装置、および方法は他の方式で実装される場合があることを理解されたい。たとえば、記載された装置実施形態は一例にすぎない。たとえば、ユニット分割は論理的な機能分割にすぎず、実際の実装形態では他の分割であってよい。たとえば、複数のユニットまたは構成要素は組み合わされるか、もしくは別のシステムに統合される場合があり、または、いくつかの特徴は無視されるか、もしくは実施されない場合がある加えて、表示または説明された相互結合または直接結合または通信接続は、いくつかのインターフェース、装置間もしくはユニット間の間接結合もしくは通信接続、または電気接続、機械接続、もしくは他の形態の接続を介して実装される場合がある。
【０２９３】
個別の部分として記載されたユニットは、物理的に分かれている場合も、分かれていない場合もあり、ユニットとして表示された部分は、物理ユニットである場合も、そうでない場合もあり、1つの場所に位置する場合があり、または複数のネットワークユニット上に分散される場合がある。ユニットのうちのいくつかまたはすべては、実施形態の解決策の目的を達成するために、実際の必要に応じて選択される場合がある。
【０２９４】
加えて、本発明の実施形態における機能ユニットは、1つの処理ユニットに統合される場合があり、または、ユニットの各々は物理的に単独で存在する場合があり、または2つ以上のユニットは1つのユニットに統合される場合がある。統合ユニットは、ハードウェアの形態で実装される場合があるか、またはソフトウェア機能ユニットの形態で実装される場合がある。
【０２９５】
統合ユニットがソフトウェア機能ユニットの形態で実装され、独立した製品として販売または使用されるとき、統合ユニットはコンピュータ可読記憶媒体に記憶される場合がある。そのような理解に基づいて、本発明の技術的解決策は本質的に、または従来技術に寄与する部分は、または技術的解決策のうちのすべてもしくはいくつかは、ソフトウェア製品の形態で実装される場合がある。ソフトウェア製品は、記憶媒体に記憶され、本発明の実施形態に記載された方法のステップのすべてまたはいくつかを実施するように、（パーソナルコンピュータ、サーバ、またはネットワークデバイスであり得る）コンピュータデバイスに命令するためのいくつかの命令を含む。前述の記憶媒体には、USBフラッシュドライブ、リムーバブルハードディスク、読取り専用メモリ（ROM、Read-Only Memory）、ランダムアクセスメモリ（RAM、Random Access Memory）、磁気ディスク、または光ディスクなどの、プログラムコードを記憶することができる任意の媒体が含まれる。
【０２９６】
前述では、本発明によって提供される電源トラブルシューティングの方法および装置が詳細に記載された。本明細書では、本発明の原理および実装形態を記載するために具体例が使用され、実施形態の説明は、本発明の方法および核となるアイデアの理解を助けるものにすぎない。一方、当業者は、本発明のアイデアに基づいて、具体的な実装形態および適用範囲に対して修正を行うことができる。したがって、本明細書の内容は、本発明の制限と解釈されるべきではない。
【符号の説明】
【０２９７】
50  ネットワークノード
401  処理モジュール
402  伝送モジュール
501  受信機
502  送信機
503  プロセッサ
504  メモリ
【図１】
2018514124.tif 000005
【図２】
2018514124.tif 000006
【図３】
2018514124.tif 000007
【図４】
2018514124.tif 000008
【図５】
2018514124.tif 000009
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
ハイブリッド自動再送要求の管理方法であって、
第1のネットワークノードにより、キャリアセットとハイブリッド自動再送要求（HARQ）プロセスとの間の第1の対応関係、または前記キャリアセットとHARQエンティティとの間の第2の対応関係のうちの少なくとも1つに従って、前記キャリアセットに対応するHARQプロセスおよび／またはHARQエンティティを決定するステップであって、前記キャリアセットが少なくとも1つのアップリンク（UL）キャリアセットまたは少なくとも1つのダウンリンク（DL）キャリアセットのうちの少なくとも1つを含む、ステップと、
前記第1のネットワークノードにより、前記キャリアセットを使用することによって、前記HARQプロセスおよび／または前記HARQエンティティに従って、データおよび／またはシグナリングを受信および／または送信するステップと
を含む方法。
【請求項２】
前記HARQプロセスが、以下の対応関係、すなわち、第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得され、
前記第3の対応関係が、少なくとも1つのキャリア、少なくとも1つのサブフレーム、およびHARQプロセスの間の対応関係であり、
前記第4の対応関係が、少なくとも1つのキャリア、少なくとも1つのサブフレーム、HARQプロセス、およびHARQエンティティの間の対応関係であり、
前記第5の対応関係が、少なくとも1つのキャリア、データ送信方式、およびHARQプロセスの間の対応関係であり、
前記第6の対応関係が、少なくとも1つのキャリア、データ送信方式、HARQプロセス、およびHARQエンティティの間の対応関係であり、
前記第7の対応関係が、少なくとも1つのキャリア、少なくとも1つの物理リソースブロック（PRB）、少なくとも1つのサブフレーム、およびHARQプロセスの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第9の対応関係が、少なくとも1つのセルインデックス、少なくとも1つのPRB識別子、少なくとも1つの伝送時間間隔（TTI）番号、およびHARQプロセスの間の対応関係であり、
前記第10の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第11の対応関係が、少なくとも1つのキャリア、少なくとも1つのサブフレーム、冗長性バージョン、およびHARQプロセスの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第13の対応関係が、少なくとも1つのキャリア、データ送信方式、冗長性バージョン、およびHARQプロセスの間の対応関係であり、
前記第14の対応関係が、少なくとも1つのキャリア、データ送信方式、冗長性バージョン、HARQプロセス、およびHARQエンティティの間の対応関係であり、
前記第15の対応関係が、少なくとも1つのキャリア、少なくとも1つのPRB、少なくとも1つのサブフレーム、冗長性バージョン、およびHARQプロセスの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第17の対応関係が、少なくとも1つのセルインデックス、前記少なくとも1つのPRBの識別子、少なくとも1つの伝送時間間隔（TTI）番号、冗長性バージョン、およびHARQプロセスの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたは／およびDLキャリアを含む、請求項1に記載の方法。
【請求項３】
前記HARQエンティティが、以下の対応関係、すなわち、第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得され、
前記第19の対応関係が、少なくとも1つのキャリア、少なくとも1つのサブフレーム、およびHARQエンティティの間の対応関係であり、
前記第4の対応関係が、少なくとも1つのキャリア、少なくとも1つのサブフレーム、HARQプロセス、およびHARQエンティティの間の対応関係であり、
前記第20の対応関係が、少なくとも1つのキャリア、データ送信方式、およびHARQエンティティの間の対応関係であり、
前記第6の対応関係が、少なくとも1つのキャリア、データ送信方式、HARQプロセス、およびHARQエンティティの間の対応関係であり、
前記第21の対応関係が、少なくとも1つのキャリア、少なくとも1つのPRB、少なくとも1つのサブフレーム、およびHARQエンティティの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第22の対応関係が、少なくとも1つのセルインデックス、少なくとも1つのPRB識別子、少なくとも1つの伝送時間間隔（TTI）番号、およびHARQエンティティの間の対応関係であり、
前記第9の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第23の対応関係が、少なくとも1つのキャリア、少なくとも1つのサブフレーム、冗長性バージョン、およびHARQエンティティの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第24の対応関係が、少なくとも1つのキャリア、データ送信方式、冗長性バージョン、およびHARQエンティティの間の対応関係であり、
前記第14の対応関係が、少なくとも1つのキャリア、データ送信方式、冗長性バージョン、HARQプロセス、およびHARQエンティティの間の対応関係であり、
前記第25の対応関係が、少なくとも1つのキャリア、少なくとも1つのPRB、少なくとも1つのサブフレーム、冗長性バージョン、およびHARQエンティティの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第26の対応関係が、少なくとも1つのセルインデックス、前記少なくとも1つのPRBの識別子、少なくとも1つの伝送時間間隔（TTI）番号、冗長性バージョン、およびHARQエンティティの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたはDLキャリアを含む、請求項1または2に記載の方法。
【請求項４】
前記第1の対応関係から第26の対応関係が、第2のネットワークノードによって送信される無線リソース制御（RRC）シグナリング、媒体アクセス制御制御要素（MAC CE）シグナリング、または物理ダウンリンク制御チャネル（PDCCH）シグナリングのうちの少なくとも1つによって示され、
前記第1の対応関係から第26の対応関係が物理ダウンリンク制御チャネル（PDCCH）シグナリングによって示されることが、
前記キャリアセット内の各キャリアのHARQプロセス番号が前記PDCCHシグナリングによって示されること
を含み、前記PDCCHシグナリングが、少なくとも1つのキャリアを示すために使用される指示情報または前記少なくとも1つのキャリアセットを示すために使用される指示情報を搬送する、請求項1から3のいずれか一項に記載の方法。
【請求項５】
前記キャリアセットが、同じHARQプロセスを共有する第1のキャリアセットを含み、前記キャリアセットを使用することによってデータを受信しシグナリングを送信する前記ステップが、以下のステップ、すなわち、
前記第1のネットワークノードにより、前記第1のキャリアセットを使用することによって第1のデータを受信し、前記第1のデータを復号し、第1の復号結果に従って第2のネットワークノードに第1のメッセージを送信するステップであって、前記第1の復号結果が前記復号の成功を示すとき、前記第1のメッセージが肯定応答（ACK）メッセージを含み、または前記第1の復号結果が前記復号の失敗を示すとき、前記第1のメッセージが否定応答（NACK）メッセージを含み、前記第1のメッセージが、以下の方式、すなわち、前記第1のキャリアセット内のいずれかのキャリア、前記第1のキャリアセット内のすべてのキャリア、無線リソース制御（RRC）シグナリングもしくは媒体アクセス制御（MAC）シグナリングに従って事前構成されたキャリア、または前記第1のキャリアセット内の前記第1の復号結果に対応するDLキャリアに対応するULキャリアのうちのいずれか1つで、第1の時間期間内に前記第1のネットワークノードによって前記第2のネットワークノードに送信されるシグナリングメッセージである、ステップ、または
前記第1のネットワークノードにより、前記第1のキャリアセットを使用することによって前記第1のデータを受信し、前記第1のキャリアセット内の各キャリアに対応する前記第1のデータを復号し、第2の復号結果に従って前記第2のネットワークノードに複数の第2のメッセージを送信するステップであって、前記第2の復号結果が前記復号の成功を示すとき、前記第2のメッセージが前記ACKメッセージを含み、または前記第2の復号結果が前記復号の失敗を示すとき、前記第2のメッセージが前記NACKメッセージを含み、前記第2のメッセージが、前記第1のキャリアセット内の各キャリアに対応し、各キャリア上で前記第1のネットワークノードによって前記第2のネットワークノードに送信されるシグナリングメッセージ、または前記第2の復号結果に対応し、前記第1のキャリアセット内にあるDLキャリアに対応するULキャリア上で前記第2のネットワークノードに送信されるシグナリングメッセージである、ステップ
のうちの少なくとも1つを含む、請求項1から4のいずれか一項に記載の方法。
【請求項６】
前記第2のネットワークノード向けの前記第1のメッセージが、以下の条件、すなわち、
前記第1のネットワークノードが前記第1のキャリアセット内の各キャリア上で受信された前記第1のデータの復号に成功すると、前記第1のメッセージが前記ACKメッセージを含むこと、
前記第1のネットワークノードが前記第1のキャリアセット内のいずれかのキャリア上で受信された前記第1のデータの復号に成功すると、前記第1のメッセージが前記ACKメッセージを含むこと、
前記第1のネットワークノードが前記第1のキャリアセット内の各キャリア上で受信された前記第1のデータの復号に失敗すると、前記第1のメッセージが前記NACKメッセージを含むこと、または
前記第1のネットワークノードが前記第1のキャリアセット内のいずれかのキャリア上で受信された前記第1のデータの復号に失敗すると、前記第1のメッセージが前記NACKメッセージを含むこと
のうちの少なくとも1つを満たす、請求項5に記載の方法。
【請求項７】
キャリアセットとハイブリッド自動再送要求（HARQ）プロセスとの間の第1の対応関係、または前記キャリアセットとHARQエンティティとの間の第2の対応関係のうちの少なくとも1つに従って、前記キャリアセットに対応するHARQプロセスおよび／またはHARQエンティティを決定するように構成された処理モジュールであって、前記キャリアセットが少なくとも1つのアップリンク（UL）キャリアセットまたは少なくとも1つのダウンリンク（DL）キャリアセットのうちの少なくとも1つを含む、処理モジュールと、
前記キャリアセットを使用することによって、前記HARQプロセスおよび／または前記HARQエンティティに従って、データおよび／またはシグナリングを受信および／または送信するように構成された伝送モジュールと
を備えるネットワークノード。
【請求項８】
前記HARQプロセスが、以下の対応関係、すなわち、第3の対応関係、第4の対応関係、第5の対応関係、第6の対応関係、第7の対応関係、第8の対応関係、第9の対応関係、第10の対応関係、第11の対応関係、第12の対応関係、第13の対応関係、第14の対応関係、第15の対応関係、第16の対応関係、第17の対応関係、または第18の対応関係のうちの少なくとも1つに従ってさらに取得され、
前記第3の対応関係が、少なくとも1つのキャリア、少なくとも1つのサブフレーム、およびHARQプロセスの間の対応関係であり、
前記第4の対応関係が、少なくとも1つのキャリア、少なくとも1つのサブフレーム、HARQプロセス、およびHARQエンティティの間の対応関係であり、
前記第5の対応関係が、少なくとも1つのキャリア、データ送信方式、およびHARQプロセスの間の対応関係であり、
前記第6の対応関係が、少なくとも1つのキャリア、データ送信方式、HARQプロセス、およびHARQエンティティの間の対応関係であり、
前記第7の対応関係が、少なくとも1つのキャリア、少なくとも1つの物理リソースブロック（PRB）、少なくとも1つのサブフレーム、およびHARQプロセスの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第9の対応関係が、少なくとも1つのセルインデックス、少なくとも1つのPRB識別子、少なくとも1つの伝送時間間隔（TTI）番号、およびHARQプロセスの間の対応関係であり、
前記第10の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第11の対応関係が、少なくとも1つのキャリア、少なくとも1つのサブフレーム、冗長性バージョン、およびHARQプロセスの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第13の対応関係が、少なくとも1つのキャリア、データ送信方式、冗長性バージョン、およびHARQプロセスの間の対応関係であり、
前記第14の対応関係が、少なくとも1つのキャリア、データ送信方式、冗長性バージョン、HARQプロセス、およびHARQエンティティの間の対応関係であり、
前記第15の対応関係が、少なくとも1つのキャリア、少なくとも1つのPRB、少なくとも1つのサブフレーム、冗長性バージョン、およびHARQプロセスの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第17の対応関係が、少なくとも1つのセルインデックス、前記少なくとも1つのPRBの識別子、少なくとも1つの伝送時間間隔（TTI）番号、冗長性バージョン、およびHARQプロセスの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたは／およびDLキャリアを含む、請求項7に記載のネットワークノード。
【請求項９】
前記HARQエンティティが、以下の対応関係、すなわち、第19の対応関係、第4の対応関係、第20の対応関係、第6の対応関係、第21の対応関係、第8の対応関係、第22の対応関係、第9の対応関係、第23の対応関係、第12の対応関係、第24の対応関係、第14の対応関係、第25の対応関係、第16の対応関係、第26の対応関係、または第18の対応関係のうちの少なくとも1つに従ってさらに取得され、
前記第19の対応関係が、少なくとも1つのキャリア、少なくとも1つのサブフレーム、およびHARQエンティティの間の対応関係であり、
前記第4の対応関係が、少なくとも1つのキャリア、少なくとも1つのサブフレーム、HARQプロセス、およびHARQエンティティの間の対応関係であり、
前記第20の対応関係が、少なくとも1つのキャリア、データ送信方式、およびHARQエンティティの間の対応関係であり、
前記第6の対応関係が、少なくとも1つのキャリア、データ送信方式、HARQプロセス、およびHARQエンティティの間の対応関係であり、
前記第21の対応関係が、少なくとも1つのキャリア、少なくとも1つのPRB、少なくとも1つのサブフレーム、およびHARQエンティティの間の対応関係であり、
前記第8の対応関係が、少なくとも1つのキャリア、少なくとも1つのPRB、少なくとも1つのサブフレーム、HARQプロセス、およびHARQエンティティの間の対応関係であり、
前記第22の対応関係が、少なくとも1つのセルインデックス、少なくとも1つのPRB識別子、少なくとも1つの伝送時間間隔（TTI）番号、およびHARQエンティティの間の対応関係であり、
前記第9の対応関係が、少なくとも1つのセルインデックス、少なくとも1つのPRB識別子、少なくとも1つの伝送時間間隔（TTI）番号、HARQプロセス、およびHARQエンティティの間の対応関係であり、
前記第23の対応関係が、少なくとも1つのキャリア、少なくとも1つのサブフレーム、冗長性バージョン、およびHARQエンティティの間の対応関係であり、
前記第12の対応関係が、少なくとも1つのキャリア、少なくとも1つのサブフレーム、冗長性バージョン、HARQプロセス、およびHARQエンティティの間の対応関係であり、
前記第24の対応関係が、少なくとも1つのキャリア、データ送信方式、冗長性バージョン、およびHARQエンティティの間の対応関係であり、
前記第14の対応関係が、少なくとも1つのキャリア、データ送信方式、冗長性バージョン、HARQプロセス、およびHARQエンティティの間の対応関係であり、
前記第25の対応関係が、少なくとも1つのキャリア、少なくとも1つのPRB、少なくとも1つのサブフレーム、冗長性バージョン、およびHARQエンティティの間の対応関係であり、
前記第16の対応関係が、少なくとも1つのキャリア、少なくとも1つのPRB、少なくとも1つのサブフレーム、冗長性バージョン、HARQプロセス、およびHARQエンティティの間の対応関係であり、
前記第26の対応関係が、少なくとも1つのセルインデックス、前記少なくとも1つのPRBの識別子、少なくとも1つの伝送時間間隔（TTI）番号、冗長性バージョン、およびHARQエンティティの間の対応関係であり、
前記第18の対応関係が、少なくとも1つのセルインデックス、前記少なくとも1つのPRBの識別子、少なくとも1つの伝送時間間隔（TTI）番号、冗長性バージョン、HARQプロセス、およびHARQエンティティの間の対応関係であり、
前記キャリアがULキャリアまたはDLキャリアを含む、請求項7または8に記載のネットワークノード。
【請求項１０】
前記第1の対応関係から第26の対応関係が、第2のネットワークノードによって送信される無線リソース制御（RRC）シグナリング、媒体アクセス制御制御要素（MAC CE）シグナリング、または物理ダウンリンク制御チャネル（PDCCH）シグナリングのうちの少なくとも1つによって示され、
前記第1の対応関係から第26の対応関係が物理ダウンリンク制御チャネル（PDCCH）シグナリングによって示されることが、
前記キャリアセット内の各キャリアのHARQプロセス番号が前記PDCCHシグナリングによって示されること
を含み、前記PDCCHシグナリングが、少なくとも1つのキャリアを示すために使用される指示情報または前記少なくとも1つのキャリアセットを示すために使用される指示情報を搬送する、請求項7から9のいずれか一項に記載のネットワークノード。
【請求項１１】
請求項1から6のいずれか一項に記載の方法をコンピュータに実行させるプログラムを記録したコンピュータ読み取り可能な記録媒体。
【国際調査報告】
2018514124.tif 000010
2018514124.tif 000011
2018514124.tif 000012
2018514124.tif 000013